(57)【特許請求の範囲】
【請求項１】
下りリンク制御情報フォーマットがマップされている物理下りリンク制御チャネルを受信し、前記物理下りリンク制御情報フォーマットがスケジュールする物理下りリンク共用チャネルであって、トランスポートブロックがマップされている前記物理下りリンク共用チャネルを受信する受信部と、
前記トランスポートブロックに対応するＨＡＲＱ−ＡＣＫ情報を物理上りリンク制御チャネルで送信する送信部と、
を備え、
前記物理上りリンク制御チャネルに対する第１の時間信号と前記物理上りリンク制御チャネルに対する第２の時間信号とは、ＯＦＤＭシンボルにおけるリソースエレメントのコンテンツに基づいて生成され、
前記第１の時間信号は、前記ＯＦＤＭシンボル内にあり、
前記物理上りリンク制御チャネルに対する復調参照信号は、前記ＯＦＤＭシンボルに基づいてリソースエレメントにマップされ、
前記第２の時間信号は、前記ＯＦＤＭシンボルより前に送信される
端末装置。
【請求項２】
前記ＯＦＤＭシンボルは、前記物理上りリンク制御チャネルに対する開始ＯＦＤＭシンボルとしてＲＲＣパラメータによって設定される、
請求項１に記載の端末装置。
【請求項３】
下りリンク制御情報フォーマットがマップされている物理下りリンク制御チャネルを送信し、前記物理下りリンク制御情報フォーマットがスケジュールする物理下りリンク共用チャネルであって、トランスポートブロックがマップされている前記物理下りリンク共用チャネルを送信する送信部と、
前記トランスポートブロックに対応するＨＡＲＱ−ＡＣＫ情報を物理上りリンク制御チャネルで受信する受信部と、
を備え、
前記物理上りリンク制御チャネルに対する第１の時間信号と前記物理上りリンク制御チャネルに対する第２の時間信号とは、ＯＦＤＭシンボルにおけるリソースエレメントのコンテンツに基づいて生成され、
前記第１の時間信号は、前記ＯＦＤＭシンボル内にあり、
前記物理上りリンク制御チャネルに対する復調参照信号は、前記ＯＦＤＭシンボルに基づいてリソースエレメントにマップされ、
前記第２の時間信号は、前記ＯＦＤＭシンボルより前に受信される
基地局装置。
【請求項４】
端末装置に用いられる通信方法であって、前記端末装置のコンピュータが、
下りリンク制御情報フォーマットがマップされている物理下りリンク制御チャネルを受信し、前記物理下りリンク制御情報フォーマットがスケジュールする物理下りリンク共用チャネルであって、トランスポートブロックがマップされている前記物理下りリンク共用チャネルを受信する受信過程と、
前記トランスポートブロックに対応するＨＡＲＱ−ＡＣＫ情報を物理上りリンク制御チャネルで送信する送信過程と、
を有し、
前記物理上りリンク制御チャネルに対する第１の時間信号と前記物理上りリンク制御チャネルに対する第２の時間信号とは、ＯＦＤＭシンボルにおけるリソースエレメントのコンテンツに基づいて生成され、
前記第１の時間信号は、前記ＯＦＤＭシンボル内にあり、
前記物理上りリンク制御チャネルに対する復調参照信号は、前記ＯＦＤＭシンボルに基づいてリソースエレメントにマップされ、
前記第２の時間信号は、前記ＯＦＤＭシンボルより前に送信される
通信方法。
【請求項５】
基地局装置に用いられる通信方法であって、前記基地局装置のコンピュータが、
下りリンク制御情報フォーマットがマップされている物理下りリンク制御チャネルを送信し、前記物理下りリンク制御情報フォーマットがスケジュールする物理下りリンク共用チャネルであって、トランスポートブロックがマップされている前記物理下りリンク共用チャネルを送信する送信過程と、
前記トランスポートブロックに対応するＨＡＲＱ−ＡＣＫ情報を物理上りリンク制御チャネルで受信する受信過程と、
を有し、
前記物理上りリンク制御チャネルに対する第１の時間信号と前記物理上りリンク制御チャネルに対する第２の時間信号とは、ＯＦＤＭシンボルにおけるリソースエレメントのコンテンツに基づいて生成され、
前記第１の時間信号は、前記ＯＦＤＭシンボル内にあり、
前記物理上りリンク制御チャネルに対する復調参照信号は、前記ＯＦＤＭシンボルに基づいてリソースエレメントにマップされ、
前記第２の時間信号は、前記ＯＦＤＭシンボルより前に受信される
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（3GPP:3rd Generation Partnership Project）において検討され
ている。ＬＴＥにおいて、基地局装置はｅＮｏｄｅＢ（evolved NodeB）、端末装置はＵ
Ｅ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71，Goteborg， Sweden， 7th ― 10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、スロットにおけるＸ番目のＯＦＤＭシンボルからＸ＋Ｌ番目のＯＦＤＭシンボルに配置されるＰＵＣＣＨの時間領域信号を生成するチャネル生成部と、前記ＰＵＣＣＨを送信する送信部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＰＵＣＣＨのＤＭＲＳが配置されるＯＦＤＭシンボルのセットは、前記ＰＵＣＣＨのＯＦＤＭシンボルの数がＬであると想定されることに少なくとも基づき与えられる。
【０００７】
（２）本発明の第２の態様は、端末装置であって、スロットにおけるＸ番目のＯＦＤＭシンボルからＸ＋Ｌ番目のＯＦＤＭシンボルに配置されるＰＵＣＣＨの時間領域信号を生成するチャネル生成部と、ＣＳＩパート１とＣＳＩパート２を前記ＰＵＣＣＨで送信する送信部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＣＳＩパート１と前記ＣＳＩパート２の多重において用いられるＵＣＩシン
ボルのセットは、前記ＰＵＣＣＨのＯＦＤＭシンボルの数がＬであると想定されることに少なくとも基づき与えられる。
【０００８】
（３）本発明の第３の態様は、基地局装置であって、スロットにおけるＸ番目のＯＦＤＭシンボルからＸ＋Ｌ番目のＯＦＤＭシンボルに配置されるＰＵＣＣＨを受信する受信部と、前記ＰＵＣＣＨの時間領域信号を復調するチャネル復調部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＰＵＣＣＨのＤＭＲＳが配置されるＯＦＤＭシンボルのセットは、前記ＰＵＣＣＨのＯＦＤＭシンボルの数がＬであると想定されることに少なくとも基づき与えられる。
【０００９】
（４）本発明の第４の態様は、基地局装置であって、スロットにおけるＸ番目のＯＦＤＭシンボルからＸ＋Ｌ番目のＯＦＤＭシンボルに配置されるＰＵＣＣＨを受信する受信部と、ＣＳＩパート１とＣＳＩパート２を前記ＰＵＣＣＨから取得する復調部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＣＳＩパート１と前記ＣＳＩパート２の多重において用いられるＵＣＩシンボルのセットは、前記ＰＵＣＣＨのＯＦＤＭシンボルの数がＬであると想定されることに少なくとも基づき与えられる。
【００１０】
（５）本発明の第５の態様は、端末装置に用いられる通信方法であって、スロットにおけるＸ番目のＯＦＤＭシンボルからＸ＋Ｌ番目のＯＦＤＭシンボルに配置されるＰＵＣＣＨの時間領域信号を生成するステップと、前記ＰＵＣＣＨを送信するステップと、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＰＵＣＣＨのＤＭＲＳが配置されるＯＦＤＭシンボルのセットは、前記ＰＵＣＣＨのＯＦＤＭシンボルの数がＬであると想定されることに少なくとも基づき与えられる。
【００１１】
（６）本発明の第６の態様は、端末装置に用いられる通信方法であって、スロットにおけるＸ番目のＯＦＤＭシンボルからＸ＋Ｌ番目のＯＦＤＭシンボルに配置されるＰＵＣＣＨの時間領域信号を生成するステップと、ＣＳＩパート１とＣＳＩパート２を前記ＰＵＣＣＨで送信するステップと、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＣＳＩパート１と前記ＣＳＩパート２の多重において用いられるＵＣＩシンボルのセットは、前記ＰＵＣＣＨのＯＦＤＭシンボルの数がＬであると想定されることに少なくとも基づき与えられる。
【００１２】
（７）本発明の第７の態様は、基地局装置に用いられる通信方法であって、スロットにおけるＸ番目のＯＦＤＭシンボルからＸ＋Ｌ番目のＯＦＤＭシンボルに配置されるＰＵＣＣＨを受信するステップと、前記ＰＵＣＣＨの時間領域信号を復調するステップと、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＰＵＣＣＨのＤＭＲＳが配置されるＯＦＤＭシンボルのセットは、前記ＰＵＣＣＨのＯＦＤＭシンボルの数がＬであると想定されることに少なくとも基づき与えられる。
【００１３】
（８）本発明の第８の態様は、基地局装置に用いられる通信方法であって、スロットにおけるＸ番目のＯＦＤＭシンボルからＸ＋Ｌ番目のＯＦＤＭシンボルに配置されるＰＵＣＣＨを受信するステップと、ＣＳＩパート１とＣＳＩパート２を前記ＰＵＣＣＨから取得するステップと、を備え、前記Ｘ番目のＯＦＤＭシンボルの前記時間領域信号がＸ＋１番目のＯＦＤＭシンボルに含まれるリソースエレメントのコンテンツに少なくとも基づき生
成される場合、前記ＣＳＩパート１と前記ＣＳＩパート２の多重において用いられるＵＣＩシンボルのセットは、前記ＰＵＣＣＨのＯＦＤＭシンボルの数がＬであると想定されることに少なくとも基づき与えられる。
【発明の効果】
【００１４】
この発明によれば、端末装置は効率的に通信を行うことができる。また、基地局装置は効率的に通信を行うことができる。
【図面の簡単な説明】
【００１５】
【図１】本実施形態の一態様に係る無線通信システムの概念図である。
【図２】本実施形態の一態様に係るサブキャリア間隔の設定μ、スロットあたりのＯＦＤＭシンボル数Ｎｓｌｏｔｓｙｍｂ、および、ＣＰ（cyclic Prefix）設定の関係を示す一例である。
【図３】本実施形態の一態様に係るリソースグリッドの構成方法の一例を示す図である。
【図４】本実施形態の一態様に係るリソースグリッド３００１の構成例を示す図である。
【図５】本実施形態の一態様に係る基地局装置３の構成例を示す概略ブロック図である。
【図６】本実施形態の一態様に係る端末装置１の構成例を示す概略ブロック図である。
【図７】本実施形態の一態様に係るＳＳ／ＰＢＣＨブロックの構成例を示す図である。
【図８】本実施形態の一態様に係るＰＲＡＣＨリソースの設定例を示す図である。
【図９】本実施形態の一態様に係る、１）ＰＲＡＣＨ機会ごとにランダムアクセスのために割り当てられるランダムアクセスプリアンブルの数ＮＲＯｐｒｅａｍｂｌｅが６４であり、２）競合ベースランダムアクセスのためにＳＳ／ＰＢＣＨブロック候補のインデックスごとに割り当てられるプリアンブルの数ＮＳＳＢｐｒｅａｍｂｌｅ，ＣＢＲＡが６４であり、３）競合ベースランダムアクセスのためにＳＳ／ＰＢＣＨブロック候補のインデックスごとに割り当てられるＰＲＡＣＨ機会の数ＮＳＳＢＲＯが１であり、かつ、４）第１のビットマップ情報が｛１，１，０，１，０，１，１，０｝にセットされている場合のＳＳ／ＰＢＣＨブロック候補のインデックスとＰＲＡＣＨ機会の関係（SS-RO association）の一例を示す図である。
【図１０】本実施形態の一態様に係る、１）ＰＲＡＣＨ機会ごとにランダムアクセスのために割り当てられるランダムアクセスプリアンブルの数ＮＲＯｐｒｅａｍｂｌｅが６４であり、２）競合ベースランダムアクセスのためにＳＳ／ＰＢＣＨブロック候補のインデックスごとに割り当てられるプリアンブルの数ＮＳＳＢｐｒｅａｍｂｌｅ，ＣＢＲＡが６４であり、３）競合ベースランダムアクセスのためにＳＳ／ＰＢＣＨブロック候補のインデックスごとに割り当てられるＰＲＡＣＨ機会の数ＮＳＳＢＲＯが１であり、かつ、４）第１のビットマップ情報が｛１，１，０，１，０，１，０，０｝にセットされている場合のＳＳ／ＰＢＣＨブロック候補のインデックスとＰＲＡＣＨ機会の関係の一例を示す図である。
【図１１】本実施形態の一態様に係る探索領域セットの監視機会の一例を示す図である。
【図１２】本実施形態の一態様に係るカウント手順の例を示す図である。
【図１３】本実施形態の一態様に係るＰＵＳＣＨの構成に関する一例を示した図である。
【図１４】本実施形態の一態様に係る第１のＰＵＣＣＨフォーマットの構成例を示す図である。
【図１５】本実施形態の一態様に係る第２のＰＵＣＣＨフォーマットの構成例を示す図である。
【図１６】本実施形態の一態様に係るＵＣＩシンボルのセットの決定方法に関する一例を示す図である。
【発明を実施するための形態】
【００１６】
以下、本発明の実施形態について説明する。
【００１７】
ｆｌｏｏｒ（Ｃ）は、実数Ｃに対する床関数であってもよい。例えば、ｆｌｏｏｒ（Ｃ）は、実数Ｃを超えない範囲で最大の整数を出力する関数であってもよい。ｃｅｉｌ（Ｄ）は、実数Ｄに対する天井関数であってもよい。例えば、ｃｅｉｌ（Ｄ）は、実数Ｄを下回らない範囲で最小の整数を出力する関数であってもよい。ｍｏｄ（Ｅ，Ｆ）は、ＥをＦで除算した余りを出力する関数であってもよい。ｍｏｄ（Ｅ，Ｆ）は、ＥをＦで除算した余りに対応する値を出力する関数であってもよい。ｅｘｐ（Ｇ）＝ｅ＾Ｇである。ここで、ｅはネイピア数である。Ｈ＾ＩはＨのＩ乗を示す。
【００１８】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時
間領域の単位である。ＯＦＤＭシンボルは、少なくとも１または複数のサブキャリア（subcarrier）を含む。ＯＦＤＭシンボルは、ベースバンド信号生成において時間連続信号（time―continuous signal）に変換される。下りリンクにおいて、ＣＰ−ＯＦＤＭ（Cyclic Prefix ― Orthogonal Frequency Division Multiplex）が少なくとも用いられる。上
りリンクにおいて、ＣＰ−ＯＦＤＭ、または、ＤＦＴ−ｓ−ＯＦＤＭ（Discrete Fourier
Transform ― spread ― Orthogonal Frequency Division Multiplex）のいずれかが用
いられる。ＤＦＴ−ｓ−ＯＦＤＭは、ＣＰ−ＯＦＤＭに対して変形プレコーディング（Transform precoding）が適用されることで与えられてもよい。
【００１９】
ＯＦＤＭシンボルは、ＯＦＤＭシンボルに付加されるＣＰを含んだ呼称であってもよい。つまり、あるＯＦＤＭシンボルは、該あるＯＦＤＭシンボルと、該あるＯＦＤＭシンボルに付加されるＣＰを含んで構成されてもよい。
【００２０】
図１は、本実施形態の一態様に係る無線通信システムの概念図である。図１において、無線通信システムは、端末装置１Ａ〜１Ｃ、および基地局装置３（BS#3: Base station#3）を少なくとも含んで構成される。以下、端末装置１Ａ〜１Ｃを端末装置１（UE#1: User
Equipment#1）とも呼称する。
【００２１】
基地局装置３は、１または複数の送信装置（または、送信点、送受信装置、送受信点）を含んで構成されてもよい。基地局装置３が複数の送信装置によって構成される場合、該複数の送信装置のそれぞれは、異なる位置に配置されてもよい。
【００２２】
基地局装置３は、１または複数のサービングセル（serving cell）を提供してもよい。サービングセルは、無線通信に用いられるリソースのセットとして定義されてもよい。また、サービングセルは、セル（cell）とも呼称される。
【００２３】
サービングセルは、１つの下りリンクコンポーネントキャリア（下りリンクキャリア）、および／または、１つの上りリンクコンポーネントキャリア（上りリンクキャリア）を少なくとも含んで構成されてもよい。サービングセルは、２つ以上の下りリンクコンポーネントキャリア、および／または、２つ以上の上りリンクコンポーネントキャリアを少なくとも含んで構成されてもよい。下りリンクコンポーネントキャリア、および、上りリンクコンポーネントキャリアは、コンポーネントキャリア（キャリア）とも呼称される。
【００２４】
例えば、１つのコンポーネントキャリアのために、１つのリソースグリッドが与えられてもよい。また、１つのコンポーネントキャリアとあるサブキャリア間隔の設定（subcarrier spacing configuration）μのために、１つのリソースグリッドが与えられてもよい。ここで、サブキャリア間隔の設定μは、ヌメロロジ（numerology）とも呼称される。リソースグリッドは、Ｎｓｉｚｅ，μｇｒｉｄ，ｘＮＲＢｓｃ個のサブキャリアを含む。リソースグリッドは、共通リソースブロックＮｓｔａｒｔ，μｇｒｉｄ，ｘから開始される。共通リソースブロックＮｓｔａｒｔ，μｇｒｉｄ，ｘは、リソースグリッドの基準点とも呼称される。リソースグリッドは、Ｎｓｕｂｆｒａｍｅ，μｓｙｍｂ個のＯＦＤＭシンボルを含む。ｘは、送信方向を示すサブスクリプトであり、下りリンク、または、上りリンクのいずれかを示す。あるアンテナポートｐ、あるサブキャリア間隔の設定μ、および、ある送信方向ｘのセットに対して１つのリソースグリッドが与えられる。
【００２５】
Ｎｓｉｚｅ，μｇｒｉｄ，ｘとＮｓｔａｒｔ，μｇｒｉｄ，ｘは、上位層パラメータ（CarrierBandwidth）に少なくとも基づき与えられる。該上位層パラメータは、ＳＣＳ固有キャリア（SCS specific carrier）とも呼称される。１つのリソースグリッドは、１つのＳＣＳ固有キャリアに対応する。１つのコンポーネントキャリアは、１または複数のＳＣＳ固有キャリアを備えてもよい。ＳＣＳ固有キャリアは、システム情報に含まれてもよい。それぞれのＳＣＳ固有キャリアに対して、１つのサブキャリア間隔の設定μが与えられてもよい。
【００２６】
サブキャリア間隔（SCS: SubCarrier Spacing）Δｆは、Δｆ＝２μ・１５ｋＨｚであ
ってもよい。例えば、サブキャリア間隔の設定μは０、１、２、３、または、４のいずれかを示してもよい。
【００２７】
図２は、本実施形態の一態様に係るサブキャリア間隔の設定μ、スロットあたりのＯＦＤＭシンボル数Ｎｓｌｏｔｓｙｍｂ、および、ＣＰ（cyclic Prefix）設定の関係を示す
一例である。図２Ａにおいて、例えば、サブキャリア間隔の設定μが２であり、ＣＰ設定がノーマルＣＰ（normal cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、例えば、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。
【００２８】
本実施形態の一態様に係る無線通信システムにおいて、時間領域の長さの表現のために時間単位（タイムユニット）Ｔｃが用いられてもよい。時間単位Ｔｃは、Ｔｃ＝１／（Δｆｍａｘ・Ｎｆ）である。Δｆｍａｘ＝４８０ｋＨｚである。Ｎｆ＝４０９６である。定数κは、κ＝Δｆｍａｘ・Ｎｆ／（ΔｆｒｅｆＮｆ，ｒｅｆ）＝６４である。Δｆｒｅｆは、１５ｋＨｚである。Ｎｆ，ｒｅｆは、２０４８である。
【００２９】
下りリンクにおける信号の送信、および／または、上りリンクにおける信号の送信は、長さＴｆの無線フレーム（システムフレーム、フレーム）により編成されてもよい（organized into）。Ｔｆ＝（ΔｆｍａｘＮｆ／１００）・Ｔｓ＝１０ｍｓである。“・”は乗算を示す。無線フレームは、１０個のサブフレームを含んで構成される。サブフレームの長さＴｓｆ＝（ΔｆｍａｘＮｆ／１０００）・Ｔｓ＝１ｍｓである。サブフレームあたりのＯＦＤＭシンボル数はＮｓｕｂｆｒａｍｅ，μｓｙｍｂ＝ＮｓｌｏｔｓｙｍｂＮｓｕｂｆｒａｍｅ，μｓｌｏｔである。
【００３０】
あるサブキャリア間隔の設定μのために、サブフレームに含まれるスロットの数とインデックスが与えられてもよい。例えば、スロットインデックスｎμｓは、サブフレームにおいて０からＮｓｕｂｆｒａｍｅ，μｓｌｏｔ−１の範囲の整数値で昇順に与えられても
よい。サブキャリア間隔の設定μのために、無線フレームに含まれるスロットの数とインデックスが与えられてもよい。また、スロットインデックスｎμｓ，ｆは、無線フレームにおいて０からＮｆｒａｍｅ，μｓｌｏｔ−１の範囲の整数値で昇順に与えられてもよい。連続するＮｓｌｏｔｓｙｍｂ個のＯＦＤＭシンボルが１つのスロットに含まれてもよい。Ｎｓｌｏｔｓｙｍｂ＝１４である。
【００３１】
図３は、本実施形態の一態様に係るリソースグリッドの構成方法の一例を示す図である。図３の横軸は、周波数領域を示す。図３において、コンポーネントキャリア３００におけるサブキャリア間隔μ１のリソースグリッドの構成例と、該あるコンポーネントキャリアにおけるサブキャリア間隔μ２のリソースグリッドの構成例を示す。このように、あるコンポーネントキャリアに対して、１つまたは複数のサブキャリア間隔が設定されてもよい。図３において、μ１＝μ２−１であることを仮定するが、本実施形態の種々の態様はμ１＝μ２−１の条件に限定されない。
【００３２】
コンポーネントキャリア３００は、周波数領域において所定の幅を備える帯域である。
【００３３】
ポイント（Point）３０００は、あるサブキャリアを特定するための識別子である。ポ
イント３０００は、ポイントＡとも呼称される。共通リソースブロック（CRB: Common resource block）セット３１００は、サブキャリア間隔の設定μ１に対する共通リソースブロックのセットである。
【００３４】
共通リソースブロックセット３１００のうち、ポイント３０００を含む共通リソースブロック（図３中の右上がり斜線で示されるブロック）は、共通リソースブロックセット３１００の基準点（reference point）とも呼称される。共通リソースブロックセット３１
００の基準点は、共通リソースブロックセット３１００におけるインデックス０の共通リソースブロックであってもよい。
【００３５】
オフセット３０１１は、共通リソースブロックセット３１００の基準点から、リソースグリッド３００１の基準点までのオフセットである。オフセット３０１１は、サブキャリア間隔の設定μ１に対する共通リソースブロックの数によって示される。リソースグリッド３００１は、リソースグリッド３００１の基準点から始まるＮｓｉｚｅ，μｇｒｉｄ１，ｘ個の共通リソースブロックを含む。
【００３６】
オフセット３０１３は、リソースグリッド３００１の基準点から、インデックスｉ１のＢＷＰ（BandWidth Part）３００３の基準点（Ｎｓｔａｒｔ，μＢＷＰ，ｉ１）までのオフセットである。
【００３７】
共通リソースブロックセット３２００は、サブキャリア間隔の設定μ２に対する共通リソースブロックのセットである。
【００３８】
共通リソースブロックセット３２００のうち、ポイント３０００を含む共通リソースブロック（図３中の左上がり斜線で示されるブロック）は、共通リソースブロックセット３２００の基準点とも呼称される。共通リソースブロックセット３２００の基準点は、共通リソースブロックセット３２００におけるインデックス０の共通リソースブロックであってもよい。
【００３９】
オフセット３０１２は、共通リソースブロックセット３２００の基準点から、リソースグリッド３００２の基準点までのオフセットである。オフセット３０１２は、サブキャリア間隔μ２に対する共通リソースブロックの数によって示される。リソースグリッド３００２は、リソースグリッド３００２の基準点から始まるＮｓｉｚｅ，μｇｒｉｄ２，ｘ個
の共通リソースブロックを含む。
【００４０】
オフセット３０１４は、リソースグリッド３００２の基準点から、インデックスｉ２のＢＷＰ３００４の基準点（Ｎｓｔａｒｔ，μＢＷＰ，ｉ２）までのオフセットである。
【００４１】
図４は、本実施形態の一態様に係るリソースグリッド３００１の構成例を示す図である。図４のリソースグリッドにおいて、横軸はＯＦＤＭシンボルインデックスｌｓｙｍであり、縦軸はサブキャリアインデックスｋｓｃである。リソースグリッド３００１は、Ｎｓｉｚｅ，μｇｒｉｄ１，ｘＮＲＢｓｃ個のサブキャリアを含み、Ｎｓｕｂｆｒａｍｅ，μｓｙｍｂ個のＯＦＤＭシンボルを含む。リソースグリッド内において、サブキャリアインデックスｋｓｃとＯＦＤＭシンボルインデックスｌｓｙｍによって特定されるリソースは、リソースエレメント（RE: Resource Element）とも呼称される。
【００４２】
リソースブロック（RB: Resource Block）は、ＮＲＢｓｃ個の連続するサブキャリアを含む。リソースブロックは、共通リソースブロック、物理リソースブロック（PRB: Physical Resource Block）、および、仮想リソースブロック（VRB: Virtual Resource Block
）の総称である。ここで、ＮＲＢｓｃ＝１２である。
【００４３】
リソースブロックユニットは、１つのリソースブロックにおける１ＯＦＤＭシンボルに対応するリソースのセットである。つまり、１つのリソースブロックユニットは、１つのリソースブロックにおける１ＯＦＤＭシンボルに対応する１２個のリソースエレメントを含む。
【００４４】
あるサブキャリア間隔の設定μに対する共通リソースブロックは、ある共通リソースブロックセットにおいて、周波数領域において０から昇順にインデックスが付される（indexing）。あるサブキャリア間隔の設定μに対する、インデックス０の共通リソースブロックは、ポイント３０００を含む（または、衝突する、一致する）。あるサブキャリア間隔の設定μに対する共通リソースブロックのインデックスｎμＣＲＢは、ｎμＣＲＢ＝ｃｅｉｌ（ｋｓｃ／ＮＲＢｓｃ）の関係を満たす。ここで、ｋｓｃ＝０のサブキャリアは、ポイント３０００に対応するサブキャリアの中心周波数と同一の中心周波数を備えるサブキャリアである。
【００４５】
あるサブキャリア間隔の設定μに対する物理リソースブロックは、あるＢＷＰにおいて、周波数領域において０から昇順にインデックスが付される。あるサブキャリア間隔の設定μに対する物理リソースブロックのインデックスｎμＰＲＢは、ｎμＣＲＢ＝ｎμＰＲＢ＋Ｎｓｔａｒｔ，μＢＷＰ，ｉの関係を満たす。ここで、Ｎｓｔａｒｔ，μＢＷＰ，ｉは、インデックスｉのＢＷＰの基準点を示す。
【００４６】
ＢＷＰは、リソースグリッドに含まれる共通リソースブロックのサブセットとして定義される。ＢＷＰは、該ＢＷＰの基準点Ｎｓｔａｒｔ，μＢＷＰ，ｉから始まるＮｓｉｚｅ，μＢＷＰ，ｉ個の共通リソースブロックを含む。下りリンクキャリアに対して設定されるＢＷＰは、下りリンクＢＷＰとも呼称される。上りリンクコンポーネントキャリアに対して設定されるＢＷＰは、上りリンクＢＷＰとも呼称される。
【００４７】
アンテナポートは、あるアンテナポートにおけるシンボルが伝達されるチャネルが、該あるアンテナポートにおけるその他のシンボルが伝達されるチャネルから推定できることによって定義されてもよい（An antenna port is defined such that the channel over which a symbol on the antenna port is conveyed can be inferred from the channel over which another symbol on the same antenna port is conveyed）。例えば、チャネルは、物理チャネルに対応してもよい。また、シンボルは、ＯＦＤＭシンボルに対応して
もよい。また、シンボルは、リソースブロックユニットに対応してもよい。また、シンボルは、リソースエレメントに対応してもよい。
【００４８】
１つのアンテナポートにおいてシンボルが伝達されるチャネルの大規模特性（large scale property）が、もう一つのアンテナポートにおいてシンボルが伝達されるチャネルから推定できることは、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を少なくとも含んでも
よい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００４９】
キャリアアグリゲーション（carrier aggregation）は、集約された複数のサービング
セルを用いて通信を行うことであってもよい。また、キャリアアグリゲーションは、集約された複数のコンポーネントキャリアを用いて通信を行うことであってもよい。また、キャリアアグリゲーションは、集約された複数の下りリンクコンポーネントキャリアを用いて通信を行うことであってもよい。また、キャリアアグリゲーションは、集約された複数の上りリンクコンポーネントキャリアを用いて通信を行うことであってもよい。
【００５０】
図５は、本実施形態の一態様に係る基地局装置３の構成例を示す概略ブロック図である。図５に示されるように、基地局装置３は、無線送受信部（物理層処理部）３０、および／または、上位層処理部３４の一部または全部を少なくとも含む。無線送受信部３０は、アンテナ部３１、ＲＦ（Radio Frequency）部３２、および、ベースバンド部３３の一部
または全部を少なくとも含む。上位層処理部３４は、媒体アクセス制御層処理部３５、および、無線リソース制御（RRC:Radio Resource Control）層処理部３６の一部または全部を少なくとも含む。
【００５１】
無線送受信部３０は、無線送信部３０ａ、および、無線受信部３０ｂの一部または全部を少なくとも含む。ここで、無線送信部３０ａに含まれるベースバンド部と無線受信部３０ｂに含まれるベースバンド部の装置構成は同一であってもよいし、異なってもよい。また、無線送信部３０ａに含まれるＲＦ部と無線受信部３０ｂに含まれるＲＦ部の装置構成は同一であってもよいし、異なってもよい。また、無線送信部３０ａに含まれるアンテナ部と無線受信部３０ｂに含まれるアンテナ部の装置構成は同一であってもよいし、異なってもよい。
【００５２】
例えば、無線送信部３０ａは、ＰＤＳＣＨのベースバンド信号を生成し、送信してもよい。例えば、無線送信部３０ａは、ＰＤＣＣＨのベースバンド信号を生成し、送信してもよい。例えば、無線送信部３０ａは、ＰＢＣＨのベースバンド信号を生成し、送信してもよい。例えば、無線送信部３０ａは、同期信号のベースバンド信号を生成し、送信してもよい。例えば、無線送信部３０ａは、ＰＤＳＣＨ  ＤＭＲＳのベースバンド信号を生成し
、送信してもよい。例えば、無線送信部３０ａは、ＰＤＣＣＨ  ＤＭＲＳのベースバンド信号を生成し、送信してもよい。例えば、無線送信部３０ａは、ＣＳＩ−ＲＳのベースバンド信号を生成し、送信してもよい。例えば、無線送信部３０ａは、ＤＬ  ＰＴＲＳのベースバンド信号を生成し、送信してもよい。
【００５３】
例えば、無線送信部３０ｂは、ＰＲＡＣＨを受信してもよい。例えば、無線送信部３０ｂは、ＰＵＣＣＨを受信し、復調してもよい。無線送信部３０ｂは、ＰＵＳＣＨを受信し、復調してもよい。例えば、無線送信部３０ｂは、ＰＵＣＣＨ  ＤＭＲＳを受信してもよい。例えば、無線送信部３０ｂは、ＰＵＳＣＨ  ＤＭＲＳを受信してもよい。例えば、無線送信部３０ｂは、ＵＬ  ＰＴＲＳを受信してもよい。例えば、無線送信部３０ｂは、ＳＲＳを受信してもよい。
【００５４】
上位層処理部３４は、下りリンクデータ（トランスポートブロック）を、無線送受信部３０（または、無線送信部３０ａ）に出力する。上位層処理部３４は、ＭＡＣ（Medium Access Control）層、パケットデータ統合プロトコル（PDCP:Packet Data Convergence Protocol）層、無線リンク制御（RLC:Radio Link Control）層、ＲＲＣ層の処理を行なう。
【００５５】
上位層処理部３４が備える媒体アクセス制御層処理部３５は、ＭＡＣ層の処理を行う。
【００５６】
上位層処理部３４が備える無線リソース制御層処理部３６は、ＲＲＣ層の処理を行う。無線リソース制御層処理部３６は、端末装置１の各種設定情報／パラメータ（ＲＲＣパラメータ）の管理をする。無線リソース制御層処理部３６は、端末装置１から受信したＲＲＣメッセージに基づいてＲＲＣパラメータをセットする。
【００５７】
無線送受信部３０（または、無線送信部３０ａ）は、変調、符号化などの処理を行う。無線送受信部３０（または、無線送信部３０ａ）は、下りリンクデータを変調、符号化、ベースバンド信号生成（時間連続信号への変換）することによって物理信号を生成し、端末装置１に送信する。無線送受信部３０（または、無線送信部３０ａ）は、物理信号をあるコンポーネントキャリアに配置し、端末装置１に送信してもよい。
【００５８】
無線送受信部３０（または、無線受信部３０ｂ）は、復調、復号化などの処理を行う。無線送受信部３０（または、無線受信部３０ｂ）は、受信した物理信号を、分離、復調、復号し、復号した情報を上位層処理部３４に出力する。無線送受信部３０（または、無線受信部３０ｂ）は、物理信号の送信に先立ってチャネルアクセス手順を実施してもよい。
【００５９】
ＲＦ部３２は、アンテナ部３１を介して受信した信号を、直交復調によりベースバンド信号（baseband signal）に変換し（ダウンコンバート：down convert）、不要な周波数
成分を除去する。ＲＦ部３２は、処理をしたアナログ信号をベースバンド部に出力する。
【００６０】
ベースバンド部３３は、ＲＦ部３２から入力されたアナログ信号（analog signal）
をディジタル信号（digital signal）に変換する。ベースバンド部３３は、変換したディジタル信号からＣＰ（Cyclic Prefix）に相当する部分を除去し、ＣＰを除去した信号に
対して高速フーリエ変換（FFT:Fast Fourier Transform）を行い、周波数領域の信号を抽出する。
【００６１】
ベースバンド部３３は、データを逆高速フーリエ変換（IFFT:Inverse Fast Fourier Transform）して、ＯＦＤＭシンボルを生成し、生成されたＯＦＤＭシンボルにＣＰを付加
し、ベースバンドのディジタル信号を生成し、ベースバンドのディジタル信号をアナログ信号に変換する。ベースバンド部３３は、変換したアナログ信号をＲＦ部３２に出力する。
【００６２】
ＲＦ部３２は、ローパスフィルタを用いてベースバンド部３３から入力されたアナログ信号から余分な周波数成分を除去し、アナログ信号を搬送波周波数にアップコンバート（up convert）し、アンテナ部３１を介して送信する。また、ＲＦ部３２は送信電力を制御する機能を備えてもよい。ＲＦ部３２を送信電力制御部とも称する。
【００６３】
端末装置１に対して、１または複数のサービングセル（または、コンポーネントキャリア、下りリンクコンポーネントキャリア、上りリンクコンポーネントキャリア）が設定されてもよい。
【００６４】
端末装置１に対して設定されるサービングセルのそれぞれは、ＰＣｅｌｌ（Primary cell、プライマリセル）、ＰＳＣｅｌｌ（Primary SCG cell、プライマリＳＣＧセル）、および、ＳＣｅｌｌ（Secondary Cell、セカンダリセル）のいずれかであってもよい。
【００６５】
ＰＣｅｌｌは、ＭＣＧ（Master Cell Group）に含まれるサービングセルである。ＰＣ
ｅｌｌは、端末装置１によって初期接続確立手順（initial connection establishment procedure）、または、接続再確立手順（connection re-establishment procedure）を実
施するセル（実施されたセル）である。
【００６６】
ＰＳＣｅｌｌは、ＳＣＧ（Secondary Cell Group）に含まれるサービングセルである。ＰＳＣｅｌｌは、同期を伴う再設定手順（Reconfiration with synchronization）において、端末装置１によってランダムアクセスが実施されるサービングセルである。
【００６７】
ＳＣｅｌｌは、ＭＣＧ、または、ＳＣＧのいずれに含まれてもよい。
【００６８】
サービングセルグループ（セルグループ）は、ＭＣＧ、および、ＳＣＧを少なくとも含む呼称である。サービングセルグループは、１または複数のサービングセル（または、コンポーネントキャリア）を含んでもよい。サービングセルグループに含まれる１または複数のサービングセル（または、コンポーネントキャリア）は、キャリアアグリゲーションにより運用されてもよい。
【００６９】
サービングセル（または、下りリンクコンポーネントキャリア）のそれぞれに対して１または複数の下りリンクＢＷＰが設定されてもよい。サービングセル（または、上りリンクコンポーネントキャリア）のそれぞれに対して１または複数の上りリンクＢＷＰが設定されてもよい。
【００７０】
サービングセル（または、下りリンクコンポーネントキャリア）に対して設定される１または複数の下りリンクＢＷＰのうち、１つの下りリンクＢＷＰがアクティブ下りリンクＢＷＰに設定されてもよい（または、１つの下りリンクＢＷＰがアクティベートされてもよい）。サービングセル（または、上りリンクコンポーネントキャリア）に対して設定される１または複数の上りリンクＢＷＰのうち、１つの上りリンクＢＷＰがアクティブ上りリンクＢＷＰに設定されてもよい（または、１つの上りリンクＢＷＰがアクティベートされてもよい）。
【００７１】
ＰＤＳＣＨ、ＰＤＣＣＨ、および、ＣＳＩ−ＲＳは、アクティブ下りリンクＢＷＰにおいて受信されてもよい。端末装置１は、アクティブ下りリンクＢＷＰにおいてＰＤＳＣＨ、ＰＤＣＣＨ、および、ＣＳＩ−ＲＳを受信してもよい。ＰＵＣＣＨ、および、ＰＵＳＣＨは、アクティブ上りリンクＢＷＰにおいて送信されてもよい。端末装置１は、アクティブ上りリンクＢＷＰにおいてＰＵＣＣＨ、および、ＰＵＳＣＨを送信してもよい。アクティブ下りリンクＢＷＰ、および、アクティブ上りリンクＢＷＰは、アクティブＢＷＰとも
呼称される。
【００７２】
ＰＤＳＣＨ、ＰＤＣＣＨ、および、ＣＳＩ−ＲＳは、アクティブ下りリンクＢＷＰ以外の下りリンクＢＷＰ（インアクティブ下りリンクＢＷＰ）において受信されなくてもよい。端末装置１は、アクティブ下りリンクＢＷＰ以外の下りリンクＢＷＰにおいてＰＤＳＣＨ、ＰＤＣＣＨ、および、ＣＳＩ−ＲＳを受信しなくてもよい。ＰＵＣＣＨ、および、ＰＵＳＣＨは、アクティブ上りリンクＢＷＰ以外の上りリンクＢＷＰ（インアクティブ上りリンクＢＷＰ）において送信されなくてもよい。端末装置１は、アクティブ上りリンクＢＷＰ以外の上りリンクＢＷＰにおいてＰＵＣＣＨ、および、ＰＵＳＣＨを送信しなくてもよい。インアクティブ下りリンクＢＷＰ、および、インアクティブ上りリンクＢＷＰは、インアクティブＢＷＰとも呼称される。
【００７３】
下りリンクのＢＷＰ切り替え（BWP switch）は、１つのアクティブ下りリンクＢＷＰをディアクティベート（deactivate）し、該１つのアクティブ下りリンクＢＷＰ以外のインアクティブ下りリンクＢＷＰのいずれかをアクティベート（activate）するために用いられる。下りリンクのＢＷＰ切り替えは、下りリンク制御情報に含まれるＢＷＰフィールドにより制御されてもよい。下りリンクのＢＷＰ切り替えは、上位層のパラメータに基づき制御されてもよい。
【００７４】
上りリンクのＢＷＰ切り替えは、１つのアクティブ上りリンクＢＷＰをディアクティベート（deactivate）し、該１つのアクティブ上りリンクＢＷＰ以外のインアクティブ上りリンクＢＷＰのいずれかをアクティベート（activate）するために用いられる。上りリンクのＢＷＰ切り替えは、下りリンク制御情報に含まれるＢＷＰフィールドにより制御されてもよい。上りリンクのＢＷＰ切り替えは、上位層のパラメータに基づき制御されてもよい。
【００７５】
サービングセルに対して設定される１または複数の下りリンクＢＷＰのうち、２つ以上の下りリンクＢＷＰがアクティブ下りリンクＢＷＰに設定されなくてもよい。サービングセルに対して、ある時間において、１つの下りリンクＢＷＰがアクティブであってもよい。
【００７６】
サービングセルに対して設定される１または複数の上りリンクＢＷＰのうち、２つ以上の上りリンクＢＷＰがアクティブ上りリンクＢＷＰに設定されなくてもよい。サービングセルに対して、ある時間において、１つの上りリンクＢＷＰがアクティブであってもよい。
【００７７】
図６は、本実施形態の一態様に係る端末装置１の構成例を示す概略ブロック図である。図６に示されるように、端末装置１は、無線送受信部（物理層処理部）１０、および、上位層処理部１４の一または全部を少なくとも含む。無線送受信部１０は、アンテナ部１１、ＲＦ部１２、および、ベースバンド部１３の一部または全部を少なくとも含む。上位層処理部１４は、媒体アクセス制御層処理部１５、および、無線リソース制御層処理部１６の一部または全部を少なくとも含む。
【００７８】
無線送受信部１０は、無線送信部１０ａ、および、無線受信部１０ｂの一部または全部を少なくとも含む。ここで、無線送信部１０ａに含まれるベースバンド部１３と無線受信部１０ｂに含まれるベースバンド部１３の装置構成は同一であってもよいし、異なってもよい。また、無線送信部１０ａに含まれるＲＦ部１２と無線受信部１０ｂに含まれるＲＦ部１２の装置構成は同一であってもよいし、異なってもよい。また、無線送信部１０ａに含まれるアンテナ部１１と無線受信部１０ｂに含まれるアンテナ部１１の装置構成は同一であってもよいし、異なってもよい。
【００７９】
例えば、無線送信部１０ａは、ＰＲＡＣＨのベースバンド信号を生成し、送信してもよい。例えば、無線送信部１０ａは、ＰＵＣＣＨのベースバンド信号を生成し、送信してもよい。無線送信部１０ａは、ＰＵＳＣＨのベースバンド信号を生成し、送信してもよい。例えば、無線送信部１０ａは、ＰＵＣＣＨ  ＤＭＲＳのベースバンド信号を生成し、送信してもよい。例えば、無線送信部１０ａは、ＰＵＳＣＨ  ＤＭＲＳのベースバンド信号を生成し、送信してもよい。例えば、無線送信部１０ａは、ＵＬ  ＰＴＲＳのベースバンド信号を生成し、送信してもよい。例えば、無線送信部１０ａは、ＳＲＳのベースバンド信号を生成し、送信してもよい。
【００８０】
例えば、無線受信部１０ｂは、ＰＤＳＣＨを受信し、復調してもよい。例えば、無線受信部１０ｂは、ＰＤＣＣＨを受信し、復調してもよい。例えば、無線受信部１０ｂは、ＰＢＣＨを受信し、復調してもよい。例えば、無線受信部１０ｂは、同期信号を受信してもよい。例えば、無線受信部１０ｂは、ＰＤＳＣＨ  ＤＭＲＳを受信してもよい。例えば、無線受信部１０ｂは、ＰＤＣＣＨ  ＤＭＲＳを受信してもよい。例えば、無線受信部１０ｂは、ＣＳＩ−ＲＳを受信してもよい。例えば、無線受信部１０ｂは、ＤＬ  ＰＴＲＳを受信してもよい。
【００８１】
上位層処理部１４は、上りリンクデータ（トランスポートブロック）を、無線送受信部１０（または、無線送信部１０ａ）に出力する。上位層処理部１４は、ＭＡＣ層、パケットデータ統合プロトコル層、無線リンク制御層、ＲＲＣ層の処理を行なう。
【００８２】
上位層処理部１４が備える媒体アクセス制御層処理部１５は、ＭＡＣ層の処理を行う。
【００８３】
上位層処理部１４が備える無線リソース制御層処理部１６は、ＲＲＣ層の処理を行う。無線リソース制御層処理部１６は、端末装置１の各種設定情報／パラメータ（ＲＲＣパラメータ）の管理をする。無線リソース制御層処理部１６は、基地局装置３から受信したＲＲＣメッセージに基づいてＲＲＣパラメータをセットする。
【００８４】
無線送受信部１０（または、無線送信部１０ａ）は、変調、符号化などの処理を行う。無線送受信部１０（または、無線送信部１０ａ）は、上りリンクデータを変調、符号化、ベースバンド信号生成（時間連続信号への変換）することによって物理信号を生成し、基地局装置３に送信する。無線送受信部１０（または、無線送信部１０ａ）は、物理信号をあるＢＷＰ（アクティブ上りリンクＢＷＰ）に配置し、基地局装置３に送信してもよい。
【００８５】
無線送受信部１０（または、無線受信部１０ｂ）は、復調、復号化などの処理を行う。無線送受信部１０（または、無線受信部３０ｂ）は、あるサービングセルのあるＢＷＰ（アクティブ下りリンクＢＷＰ）において、物理信号を受信してもよい。無線送受信部１０（または、無線受信部１０ｂ）は、受信した物理信号を、分離、復調、復号し、復号した情報を上位層処理部１４に出力する。無線送受信部１０（無線受信部１０ｂ）は物理信号の送信に先立ってチャネルアクセス手順を実施してもよい。
【００８６】
ＲＦ部１２は、アンテナ部１１を介して受信した信号を、直交復調によりベースバンド信号に変換し（ダウンコンバート：ｄｏｗｎ  ｃｏｎｖｅｒｔ）、不要な周波数成分を除去する。ＲＦ部１２は、処理をしたアナログ信号をベースバンド部１３に出力する。
【００８７】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【００８８】
ベースバンド部１３は、上りリンクデータを逆高速フーリエ変換（IFFT:Inverse Fast Fourier Transform）して、ＯＦＤＭシンボルを生成し、生成されたＯＦＤＭシンボルに
ＣＰを付加し、ベースバンドのディジタル信号を生成し、ベースバンドのディジタル信号をアナログ信号に変換する。ベースバンド部１３は、変換したアナログ信号をＲＦ部１２に出力する。
【００８９】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は送信電力を制御する機能を備えてもよい。ＲＦ部１２を送信電力制御部とも称する。
【００９０】
以下、物理信号（信号）について説明を行う。
【００９１】
物理信号は、下りリンク物理チャネル、下りリンク物理シグナル、上りリンク物理チャネル、および、上りリンク物理チャネルの総称である。物理チャネルは、下りリンク物理チャネル、および、上りリンク物理チャネルの総称である。物理シグナルは、下りリンク物理シグナル、および、上りリンク物理シグナルの総称である。
【００９２】
上りリンク物理チャネルは、上位層において発生する情報を運ぶリソースエレメントのセットに対応してもよい。上りリンク物理チャネルは、上りリンクコンポーネントキャリアにおいて用いられる物理チャネルであってもよい。上りリンク物理チャネルは、端末装置１によって送信されてもよい。上りリンク物理チャネルは、基地局装置３によって受信されてもよい。本実施形態の一態様に係る無線通信システムにおいて、少なくとも下記の一部または全部の上りリンク物理チャネルが用いられてもよい。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００９３】
ＰＵＣＣＨは、上りリンク制御情報（UCI:Uplink Control Information）を送信するために用いられてもよい。ＰＵＣＣＨは、上りリンク制御情報を伝達（deliver, transmission, convey）するために送信されてもよい。上りリンク制御情報は、ＰＵＣＣＨに配置
（map）されてもよい。端末装置１は、上りリンク制御情報が配置されたＰＵＣＣＨを送
信してもよい。基地局装置３は、上りリンク制御情報が配置されたＰＵＣＣＨを受信してもよい。
【００９４】
上りリンク制御情報（上りリンク制御情報ビット、上りリンク制御情報系列、上りリンク制御情報タイプ）は、チャネル状態情報（CSI:Channel State Information）、スケジ
ューリングリクエスト（SR:Scheduling Request）、ＨＡＲＱ−ＡＣＫ（Hybrid Automatic Repeat request ACKnowledgement）情報の一部または全部を少なくとも含む。
【００９５】
チャネル状態情報は、チャネル状態情報ビット、または、チャネル状態情報系列とも呼称される。スケジューリングリクエストは、スケジューリングリクエストビット、または、スケジューリングリクエスト系列とも呼称される。ＨＡＲＱ−ＡＣＫ情報は、ＨＡＲＱ−ＡＣＫ情報ビット、または、ＨＡＲＱ−ＡＣＫ情報系列とも呼称される。
【００９６】
ＨＡＲＱ−ＡＣＫ情報は、トランスポートブロック（または、TB:Transport block， MAC PDU:Medium Access Control Protocol Data Unit， DL-SCH:Downlink-Shared Channel， UL-SCH:Uplink-Shared Channel， PDSCH:Physical Downlink Shared Channel, PUSCH:Physical Uplink Shared CHannel）に対応するＨＡＲＱ−ＡＣＫを少なくとも含んでもよ
い。ＨＡＲＱ−ＡＣＫは、トランスポートブロックに対応するＡＣＫ（acknowledgement
）またはＮＡＣＫ（negative-acknowledgement）を示してもよい。ＡＣＫは、トランスポートブロックの復号が成功裏に完了していること（has been decoded）を示してもよい。ＮＡＣＫは、トランスポートブロックの復号が成功裏に完了していないこと（has not been decoded）を示してもよい。ＨＡＲＱ−ＡＣＫ情報は、１または複数のＨＡＲＱ−ＡＣＫビットを含むＨＡＲＱ−ＡＣＫコードブックを含んでもよい。
【００９７】
ＨＡＲＱ−ＡＣＫ情報と、トランスポートブロックが対応することは、該ＨＡＲＱ−ＡＣＫ情報と、該トランスポートブロックの伝達に用いられるＰＤＳＣＨが対応することを意味してもよい。
【００９８】
ＨＡＲＱ−ＡＣＫは、トランスポートブロックに含まれる１つのＣＢＧ（Code Block Group）に対応するＡＣＫまたはＮＡＣＫを示してもよい。
【００９９】
スケジューリングリクエストは、初期送信（new transmission）のためのＰＵＳＣＨ（または、ＵＬ−ＳＣＨ）のリソースを要求するために少なくとも用いられてもよい。スケジューリングリクエストビットは、正のＳＲ（positive SR）または、負のＳＲ（negative SR）のいずれかを示すために用いられてもよい。スケジューリングリクエストビットが正のＳＲを示すことは、“正のＳＲが送信される”とも呼称される。正のＳＲは、端末装置１によって初期送信のためのＰＵＳＣＨ（または、ＵＬ−ＳＣＨ）のリソースが要求されることを示してもよい。正のＳＲは、上位層によりスケジューリングリクエストがトリガされることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨ（または、ＵＬ−ＳＣＨ）のリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【０１００】
チャネル状態情報は、チャネル品質指標（CQI: Channel Quality Indicator）、プレコーダ行列指標（PMI:Precoder Matrix Indicator）、および、ランク指標（RI: Rank Indicator）の一部または全部を少なくとも含んでもよい。ＣＱＩは、伝搬路の品質（例えば
、伝搬強度）、または、物理チャネルの品質に関連する指標であり、ＰＭＩは、プレコーダに関連する指標である。ＲＩは、送信ランク（または、送信レイヤ数）に関連する指標である。
【０１０１】
チャネル状態情報は、チャネル測定のために少なくとも用いられる物理信号（例えば、ＣＳＩ−ＲＳ）を受信することに少なくとも基づき与えられてもよい。チャネル状態情報は、チャネル測定のために少なくとも用いられる物理信号を受信することに少なくとも基づき、端末装置１によって選択されてもよい。チャネル測定は、干渉測定を含んでもよい。
【０１０２】
ＰＵＣＣＨは、ＰＵＣＣＨフォーマットに対応してもよい。ＰＵＣＣＨは、ＰＵＣＣＨフォーマットを伝達するために用いられるリソースエレメントのセットであってもよい。ＰＵＣＣＨは、ＰＵＣＣＨフォーマットを含んでもよい。
【０１０３】
ＰＵＳＣＨは、トランスポートブロック、および／または、上りリンク制御情報を送信するために用いられてもよい。ＰＵＳＣＨは、ＵＬ−ＳＣＨに対応するトランスポートブロック、および／または、上りリンク制御情報を送信するために用いられてもよい。ＰＵＳＣＨは、トランスポートブロック、および／または、上りリンク制御情報を伝達するた
めに用いられてもよい。ＰＵＳＣＨは、ＵＬ−ＳＣＨに対応するトランスポートブロック、および／または、上りリンク制御情報を伝達するために用いられてもよい。トランスポートブロックは、ＰＵＳＣＨに配置されてもよい。ＵＬ−ＳＣＨに対応するトランスポートブロックは、ＰＵＳＣＨに配置されてもよい。上りリンク制御情報は、ＰＵＳＣＨに配置されてもよい。端末装置１は、トランスポートブロック、および／または、上りリンク制御情報が配置されたＰＵＳＣＨを送信してもよい。基地局装置３は、トランスポートブロック、および／または、上りリンク制御情報が配置されたＰＵＳＣＨを受信してもよい。
【０１０４】
ＰＲＡＣＨは、ランダムアクセスプリアンブルを送信するために用いられてもよい。ＰＲＡＣＨは、ランダムアクセスプリアンブルを伝達するために用いられてもよい。ＰＲＡＣＨの系列ｘｕ，ｖ（ｎ）は、ｘｕ，ｖ（ｎ）＝ｘｕ（ｍｏｄ（ｎ＋Ｃｖ，ＬＲＡ））によって定義される。ｘｕはＺＣ（Zadoff Chu）系列であってもよい。ｘｕはｘｕ＝ｅｘｐ（−ｊπｕｉ（ｉ＋１）／ＬＲＡ）によって定義される。ｊは虚数単位である。また、πは円周率である。Ｃｖは、ＰＲＡＣＨ系列のサイクリックシフト（cyclic shift）に対応する。ＬＲＡは、ＰＲＡＣＨ系列の長さに対応する。ＬＲＡは、８３９、または、１３９である。ｉは、０からＬＲＡ−１の範囲の整数である。ｕはＰＲＡＣＨ系列のための系列インデックスである。端末装置１は、ＰＲＡＣＨを送信してもよい。基地局装置３は、ＰＲＡＣＨを受信してもよい。
【０１０５】
あるＰＲＡＣＨ機会に対して、６４個のランダムアクセスプリアンブルが定義される。ランダムアクセスプリアンブルは、ＰＲＡＣＨ系列のサイクリックシフトＣｖ、および、ＰＲＡＣＨ系列のための系列インデックスｕに少なくとも基づき特定される（決定される、与えられる）。
【０１０６】
上りリンク物理シグナルは、リソースエレメントのセットに対応してもよい。上りリンク物理シグナルは、上位層において発生する情報を運ばなくてもよい。上りリンク物理シグナルは、上りリンクコンポーネントキャリアにおいて用いられる物理シグナルであってもよい。端末装置１は、上りリンク物理シグナルを送信してもよい。基地局装置３は、上りリンク物理シグナルを受信してもよい。本実施形態の一態様に係る無線通信システムにおいて、少なくとも下記の一部または全部の上りリンク物理シグナルが用いられてもよい。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【０１０７】
ＵＬ  ＤＭＲＳは、ＰＵＳＣＨのためのＤＭＲＳ、および、ＰＵＣＣＨのためのＤＭＲＳの総称である。
【０１０８】
ＰＵＳＣＨのためのＤＭＲＳ（ＰＵＳＣＨに関連するＤＭＲＳ、ＰＵＳＣＨに含まれるＤＭＲＳ、ＰＵＳＣＨに対応するＤＭＲＳ）のアンテナポートのセットは、該ＰＵＳＣＨのためのアンテナポートのセットに基づき与えられてもよい。つまり、ＰＵＳＣＨのためのＤＭＲＳのアンテナポートのセットは、該ＰＵＳＣＨのアンテナポートのセットと同じであってもよい。
【０１０９】
ＰＵＳＣＨの送信と、該ＰＵＳＣＨのためのＤＭＲＳの送信は、１つのＤＣＩフォーマットにより示されてもよい（または、スケジューリングされてもよい）。ＰＵＳＣＨと、該ＰＵＳＣＨのためのＤＭＲＳは、まとめてＰＵＳＣＨと呼称されてもよい。ＰＵＳＣＨを送信することは、ＰＵＳＣＨと、該ＰＵＳＣＨのためのＤＭＲＳを送信することであってもよい。
【０１１０】
ＰＵＳＣＨは、該ＰＵＳＣＨのためのＤＭＲＳから推定されてもよい。つまり、ＰＵＳＣＨの伝搬路（propagation path）は、該ＰＵＳＣＨのためのＤＭＲＳから推定されてもよい。
【０１１１】
ＰＵＣＣＨのためのＤＭＲＳ（ＰＵＣＣＨに関連するＤＭＲＳ、ＰＵＣＣＨに含まれるＤＭＲＳ、ＰＵＣＣＨに対応するＤＭＲＳ）のアンテナポートのセットは、ＰＵＣＣＨのアンテナポートのセットと同一であってもよい。
【０１１２】
ＰＵＣＣＨの送信と、該ＰＵＣＣＨのためのＤＭＲＳの送信は、１つのＤＣＩフォーマットにより示されてもよい（または、トリガされてもよい）。ＰＵＣＣＨのリソースエレメントへのマッピング（resource element mapping）、および／または、該ＰＵＣＣＨのためのＤＭＲＳのリソースエレメントへのマッピングは、１つのＰＵＣＣＨフォーマットにより与えられてもよい。ＰＵＣＣＨと、該ＰＵＣＣＨのためのＤＭＲＳは、まとめてＰＵＣＣＨと呼称されてもよい。ＰＵＣＣＨを送信することは、ＰＵＣＣＨと、該ＰＵＣＣＨのためのＤＭＲＳを送信することであってもよい。
【０１１３】
ＰＵＣＣＨは、該ＰＵＣＣＨのためのＤＭＲＳから推定されてもよい。つまり、ＰＵＣＣＨの伝搬路は、該ＰＵＣＣＨのためのＤＭＲＳから推定されてもよい。
【０１１４】
下りリンク物理チャネルは、上位層において発生する情報を運ぶリソースエレメントのセットに対応してもよい。下りリンク物理チャネルは、下りリンクコンポーネントキャリアにおいて用いられる物理チャネルであってもよい。基地局装置３は、下りリンク物理チャネルを送信してもよい。端末装置１は、下りリンク物理チャネルを受信してもよい。本実施形態の一態様に係る無線通信システムにおいて、少なくとも下記の一部または全部の下りリンク物理チャネルが用いられてもよい。
・ＰＢＣＨ（Physical Broadcast Channel）
・ＰＤＣＣＨ（Physical Downlink Control Channel）
・ＰＤＳＣＨ（Physical Downlink Shared Channel）
【０１１５】
ＰＢＣＨは、ＭＩＢ（MIB: Master Information Block）、および／または、物理層制
御情報を送信するために用いられてもよい。ＰＢＣＨは、ＭＩＢ、および／または、物理層制御情報を伝達（deliver, transmission, convey）するために送信されてもよい。Ｂ
ＣＨは、ＰＢＣＨに配置（map）されてもよい。端末装置１は、ＭＩＢ、および／または
、物理層制御情報が配置されたＰＢＣＨを受信してもよい。基地局装置３は、ＭＩＢ、および／または、物理層制御情報が配置されたＰＢＣＨを送信してもよい。物理層制御情報は、ＰＢＣＨペイロード、タイミングに関係するＰＢＣＨペイロードとも呼称される。ＭＩＢは、１または複数の上位層パラメータを含んでもよい。
【０１１６】
物理層制御情報は、８ビットを含む。物理層制御情報は、下記の０Ａから０Ｄの一部または全部を少なくとも含んでもよい。
０Ａ）無線フレームビット
０Ｂ）ハーフ無線フレーム（ハーフシステムフレーム、ハーフフレーム）ビット
０Ｃ）ＳＳ／ＰＢＣＨブロックインデックスビット
０Ｄ）サブキャリアオフセットビット
【０１１７】
無線フレームビットは、ＰＢＣＨが送信される無線フレーム（ＰＢＣＨが送信されるスロットを含む無線フレーム）を示すために用いられる。無線フレームビットは、４ビットを含む。無線フレームビットは、１０ビットの無線フレーム指示子のうちの４ビットにより構成されてもよい。例えば、無線フレーム指示子は、インデックス０からインデックス
１０２３までの無線フレームを特定するために少なくとも用いられてもよい。
【０１１８】
ハーフ無線フレームビットは、ＰＢＣＨが送信される無線フレームのうち、該ＰＢＣＨが前半の５つのサブフレーム、または、後半の５つのサブフレームのどちらで送信されるかを示すために用いられる。ここで、ハーフ無線フレームは、５つのサブフレームを含んで構成されてもよい。また、ハーフ無線フレームは、無線フレームに含まれる１０つのサブフレームのうち、前半の５つのサブフレームにより構成されてもよい。また、ハーフ無線フレームは、無線フレームに含まれる１０つのサブフレームのうち、後半の５つのサブフレームにより構成されてもよい。
【０１１９】
ＳＳ／ＰＢＣＨブロックインデックスビットは、ＳＳ／ＰＢＣＨブロックインデックスを示すために用いられる。ＳＳ／ＰＢＣＨブロックインデックスビットは、３ビットを含む。ＳＳ／ＰＢＣＨブロックインデックスビットは、６ビットのＳＳ／ＰＢＣＨブロックインデックス指示子のうちの３ビットにより構成されてもよい。ＳＳ／ＰＢＣＨブロックインデックス指示子は、インデックス０からインデックス６３までのＳＳ／ＰＢＣＨブロックを特定するために少なくとも用いられてもよい。
【０１２０】
サブキャリアオフセットビットは、サブキャリアオフセットを示すために用いられる。サブキャリアオフセットは、ＰＢＣＨがマッピングされる先頭のサブキャリアと、インデックス０の制御リソースセットがマッピングされる先頭のサブキャリアの間の差を示すために用いられてもよい。
【０１２１】
ＰＤＣＣＨは、下りリンク制御情報（DCI:Downlink Control Information）を送信するために用いられてもよい。ＰＤＣＣＨは、下りリンク制御情報を伝達（deliver, transmission, convey）するために送信されてもよい。下りリンク制御情報は、ＰＤＣＣＨに配
置（map）されてもよい。端末装置１は、下りリンク制御情報が配置されたＰＤＣＣＨを
受信してもよい。基地局装置３は、下りリンク制御情報が配置されたＰＤＣＣＨを送信してもよい。
【０１２２】
下りリンク制御情報は、ＤＣＩフォーマットに対応してもよい。下りリンク制御情報は、ＤＣＩフォーマットに含まれてもよい。下りリンク制御情報は、ＤＣＩフォーマットの各フィールドに配置されてもよい。
【０１２３】
ＤＣＩフォーマット０＿０、ＤＣＩフォーマット０＿１、ＤＣＩフォーマット１＿０、および、ＤＣＩフォーマット１＿１は、それぞれ異なるフィールドのセットを含むＤＣＩフォーマットである。上りリンクＤＣＩフォーマットは、ＤＣＩフォーマット０＿０、および、ＤＣＩフォーマット０＿１の総称である。下りリンクＤＣＩフォーマットは、ＤＣＩフォーマット１＿０、および、ＤＣＩフォーマット１＿１の総称である。
【０１２４】
ＤＣＩフォーマット０＿０は、あるセルの（または、あるセルに配置される）ＰＵＳＣＨのスケジューリングのために少なくとも用いられる。ＤＣＩフォーマット０＿０は、１Ａから１Ｅのフィールドの一部または全部を少なくとも含んで構成される。
１Ａ）ＤＣＩフォーマット特定フィールド（Identifier field for DCI formats）
１Ｂ）周波数領域リソース割り当てフィールド（Frequency domain resource assignment
field）
１Ｃ）時間領域リソース割り当てフィールド（Time domain resource assignment field
）
１Ｄ）周波数ホッピングフラグフィールド（Frequency hopping flag field）
１Ｅ）ＭＣＳフィールド（MCS field: Modulation and Coding Scheme field）
【０１２５】
ＤＣＩフォーマット特定フィールドは、該ＤＣＩフォーマット特定フィールドを含むＤＣＩフォーマットが上りリンクＤＣＩフォーマットであるか下りリンクＤＣＩフォーマットであるかを示してもよい。ＤＣＩフォーマット０＿０に含まれるＤＣＩフォーマット特定フィールドは、０を示してもよい（または、ＤＣＩフォーマット０＿０が上りリンクＤＣＩフォーマットであることを示してもよい）。
【０１２６】
ＤＣＩフォーマット０＿０に含まれる周波数領域リソース割り当てフィールドは、ＰＵＳＣＨのための周波数リソースの割り当てを示すために少なくとも用いられてもよい。
【０１２７】
ＤＣＩフォーマット０＿０に含まれる時間領域リソース割り当てフィールドは、ＰＵＳＣＨのための時間リソースの割り当てを示すために少なくとも用いられてもよい。
【０１２８】
周波数ホッピングフラグフィールドは、ＰＵＳＣＨに対して周波数ホッピングが適用されるか否かを示すために少なくとも用いられてもよい。
【０１２９】
ＤＣＩフォーマット０＿０に含まれるＭＣＳフィールドは、ＰＵＳＣＨのための変調方式、および／または、ターゲット符号化率の一部または全部を示すために少なくとも用いられてもよい。該ターゲット符号化率は、ＰＵＳＣＨのトランスポートブロックのためのターゲット符号化率であってもよい。ＰＵＳＣＨのトランスポートブロックのサイズ（TBS: Transport Block Size）は、該ターゲット符号化率、および、該ＰＵＳＣＨのための
変調方式の一部または全部に少なくとも基づき与えられてもよい。
【０１３０】
ＤＣＩフォーマット０＿０は、ＣＳＩ要求（ＣＳＩリクエスト）に用いられるフィールドを含まなくてもよい。つまり、ＤＣＩフォーマット０＿０によってＣＳＩが要求されなくてもよい。
【０１３１】
ＤＣＩフォーマット０＿０は、キャリアインディケータフィールドを含まなくてもよい。つまり、ＤＣＩフォーマット０＿０によってスケジューリングされるＰＵＳＣＨが配置される上りリンクコンポーネントキャリアは、該ＤＣＩフォーマット０＿０を含むＰＤＣＣＨが配置される上りリンクコンポーネントキャリアと同一であってもよい。
【０１３２】
ＤＣＩフォーマット０＿０は、ＢＷＰフィールドを含まなくてもよい。つまり、ＤＣＩフォーマット０＿０によってスケジューリングされるＰＵＳＣＨが配置される上りリンクＢＷＰは、該ＤＣＩフォーマット０＿０を含むＰＤＣＣＨが配置される上りリンクＢＷＰと同一であってもよい。
【０１３３】
ＤＣＩフォーマット０＿１は、あるセルの（あるセルに配置される）ＰＵＳＣＨのスケジューリングのために少なくとも用いられる。ＤＣＩフォーマット０＿１は、２Ａから２Ｈのフィールドの一部または全部を少なくとも含んで構成される。
２Ａ）ＤＣＩフォーマット特定フィールド
２Ｂ）周波数領域リソース割り当てフィールド
２Ｃ）上りリンクの時間領域リソース割り当てフィールド
２Ｄ）周波数ホッピングフラグフィールド
２Ｅ）ＭＣＳフィールド
２Ｆ）ＣＳＩリクエストフィールド（CSI request field）
２Ｇ）ＢＷＰフィールド（BWP field）
２Ｈ）キャリアインディケータフィールド（Carrier indicator field）
【０１３４】
ＤＣＩフォーマット０＿１に含まれるＤＣＩフォーマット特定フィールドは、０を示してもよい（または、ＤＣＩフォーマット０＿１が上りリンクＤＣＩフォーマットであるこ
とを示してもよい）。
【０１３５】
ＤＣＩフォーマット０＿１に含まれる周波数領域リソース割り当てフィールドは、ＰＵＳＣＨのための周波数リソースの割り当てを示すために少なくとも用いられてもよい。
【０１３６】
ＤＣＩフォーマット０＿１に含まれる時間領域リソース割り当てフィールドは、ＰＵＳＣＨのための時間リソースの割り当てを示すために少なくとも用いられてもよい。
【０１３７】
ＤＣＩフォーマット０＿１に含まれるＭＣＳフィールドは、ＰＵＳＣＨのための変調方式、および／または、ターゲット符号化率の一部または全部を示すために少なくとも用いられてもよい。
【０１３８】
ＤＣＩフォーマット０＿１にＢＷＰフィールドが含まれる場合、該ＢＷＰフィールドは、ＰＵＳＣＨが配置される上りリンクＢＷＰを示すために用いられてもよい。ＤＣＩフォーマット０＿１にＢＷＰフィールドが含まれない場合、ＰＵＳＣＨが配置される上りリンクＢＷＰは、該ＰＵＳＣＨのスケジューリングに用いられるＤＣＩフォーマット０＿１を含むＰＤＣＣＨが配置される上りリンクＢＷＰと同一であってもよい。ある上りリンクコンポーネントキャリアにおいて端末装置１に設定される上りリンクＢＷＰの数が２以上である場合、該ある上りリンクコンポーネントキャリアに配置されるＰＵＳＣＨのスケジューリングに用いられるＤＣＩフォーマット０＿１に含まれるＢＷＰフィールドのビット数は、１ビット以上であってもよい。ある上りリンクコンポーネントキャリアにおいて端末装置１に設定される上りリンクＢＷＰの数が１である場合、該ある上りリンクコンポーネントキャリアに配置されるＰＵＳＣＨのスケジューリングに用いられるＤＣＩフォーマット０＿１に含まれるＢＷＰフィールドのビット数は、０ビットであってもよい（または、該ある上りリンクコンポーネントキャリアに配置されるＰＵＳＣＨのスケジューリングに用いられるＤＣＩフォーマット０＿１にＢＷＰフィールドが含まれなくてもよい）。
【０１３９】
ＣＳＩリクエストフィールドは、ＣＳＩの報告を指示するために少なくとも用いられる。
【０１４０】
ＤＣＩフォーマット０＿１にキャリアインディケータフィールドが含まれる場合、該キャリアインディケータフィールドは、ＰＵＳＣＨが配置される上りリンクコンポーネントキャリアを示すために用いられてもよい。ＤＣＩフォーマット０＿１にキャリアインディケータフィールドが含まれない場合、ＰＵＳＣＨが配置される上りリンクコンポーネントキャリアは、該ＰＵＳＣＨのスケジューリングに用いられるＤＣＩフォーマット０＿１を含むＰＤＣＣＨが配置される上りリンクコンポーネントキャリアと同一であってもよい。あるサービングセルグループにおいて端末装置１に設定される上りリンクコンポーネントキャリアの数が２以上である場合（あるサービングセルグループにおいて上りリンクのキャリアアグリゲーションが運用される場合）、該あるサービングセルグループに配置されるＰＵＳＣＨのスケジューリングに用いられるＤＣＩフォーマット０＿１に含まれるキャリアインディケータフィールドのビット数は、１ビット以上（例えば、３ビット）であってもよい。あるサービングセルグループにおいて端末装置１に設定される上りリンクコンポーネントキャリアの数が１である場合（あるサービングセルグループにおいて上りリンクのキャリアアグリゲーションが運用されない場合）、該あるサービングセルグループに配置されるＰＵＳＣＨのスケジューリングに用いられるＤＣＩフォーマット０＿１に含まれるキャリアインディケータフィールドのビット数は、０ビットであってもよい（または、該あるサービングセルグループに配置されるＰＵＳＣＨのスケジューリングに用いられるＤＣＩフォーマット０＿１にキャリアインディケータフィールドが含まれなくてもよい）。
【０１４１】
ＤＣＩフォーマット１＿０は、あるセルの（あるセルに配置される）ＰＤＳＣＨのスケジューリングのために少なくとも用いられる。ＤＣＩフォーマット１＿０は、３Ａから３Ｆの一部または全部を少なくとも含んで構成される。
３Ａ）ＤＣＩフォーマット特定フィールド
３Ｂ）周波数領域リソース割り当てフィールド
３Ｃ）時間領域リソース割り当てフィールド
３Ｄ）ＭＣＳフィールド
３Ｅ）ＰＤＳＣＨ＿ＨＡＲＱフィードバックタイミング指示フィールド（PDSCH to HARQ feedback timing indicator field）
３Ｆ）ＰＵＣＣＨリソース指示フィールド（PUCCH resource indicator field）
【０１４２】
ＤＣＩフォーマット１＿０に含まれるＤＣＩフォーマット特定フィールドは、１を示してもよい（または、ＤＣＩフォーマット１＿０が下りリンクＤＣＩフォーマットであることを示してもよい）。
【０１４３】
ＤＣＩフォーマット１＿０に含まれる周波数領域リソース割り当てフィールドは、ＰＤＳＣＨのための周波数リソースの割り当てを示すために少なくとも用いられてもよい。
【０１４４】
ＤＣＩフォーマット１＿０に含まれる時間領域リソース割り当てフィールドは、ＰＤＳＣＨのための時間リソースの割り当てを示すために少なくとも用いられてもよい。
【０１４５】
ＤＣＩフォーマット１＿０に含まれるＭＣＳフィールドは、ＰＤＳＣＨのための変調方式、および／または、ターゲット符号化率の一部または全部を示すために少なくとも用いられてもよい。該ターゲット符号化率は、ＰＤＳＣＨのトランスポートブロックのためのターゲット符号化率であってもよい。ＰＤＳＣＨのトランスポートブロックのサイズ（TBS: Transport Block Size）は、該ターゲット符号化率、および、該ＰＤＳＣＨのための
変調方式の一部または全部に少なくとも基づき与えられてもよい。
【０１４６】
ＰＤＳＣＨ＿ＨＡＲＱフィードバックタイミング指示フィールドは、ＰＤＳＣＨの最後のＯＦＤＭシンボルが含まれるスロットから、ＰＵＣＣＨの先頭のＯＦＤＭシンボルが含まれるスロットまでのオフセットを示すために少なくとも用いられてもよい。
【０１４７】
ＰＵＣＣＨリソース指示フィールドは、ＰＵＣＣＨリソースセットに含まれる１または複数のＰＵＣＣＨリソースのうちのいずれかのインデックスを示すフィールドであってもよい。ＰＵＣＣＨリソースセットは、１または複数のＰＵＣＣＨリソースを含んでもよい。
【０１４８】
ＤＣＩフォーマット１＿０は、キャリアインディケータフィールドを含まなくてもよい。つまり、ＤＣＩフォーマット１＿０によってスケジューリングされるＰＤＳＣＨが配置される下りリンクコンポーネントキャリアは、該ＤＣＩフォーマット１＿０を含むＰＤＣＣＨが配置される下りリンクコンポーネントキャリアと同一であってもよい。
【０１４９】
ＤＣＩフォーマット１＿０は、ＢＷＰフィールドを含まなくてもよい。つまり、ＤＣＩフォーマット１＿０によってスケジューリングされるＰＤＳＣＨが配置される下りリンクＢＷＰは、該ＤＣＩフォーマット１＿０を含むＰＤＣＣＨが配置される下りリンクＢＷＰと同一であってもよい。
【０１５０】
ＤＣＩフォーマット１＿１は、あるセルの（または、あるセルに配置される）ＰＤＳＣＨのスケジューリングのために少なくとも用いられる。ＤＣＩフォーマット１＿１は、４Ａから４Ｉの一部または全部を少なくとも含んで構成される。
４Ａ）ＤＣＩフォーマット特定フィールド
４Ｂ）周波数領域リソース割り当てフィールド
４Ｃ）時間領域リソース割り当てフィールド
４Ｅ）ＭＣＳフィールド
４Ｆ）ＰＤＳＣＨ＿ＨＡＲＱフィードバックタイミング指示フィールド
４Ｇ）ＰＵＣＣＨリソース指示フィールド
４Ｈ）ＢＷＰフィールド
４Ｉ）キャリアインディケータフィールド
【０１５１】
ＤＣＩフォーマット１＿１に含まれるＤＣＩフォーマット特定フィールドは、１を示してもよい（または、ＤＣＩフォーマット１＿１が下りリンクＤＣＩフォーマットであることを示してもよい）。
【０１５２】
ＤＣＩフォーマット１＿１に含まれる周波数領域リソース割り当てフィールドは、ＰＤＳＣＨのための周波数リソースの割り当てを示すために少なくとも用いられてもよい。
【０１５３】
ＤＣＩフォーマット１＿１に含まれる時間領域リソース割り当てフィールドは、ＰＤＳＣＨのための時間リソースの割り当てを示すために少なくとも用いられてもよい。
【０１５４】
ＤＣＩフォーマット１＿１に含まれるＭＣＳフィールドは、ＰＤＳＣＨのための変調方式、および／または、ターゲット符号化率の一部または全部を示すために少なくとも用いられてもよい。
【０１５５】
ＤＣＩフォーマット１＿１にＰＤＳＣＨ＿ＨＡＲＱフィードバックタイミング指示フィールドが含まれる場合、該ＰＤＳＣＨ＿ＨＡＲＱフィードバックタイミング指示フィールドは、ＰＤＳＣＨの最後のＯＦＤＭシンボルが含まれるスロットから、ＰＵＣＣＨの先頭のＯＦＤＭシンボルが含まれるスロットまでのオフセットを示すために少なくとも用いられてもよい。ＤＣＩフォーマット１＿１にＰＤＳＣＨ＿ＨＡＲＱフィードバックタイミング指示フィールドが含まれない場合、ＰＤＳＣＨの最後のＯＦＤＭシンボルが含まれるスロットから、ＰＵＣＣＨの先頭のＯＦＤＭシンボルが含まれるスロットまでのオフセットは上位層のパラメータによって特定されてもよい。
【０１５６】
ＰＵＣＣＨリソース指示フィールドは、ＰＵＣＣＨリソースセットに含まれる１または複数のＰＵＣＣＨリソースのうちのいずれかのインデックスを示すフィールドであってもよい。
【０１５７】
ＤＣＩフォーマット１＿１にＢＷＰフィールドが含まれる場合、該ＢＷＰフィールドは、ＰＤＳＣＨが配置される下りリンクＢＷＰを示すために用いられてもよい。ＤＣＩフォーマット１＿１にＢＷＰフィールドが含まれない場合、ＰＤＳＣＨが配置される下りリンクＢＷＰは、該ＰＤＳＣＨのスケジューリングに用いられるＤＣＩフォーマット１＿１を含むＰＤＣＣＨが配置される下りリンクＢＷＰと同一であってもよい。ある下りリンクコンポーネントキャリアにおいて端末装置１に設定される下りリンクＢＷＰの数が２以上である場合、該ある下りリンクコンポーネントキャリアに配置されるＰＤＳＣＨのスケジューリングに用いられるＤＣＩフォーマット１＿１に含まれるＢＷＰフィールドのビット数は、１ビット以上であってもよい。ある下りリンクコンポーネントキャリアにおいて端末装置１に設定される下りリンクＢＷＰの数が１である場合、該ある下りリンクコンポーネントキャリアに配置されるＰＤＳＣＨのスケジューリングに用いられるＤＣＩフォーマット１＿１に含まれるＢＷＰフィールドのビット数は、０ビットであってもよい（または、該ある下りリンクコンポーネントキャリアに配置されるＰＤＳＣＨのスケジューリングに用いられるＤＣＩフォーマット１＿１にＢＷＰフィールドが含まれなくてもよい）。
【０１５８】
ＤＣＩフォーマット１＿１にキャリアインディケータフィールドが含まれる場合、該キャリアインディケータフィールドは、ＰＤＳＣＨが配置される下りリンクコンポーネントキャリアを示すために用いられてもよい。ＤＣＩフォーマット１＿１にキャリアインディケータフィールドが含まれない場合、ＰＤＳＣＨが配置される下りリンクコンポーネントキャリアは、該ＰＤＳＣＨのスケジューリングに用いられるＤＣＩフォーマット１＿１を含むＰＤＣＣＨが配置される下りリンクコンポーネントキャリアと同一であってもよい。あるサービングセルグループにおいて端末装置１に設定される下りリンクコンポーネントキャリアの数が２以上である場合（あるサービングセルグループにおいて下りリンクのキャリアアグリゲーションが運用される場合）、該あるサービングセルグループに配置されるＰＤＳＣＨのスケジューリングに用いられるＤＣＩフォーマット１＿１に含まれるキャリアインディケータフィールドのビット数は、１ビット以上（例えば、３ビット）であってもよい。あるサービングセルグループにおいて端末装置１に設定される下りリンクコンポーネントキャリアの数が１である場合（あるサービングセルグループにおいて下りリンクのキャリアアグリゲーションが運用されない場合）、該あるサービングセルグループに配置されるＰＤＳＣＨのスケジューリングに用いられるＤＣＩフォーマット１＿１に含まれるキャリアインディケータフィールドのビット数は、０ビットであってもよい（または、該あるサービングセルグループに配置されるＰＤＳＣＨのスケジューリングに用いられるＤＣＩフォーマット１＿１にキャリアインディケータフィールドが含まれなくてもよい）。
【０１５９】
ＰＤＳＣＨは、トランスポートブロックを送信するために用いられてもよい。ＰＤＳＣＨは、ＤＬ−ＳＣＨに対応するトランスポートブロックを送信するために用いられてもよい。ＰＤＳＣＨは、トランスポートブロックを伝達するために用いられてもよい。ＰＤＳＣＨは、ＤＬ−ＳＣＨに対応するトランスポートブロックを伝達するために用いられてもよい。トランスポートブロックは、ＰＤＳＣＨに配置されてもよい。ＤＬ−ＳＣＨに対応するトランスポートブロックは、ＰＤＳＣＨに配置されてもよい。基地局装置３は、ＰＤＳＣＨを送信してもよい。端末装置１は、ＰＤＳＣＨを受信してもよい。
【０１６０】
下りリンク物理シグナルは、リソースエレメントのセットに対応してもよい。下りリンク物理シグナルは、上位層において発生する情報を運ばなくてもよい。下りリンク物理シグナルは、下りリンクコンポーネントキャリアにおいて用いられる物理シグナルであってもよい。下りリンク物理シグナルは、基地局装置３により送信されてもよい。下りリンク物理シグナルは、端末装置１により送信されてもよい。本実施形態の一態様に係る無線通信システムにおいて、少なくとも下記の一部または全部の下りリンク物理シグナルが用いられてもよい。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
【０１６１】
同期信号は、端末装置１が下りリンクの周波数領域、および／または、時間領域の同期をとるために少なくとも用いられてもよい。同期信号は、ＰＳＳ（Primary Synchronization Signal）、および、ＳＳＳ（Secondary Synchronization Signal）の総称である。
【０１６２】
図７は、本実施形態の一態様に係るＳＳ／ＰＢＣＨブロックの構成例を示す図である。図７において、横軸は時間軸（ＯＦＤＭシンボルインデックスｌｓｙｍ）であり、縦軸は周波数領域を示す。また、斜線のブロックは、ＰＳＳのためのリソースエレメントのセットを示す。また、格子線のブロックはＳＳＳのためのリソースエレメントのセットを示す。また、横線のブロックは、ＰＢＣＨ、および、該ＰＢＣＨのためのＤＭＲＳ（ＰＢＣＨ
に関連するＤＭＲＳ、ＰＢＣＨに含まれるＤＭＲＳ、ＰＢＣＨに対応するＤＭＲＳ）のためのリソースエレメントのセットを示す。
【０１６３】
図７に示されるように、ＳＳ／ＰＢＣＨブロックは、ＰＳＳ、ＳＳＳ、および、ＰＢＣＨを含む。また、ＳＳ／ＰＢＣＨブロックは、連続する４つのＯＦＤＭシンボルを含む。ＳＳ／ＰＢＣＨブロックは、２４０サブキャリアを含む。ＰＳＳは、１番目のＯＦＤＭシンボルにおける５７番目から１８３番目のサブキャリアに配置される。ＳＳＳは、３番目のＯＦＤＭシンボルにおける５７番目から１８３番目のサブキャリアに配置される。１番目のＯＦＤＭシンボルの１番目から５６番目のサブキャリアはゼロがセットされてもよい。１番目のＯＦＤＭシンボルの１８４番目から２４０番目のサブキャリアはゼロがセットされてもよい。３番目のＯＦＤＭシンボルの４９番目から５６番目のサブキャリアはゼロがセットされてもよい。３番目のＯＦＤＭシンボルの１８４番目から１９２番目のサブキャリアはゼロがセットされてもよい。２番目のＯＦＤＭシンボルの１番目から２４０番目のサブキャリアであって、かつ、ＰＢＣＨのためのＤＭＲＳが配置されないサブキャリアにＰＢＣＨが配置される。３番目のＯＦＤＭシンボルの１番目から４８番目のサブキャリアであって、かつ、ＰＢＣＨのためのＤＭＲＳが配置されないサブキャリアにＰＢＣＨが配置される。３番目のＯＦＤＭシンボルの１９３番目から２４０番目のサブキャリアであって、かつ、ＰＢＣＨのためのＤＭＲＳが配置されないサブキャリアにＰＢＣＨが配置される。４番目のＯＦＤＭシンボルの１番目から２４０番目のサブキャリアであって、かつ、ＰＢＣＨのためのＤＭＲＳが配置されないサブキャリアにＰＢＣＨが配置される。
【０１６４】
ＰＳＳ、ＳＳＳ、ＰＢＣＨ、および、ＰＢＣＨのためのＤＭＲＳのアンテナポートは、同一であってもよい。
【０１６５】
あるアンテナポートにおけるＰＢＣＨのシンボルが伝達されるＰＢＣＨは、該ＰＢＣＨがマップされるスロットに配置されるＰＢＣＨのためのＤＭＲＳであって、該ＰＢＣＨが含まれるＳＳ／ＰＢＣＨブロックに含まれる該ＰＢＣＨのためのＤＭＲＳによって推定されてもよい。
【０１６６】
ＤＬ  ＤＭＲＳは、ＰＢＣＨのためのＤＭＲＳ、ＰＤＳＣＨのためのＤＭＲＳ、および、ＰＤＣＣＨのためのＤＭＲＳの総称である。
【０１６７】
ＰＤＳＣＨのためのＤＭＲＳ（ＰＤＳＣＨに関連するＤＭＲＳ、ＰＤＳＣＨに含まれるＤＭＲＳ、ＰＤＳＣＨに対応するＤＭＲＳ）のアンテナポートのセットは、該ＰＤＳＣＨのためのアンテナポートのセットに基づき与えられてもよい。つまり、ＰＤＳＣＨのためのＤＭＲＳのアンテナポートのセットは、該ＰＤＳＣＨのためのアンテナポートのセットと同じであってもよい。
【０１６８】
ＰＤＳＣＨの送信と、該ＰＤＳＣＨのためのＤＭＲＳの送信は、１つのＤＣＩフォーマットにより示されてもよい（または、スケジューリングされてもよい）。ＰＤＳＣＨと、該ＰＤＳＣＨのためのＤＭＲＳは、まとめてＰＤＳＣＨと呼称されてもよい。ＰＤＳＣＨを送信することは、ＰＤＳＣＨと、該ＰＤＳＣＨのためのＤＭＲＳを送信することであってもよい。
【０１６９】
ＰＤＳＣＨは、該ＰＤＳＣＨのためのＤＭＲＳから推定されてもよい。つまり、ＰＤＳＣＨの伝搬路は、該ＰＤＳＣＨのためのＤＭＲＳから推定されてもよい。もし、あるＰＤＳＣＨのシンボルが伝達されるリソースエレメントのセットと、該あるＰＤＳＣＨのためのＤＭＲＳのシンボルが伝達されるリソースエレメントのセットが同一のプレコーディングリソースグループ（PRG: Precoding Resource Group）に含まれる場合、あるアンテナ
ポートにおける該ＰＤＳＣＨのシンボルが伝達されるＰＤＳＣＨは、該ＰＤＳＣＨのため
のＤＭＲＳによって推定されてもよい。
【０１７０】
ＰＤＣＣＨのためのＤＭＲＳ（ＰＤＣＣＨに関連するＤＭＲＳ、ＰＤＣＣＨに含まれるＤＭＲＳ、ＰＤＣＣＨに対応するＤＭＲＳ）のアンテナポートは、ＰＤＣＣＨのためのアンテナポートと同一であってもよい。  
【０１７１】
ＰＤＣＣＨは、該ＰＤＣＣＨのためのＤＭＲＳから推定されてもよい。つまり、ＰＤＣＣＨの伝搬路は、該ＰＤＣＣＨのためのＤＭＲＳから推定されてもよい。もし、あるＰＤＣＣＨのシンボルが伝達されるリソースエレメントのセットと、該あるＰＤＣＣＨのためのＤＭＲＳのシンボルが伝達されるリソースエレメントのセットにおいて同一のプレコーダが適用される（適用されると想定される、適用されると想定する）場合、あるアンテナポートにおける該ＰＤＣＣＨのシンボルが伝達されるＰＤＣＣＨは、該ＰＤＣＣＨのためのＤＭＲＳによって推定されてもよい。
【０１７２】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。ＭＡＣ層で用
いられるチャネルはトランスポートチャネルと呼称される。ＭＡＣ層で用いられるトランスポートチャネルの単位は、トランスポートブロック（TB）またはＭＡＣ  ＰＤＵ（Protocol Data Unit）とも呼称される。ＭＡＣ層においてトランスポートブロック毎にＨＡＲＱ（Hybrid Automatic Repeat reQuest）の制御が行なわれる。トランスポートブロック
は、ＭＡＣ層が物理層に渡す（deliver）データの単位である。物理層において、トラン
スポートブロックはコードワードにマップされ、コードワード毎に変調処理が行なわれる。
【０１７３】
サービングセルごとに、１つのＵＬ−ＳＣＨ、および、１つのＤＬ−ＳＣＨが与えられてもよい。ＢＣＨは、ＰＣｅｌｌに与えられてもよい。ＢＣＨは、ＰＳＣｅｌｌ、ＳＣｅｌｌに与えられなくてもよい。
【０１７４】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢ、または、システム情報を送信するために用いられるＲＲＣ層のチャネルである。また、ＣＣＣＨ（Common Control CHannel）は、複数の端末装置１において共通なＲＲＣメッセージを送信するために用いられてもよい。ここで、ＣＣＣＨは、例えば、ＲＲＣ接続されていない端末装置１のために用いられてもよい。また、ＤＣＣＨ（Dedicated Control CHannel）は、端末装置１に専用のＲＲＣメッセージを送信するために
少なくとも用いられてもよい。ここで、ＤＣＣＨは、例えば、ＲＲＣ接続されている端末装置１のために用いられてもよい。
【０１７５】
ＲＲＣメッセージは、１または複数のＲＲＣパラメータ（情報要素）を含む。例えば、ＲＲＣメッセージは、ＭＩＢを含んでもよい。また、ＲＲＣメッセージは、システム情報を含んでもよい。また、ＲＲＣメッセージは、ＣＣＣＨに対応するメッセージを含んでもよい。また、ＲＲＣメッセージは、ＤＣＣＨに対応するメッセージを含んでもよい。ＤＣＣＨに対応するメッセージを含むＲＲＣメッセージは、個別ＲＲＣメッセージとも呼称される。
【０１７６】
ロジカルチャネルにおけるＢＣＣＨは、トランスポートチャネルにおいてＢＣＨ、または、ＤＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１７７】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【０１７８】
上位層パラメータ（上位層のパラメータ）は、ＲＲＣメッセージ、または、ＭＡＣ  ＣＥ（Medium Access Control Control Element）に含まれるパラメータである。つまり、
上位層パラメータは、ＭＩＢ、システム情報、ＣＣＣＨに対応するメッセージ、ＤＣＣＨに対応するメッセージ、および、ＭＡＣ  ＣＥに含まれる情報の総称である。
【０１７９】
端末装置１が行う手順は、以下の５Ａから５Ｃの一部または全部を少なくとも含む。
５Ａ）セルサーチ（cell search）
５Ｂ）ランダムアクセス（random access）
５Ｃ）データ通信（data communication）
【０１８０】
セルサーチは、端末装置１によって時間領域と周波数領域に関する、あるセルとの同期を行い、物理セルＩＤ（physical cell identity）を検出するために用いられる手順である。つまり、端末装置１は、セルサーチによって、あるセルとの時間領域、および、周波数領域の同期を行い、物理セルＩＤを検出してもよい。
【０１８１】
ＰＳＳの系列は、物理セルＩＤに少なくとも基づき与えられる。ＳＳＳの系列は、物理セルＩＤに少なくとも基づき与えられる。
【０１８２】
ＳＳ／ＰＢＣＨブロック候補は、ＳＳ／ＰＢＣＨブロックの送信が許可される（可能である、予約される、設定される、規定される、可能性がある）リソースを示す。
【０１８３】
あるハーフ無線フレームにおけるＳＳ／ＰＢＣＨブロック候補のセットは、ＳＳバーストセット（SS burst set）とも呼称される。ＳＳバーストセットは、送信ウィンドウ（transmission window）、ＳＳ送信ウィンドウ（SS transmission window）、または、ＤＲ
Ｓ送信ウィンドウ（Discovery Refeence Signal transmission window）とも呼称される
。ＳＳバーストセットは、第１のＳＳバーストセット、および、第２のＳＳバーストセットを少なくとも含んだ総称である。
【０１８４】
基地局装置３は、１個または複数個のインデックスのＳＳ／ＰＢＣＨブロックを所定の周期で送信する。端末装置１は、該１個または複数個のインデックスのＳＳ／ＰＢＣＨブロックの少なくともいずれかのＳＳ／ＰＢＣＨブロックを検出し、該ＳＳ／ＰＢＣＨブロックに含まれるＰＢＣＨの復号を試みてもよい。
【０１８５】
ランダムアクセスは、メッセージ１、メッセージ２、メッセージ３、および、メッセージ４の一部または全部を少なくとも含む手順である。
【０１８６】
メッセージ１は、端末装置１によってＰＲＡＣＨが送信される手順である。端末装置１は、セルサーチに基づき検出したＳＳ／ＰＢＣＨブロック候補のインデックスに少なくとも基づき、１または複数のＰＲＡＣＨ機会の中から選択される１つのＰＲＡＣＨ機会において、ＰＲＡＣＨを送信する。
【０１８７】
ＰＲＡＣＨ機会の設定は、ＰＲＡＣＨ設定期間（PCF: PRACH configuration period）
ＴＰＣＦ、あるＰＲＡＣＨ設定期間の時間領域において含まれるＰＲＡＣＨ機会の数ＮＰＣＦＲＯ，ｔ、周波数領域において含まれるＰＲＡＣＨ機会の数ＮＲＯ，ｆ、ＰＲＡＣＨ
機会ごとにランダムアクセスのために割り当てられるランダムアクセスプリアンブルの数ＮＲＯｐｒｅａｍｂｌｅ、競合ベースランダムアクセス（CBRA: Contention Based Random Access）のためにＳＳ／ＰＢＣＨブロック候補のインデックスごとに割り当てられるプリアンブルの数ＮＳＳＢｐｒｅａｍｂｌｅ，ＣＢＲＡ、および、競合ベースランダムアクセスのためにＳＳ／ＰＢＣＨブロック候補のインデックスごとに割り当てられるＰＲＡＣＨ機会の数ＮＳＳＢＲＯ、の一部または全部を少なくとも含んでもよい。
【０１８８】
ＰＲＡＣＨ機会の設定に少なくとも基づき、あるＰＲＡＣＨ機会の時間リソース、および、周波数リソースの一部または全部が与えられてもよい。
【０１８９】
端末装置１によって検出されたＳＳ／ＰＢＣＨブロックに対応するＳＳ／ＰＢＣＨブロック候補のインデックスとＰＲＡＣＨ機会の関係（association）は、実際にＳＳ／ＰＢ
ＣＨブロックの送信に用いられるＳＳ／ＰＢＣＨブロック候補のインデックスを示す第１のビットマップ情報（第１のビットマップ）に少なくとも基づき与えられてもよい。端末装置１は、実際にＳＳ／ＰＢＣＨブロックの送信に用いられるＳＳ／ＰＢＣＨブロック候補のインデックスを示す第１のビットマップ情報に少なくとも基づき、該端末装置１によって検出されたＳＳ／ＰＢＣＨブロックに対応するＳＳ／ＰＢＣＨブロック候補のインデックスとＰＲＡＣＨ機会の関係（association）を決定してもよい。第１のビットマップ
情報の各要素は、あるＳＳ／ＰＢＣＨブロック候補のインデックスに対応してもよい。例えば、第１のビットマップ情報の１番目の要素は、ＳＳ／ＰＢＣＨブロック候補のインデックスが０であるＳＳ／ＰＢＣＨブロック候補に対応してもよい。例えば、第１のビットマップ情報の２である番目の要素は、ＳＳ／ＰＢＣＨブロック候補のインデックスが１であるＳＳ／ＰＢＣＨブロック候補に対応してもよい。例えば、第１のビットマップ情報のＬＳＳＢ番目の要素は、ＳＳ／ＰＢＣＨブロック候補のインデックスがＬＳＳＢ−１であるＳＳ／ＰＢＣＨブロック候補に対応してもよい。ＬＳＳＢは、１つのＳＳバーストセット（例えば、第１のＳＳバーストセット）に含まれるＳＳ／ＰＢＣＨブロックの数である。
【０１９０】
図８は、本実施形態の一態様に係るＰＲＡＣＨリソースの設定例を示す図である。図８において、ＰＲＡＣＨ設定期間ＴＰＣＦは４０ｍｓであり、あるＰＲＡＣＨ設定期間の時間領域において含まれるＰＲＡＣＨ機会の数ＮＰＣＦＲＯ，ｔは１であり、周波数領域において含まれるＰＲＡＣＨ機会の数ＮＲＯ，ｆは２に設定されている。
【０１９１】
例えば、実際にＳＳ／ＰＢＣＨブロックの送信に用いられるＳＳ／ＰＢＣＨブロック候補のインデックスを示す第１のビットマップ情報（ssb-PositionInBurst）は、｛１，１
，０，１，０，１，０，０｝にセットされている。
【０１９２】
図９は、本実施形態の一態様に係る、１）ＰＲＡＣＨ機会ごとにランダムアクセスのために割り当てられるランダムアクセスプリアンブルの数ＮＲＯｐｒｅａｍｂｌｅが６４であり、２）競合ベースランダムアクセスのためにＳＳ／ＰＢＣＨブロック候補のインデックスごとに割り当てられるプリアンブルの数ＮＳＳＢｐｒｅａｍｂｌｅ，ＣＢＲＡが６４であり、３）競合ベースランダムアクセスのためにＳＳ／ＰＢＣＨブロック候補のインデックスごとに割り当てられるＰＲＡＣＨ機会の数ＮＳＳＢＲＯが１であり、かつ、４）第１のビットマップ情報が｛１，１，０，１，０，１，１，０｝にセットされている場合のＳＳ／ＰＢＣＨブロック候補のインデックスとＰＲＡＣＨ機会の関係（SS-RO association）の一例を示す図である。図９において、ＰＲＡＣＨ機会の設定は図８と同じであるこ
とが想定される。図９において、インデックス０のＳＳ／ＰＢＣＨブロック候補は、インデックス０のＰＲＡＣＨ機会（ＲＯ＃０）に対応し、インデックス１のＳＳ／ＰＢＣＨブロック候補は、インデックス１のＰＲＡＣＨ機会（ＲＯ＃１）に対応し、インデックス３のＳＳ／ＰＢＣＨブロック候補はインデックス２のＰＲＡＣＨ機会（ＲＯ＃２）に対応し
、インデックス５のＳＳ／ＰＢＣＨブロック候補はインデックス３のＰＲＡＣＨ機会（ＲＯ＃３）に対応し、インデックス６のＳＳ／ＰＢＣＨブロック候補はインデックス４のＰＲＡＣＨ機会（ＲＯ＃４））に対応してもよい。図９において、ＰＲＡＣＨ関係周期（PRACH AP: PRACH association period）ＴＡＰは、インデックス０からインデックス４までのＰＲＡＣＨ機会（ＲＯ＃０〜ＲＯ＃５）を含む１２０ｍｓである。図９において、ＰＲＡＣＨ関係パターン周期（PRACH APP: PRACH Association Pattern Period）ＴＡＰＰは
、１６０ｍｓである。図９において、ＰＲＡＣＨ関係パターン周期は、１つのＰＲＡＣＨ関係周期を含む。
【０１９３】
図１０は、本実施形態の一態様に係る、１）ＰＲＡＣＨ機会ごとにランダムアクセスのために割り当てられるランダムアクセスプリアンブルの数ＮＲＯｐｒｅａｍｂｌｅが６４であり、２）競合ベースランダムアクセスのためにＳＳ／ＰＢＣＨブロック候補のインデックスごとに割り当てられるプリアンブルの数ＮＳＳＢｐｒｅａｍｂｌｅ，ＣＢＲＡが６４であり、３）競合ベースランダムアクセスのためにＳＳ／ＰＢＣＨブロック候補のインデックスごとに割り当てられるＰＲＡＣＨ機会の数ＮＳＳＢＲＯが１であり、かつ、４）第１のビットマップ情報が｛１，１，０，１，０，１，０，０｝にセットされている場合のＳＳ／ＰＢＣＨブロック候補のインデックスとＰＲＡＣＨ機会の関係の一例を示す図である。図１０において、ＰＲＡＣＨ機会の設定は図８と同じであることが想定される。図１０において、インデックス０のＳＳ／ＰＢＣＨブロック候補は、インデックス０のＰＲＡＣＨ機会（ＲＯ＃０）およびインデックス４のＰＲＡＣＨ機会（ＲＯ＃４）に対応し、インデックス１のＳＳ／ＰＢＣＨブロック候補は、インデックス１のＰＲＡＣＨ機会（ＲＯ＃１）およびインデックス５のＰＲＡＣＨ機会（ＲＯ＃５）に対応し、インデックス３のＳＳ／ＰＢＣＨブロック候補はインデックス２のＰＲＡＣＨ機会（ＲＯ＃２）およびインデックス６のＰＲＡＣＨ機会（ＲＯ＃６）に対応し、インデックス５のＳＳ／ＰＢＣＨブロック候補はインデックス３のＰＲＡＣＨ機会（ＲＯ＃３）およびインデックス７のＰＲＡＣＨ機会（ＲＯ＃７）に対応してもよい。図１０において、ＰＲＡＣＨ関係周期ＴＡＰは、インデックス０からインデックス３までのＰＲＡＣＨ機会（ＲＯ＃０〜ＲＯ＃３）を含む８０ｍｓである。図１０において、ＰＲＡＣＨ関係パターン周期（PRACH APP: PRACH Association Pattern Period）ＴＡＰＰは、１６０ｍｓである。図１０において、Ｐ
ＲＡＣＨ関係パターン周期は、２つのＰＲＡＣＨ関係周期を含む。
【０１９４】
第１のビットマップ情報で示される、Ｎ個の“実際にＳＳ／ＰＢＣＨブロックの送信に用いられるＳＳ／ＰＢＣＨブロック候補”のうち最も小さいインデックスの“実際にＳＳ／ＰＢＣＨブロックの送信に用いられるＳＳ／ＰＢＣＨブロック候補”は、先頭のＰＲＡＣＨ機会（インデックス０のＰＲＡＣＨ機会）に対応してもよい。第１のビットマップ情報で示される、Ｎ個の“実際にＳＳ／ＰＢＣＨブロックの送信に用いられるＳＳ／ＰＢＣＨブロック候補”のうちのｎ番目のインデックスは、ｎ番目のＰＲＡＣＨ機会（インデックスｎ−１のＰＲＡＣＨ機会）に対応してもよい。
【０１９５】
ＰＲＡＣＨ機会のインデックスは、ＰＲＡＣＨ関係パターン周期に含まれるＰＲＡＣＨ機会に対して、周波数軸を優先して付される（Frequency-first time-second）。
【０１９６】
第１のビットマップ情報で示される、Ｎ個の“実際にＳＳ／ＰＢＣＨブロックの送信に用いられるＳＳ／ＰＢＣＨブロック候補”のすべてが少なくとも１つのＰＲＡＣＨ機会に対応するように割り当てたとき、少なくとも１つの“実際にＳＳ／ＰＢＣＨブロックの送信に用いられるＳＳ／ＰＢＣＨブロック候補”に対応するＰＲＡＣＨ機会の少なくとも１つに対応するＰＲＡＣＨ設定期間を含んで構成される。図９において、少なくとも１つの“実際にＳＳ／ＰＢＣＨブロックの送信に用いられるＳＳ／ＰＢＣＨブロック候補”に対応するＰＲＡＣＨ機会は、ＲＯ＃０からＲＯ＃４であり、少なくとも１つの“実際にＳＳ／ＰＢＣＨブロックの送信に用いられるＳＳ／ＰＢＣＨブロック候補”に対応するＰＲＡ
ＣＨ機会の少なくとも１つに対応するＰＲＡＣＨ設定期間は、先頭から３つのＰＲＡＣＨ設定期間である。図１０において、少なくとも１つの“実際にＳＳ／ＰＢＣＨブロックの送信に用いられるＳＳ／ＰＢＣＨブロック候補”に対応するＰＲＡＣＨ機会は、ＲＯ＃０からＲＯ＃３であり、少なくとも１つの“実際にＳＳ／ＰＢＣＨブロックの送信に用いられるＳＳ／ＰＢＣＨブロック候補”に対応するＰＲＡＣＨ機会の少なくとも１つに対応するＰＲＡＣＨ設定期間は、先頭から２つのＰＲＡＣＨ設定期間である。
【０１９７】
ＴＡＰＰ＞ｋ＊ＴＡＰを満たす最大の整数ｋが２以上である場合、１つのＰＲＡＣＨ関係パターン周期はｋ個のＰＲＡＣＨ関係周期を含んで構成される。図１０において、ＴＡＰＰ＞ｋ＊ＴＡＰを満たす最大の整数ｋは２であり、１つ目のＰＲＡＣＨ関係周期は先頭から２つのＰＲＡＣＨ設定期間を含み、２つ目のＰＲＡＣＨ関係周期は３つ目のＰＲＡＣＨ設定期間から２つのＰＲＡＣＨ設定期間を含む。
【０１９８】
端末装置１は、ＳＳ／ＰＢＣＨブロックが検出されるＳＳ／ＰＢＣＨブロック候補のインデックスに対応するＰＲＡＣＨ機会の中から選択される１つのランダムアクセスプリアンブルを送信する。
【０１９９】
メッセージ２は、端末装置１によってＲＡ−ＲＮＴＩ（Random Access - Radio Network Temporary Identifier）でスクランブルされたＣＲＣ（Cyclic Redundancy Check）を
伴うＤＣＩフォーマット１＿０の検出を試みる手順である。端末装置１は、セルサーチに基づき検出したＳＳ／ＰＢＣＨブロックに含まれるＰＢＣＨに含まれるＭＩＢに基づき与えられる制御リソースセット、および、探索領域セットの設定に基づき示されるリソースにおいて、該ＤＣＩフォーマットを含むＰＤＣＣＨの検出を試みる。
【０２００】
メッセージ３は、メッセージ２手順によって検出されたＤＣＩフォーマット１＿０に含まれるランダムアクセスレスポンスグラントによりスケジューリングされるＰＵＳＣＨを送信する手順である。ここで、ランダムアクセスレスポンスグラント（random access response grant）は、該ＤＣＩフォーマット１＿０によりスケジューリングされるＰＤＳＣＨに含まれるＭＡＣ  ＣＥにより示される。
【０２０１】
ランダムアクセスレスポンスグラントに基づきスケジューリングされるＰＵＳＣＨは、メッセージ３  ＰＵＳＣＨ、または、ＰＵＳＣＨのいずれかである。メッセージ３  ＰＵＳＣＨは、衝突解決ＩＤ（contention resolution identifier）  ＭＡＣ  ＣＥを含む。衝突解決ＩＤ  ＭＡＣ  ＣＥは、衝突解決ＩＤを含む。
【０２０２】
メッセージ３  ＰＵＳＣＨの再送は、ＴＣ−ＲＮＴＩ（Temporary Cell - Radio Network Temporary Identifier）に基づきスクランブルされたＣＲＣを伴うＤＣＩフォーマッ
ト０＿０によってスケジューリングされる。
【０２０３】
メッセージ４は、Ｃ−ＲＮＴＩ（Cell - Radio Network Temporary Identifier）、ま
たは、ＴＣ−ＲＮＴＩのいずれかに基づきスクランブルされたＣＲＣを伴うＤＣＩフォーマット１＿０の検出を試みる手順である。端末装置１は、該ＤＣＩフォーマット１＿０に基づきスケジューリングされるＰＤＳＣＨを受信する。該ＰＤＳＣＨは、衝突解決ＩＤを含んでもよい。
【０２０４】
データ通信は、下りリンク通信、および、上りリンク通信の総称である。
【０２０５】
データ通信において、端末装置１は、制御リソースセット、および、探索領域セットに基づき特定されるリソースにおいてＰＤＣＣＨの検出を試みる（ＰＤＣＣＨをモニタする、ＰＤＣＣＨを監視する）。
【０２０６】
制御リソースセットは、所定数のリソースブロックと、所定数のＯＦＤＭシンボルにより構成されるリソースのセットである。周波数領域において、制御リソースセットは連続的なリソースにより構成されてもよい（non-interleaved mapping）し、分散的なリソー
スにより構成されてもよい（interleaver mapping）。
【０２０７】
制御リソースセットを構成するリソースブロックのセットは、上位層パラメータにより示されてもよい。制御リソースセットを構成するＯＦＤＭシンボルの数は、上位層パラメータにより示されてもよい。
【０２０８】
端末装置１は、探索領域セットにおいてＰＤＣＣＨの検出を試みる。ここで、探索領域セットにおいてＰＤＣＣＨの検出を試みることは、探索領域セットにおいてＰＤＣＣＨの候補の検出を試みることであってもよいし、探索領域セットにおいてＤＣＩフォーマットの検出を試みることであってもよいし、制御リソースセットにおいてＰＤＣＣＨの検出を試みることであってもよいし、制御リソースセットにおいてＰＤＣＣＨの候補の検出を試みることであってもよいし、制御リソースセットにおいてＤＣＩフォーマットの検出を試みることであってもよい。
【０２０９】
探索領域セットは、ＰＤＣＣＨの候補のセットとして定義される。探索領域セットは、ＣＳＳ（Common Search Space）セットであってもよいし、ＵＳＳ（UE-specific Search Space）セットであってもよい。端末装置１は、タイプ０ＰＤＣＣＨ共通探索領域セット
（Type0 PDCCH common search space set）、タイプ０ａＰＤＣＣＨ共通探索領域セット
（Type0a PDCCH common search space set）、タイプ１ＰＤＣＣＨ共通探索領域セット（Type1 PDCCH common search space set）、タイプ２ＰＤＣＣＨ共通探索領域セット（Type2 PDCCH common search space set）、タイプ３ＰＤＣＣＨ共通探索領域セット（Type3 PDCCH common search space set）、および／または、ＵＥ個別ＰＤＣＣＨ探索領域セッ
ト（UE-specific search space set）の一部または全部においてＰＤＣＣＨの候補の検出を試みる。
【０２１０】
タイプ０ＰＤＣＣＨ共通探索領域セットは、インデックス０の共通探索領域セットとして用いられてもよい。タイプ０ＰＤＣＣＨ共通探索領域セットは、インデックス０の共通探索領域セットであってもよい。
【０２１１】
ＣＳＳセットは、タイプ０ＰＤＣＣＨ共通探索領域セット、タイプ０ａＰＤＣＣＨ共通探索領域セット、タイプ１ＰＤＣＣＨ共通探索領域セット、タイプ２ＰＤＣＣＨ共通探索領域セット、および、タイプ３ＰＤＣＣＨ共通探索領域セットの総称である。ＵＳＳセットは、ＵＥ個別ＰＤＣＣＨ探索領域セットとも呼称される。
【０２１２】
ある探索領域セットは、ある制御リソースセットに関連する（含まれる、対応する）。探索領域セットに関連する制御リソースセットのインデックスは、上位層パラメータにより示されてもよい。
【０２１３】
ある探索領域セットに対して、６Ａから６Ｃの一部または全部が少なくとも上位層パラメータにより示されてもよい。
６Ａ）ＰＤＣＣＨの監視間隔（PDCCH monitoring periodicity）
６Ｂ）スロット内のＰＤＣＣＨの監視パターン（PDCCH monitoring pattern within a slot）
６Ｃ）ＰＤＣＣＨの監視オフセット（PDCCH monitoring offset）
【０２１４】
ある探索領域セットの監視機会（monitoring occasion）は、該ある探索領域セットに
関連する制御リソースセットの先頭のＯＦＤＭシンボルが配置されるＯＦＤＭシンボルに対応してもよい。ある探索領域セットの監視機会は、ある探索領域セットに関連する制御リソースセットの先頭のＯＦＤＭシンボルから始まる該制御リソースセットのリソースに対応してもよい。該探索領域セットの監視機会は、ＰＤＣＣＨの監視間隔、スロット内のＰＤＣＣＨの監視パターン、および、ＰＤＣＣＨの監視オフセットの一部または全部に少なくとも基づき与えられる。
【０２１５】
図１１は、本実施形態の一態様に係る探索領域セットの監視機会の一例を示す図である。図１１において、プライマリセル３０１に探索領域セット９１、および、探索領域セット９２が設定され、セカンダリセル３０２に探索領域セット９３が設定され、セカンダリセル３０３に探索領域セット９４が設定されている。
【０２１６】
図１１において、格子線で示されるブロックは探索領域セット９１を示し、右上がり対角線で示されるブロックは探索領域セット９２を示し、左上がり対角線で示されるブロックは探索領域セット９３を示し、横線で示されるブロックは探索領域セット９４を示している。
【０２１７】
探索領域セット９１の監視間隔は1スロットにセットされ、探索領域セット９１の監視
オフセットは０スロットにセットされ、探索領域セット９１の監視パターンは、[１，０
，０，０，０，０，０，１，０，０，０，０，０，０]にセットされている。つまり、探
索領域セット９１の監視機会はスロットのそれぞれにおける先頭のＯＦＤＭシンボル（ＯＦＤＭシンボル＃０）および８番目のＯＦＤＭシンボル（ＯＦＤＭシンボル＃７）に対応する。
【０２１８】
探索領域セット９２の監視間隔は２スロットにセットされ、探索領域セット９２の監視オフセットは０スロットにセットされ、探索領域セット９２の監視パターンは、[１，０
，０，０，０，０，０，０，０，０，０，０，０，０]にセットされている。つまり、探
索領域セット９２の監視機会は偶数スロットのそれぞれにおける先頭のＯＦＤＭシンボル（ＯＦＤＭシンボル＃０）に対応する。
【０２１９】
探索領域セット９３の監視間隔は２スロットにセットされ、探索領域セット９３の監視オフセットは０スロットにセットされ、探索領域セット９３の監視パターンは、[０，０
，０，０，０，０，０，１，０，０，０，０，０，０]にセットされている。つまり、探
索領域セット９３の監視機会は偶数スロットのそれぞれにおける８番目のＯＦＤＭシンボル（ＯＦＤＭシンボル＃７）に対応する。
【０２２０】
探索領域セット９４の監視間隔は２スロットにセットされ、探索領域セット９４の監視オフセットは１スロットにセットされ、探索領域セット９４の監視パターンは、[１，０
，０，０，０，０，０，０，０，０，０，０，０，０]にセットされている。つまり、探
索領域セット９４の監視機会は奇数スロットのそれぞれにおける先頭のＯＦＤＭシンボル（ＯＦＤＭシンボル＃０）に対応する。
【０２２１】
タイプ０ＰＤＣＣＨ共通探索領域セットは、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。
【０２２２】
タイプ０ａＰＤＣＣＨ共通探索領域セットは、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。
【０２２３】
タイプ１ＰＤＣＣＨ共通探索領域セットは、ＲＡ−ＲＮＴＩ（Random Access-Radio Network Temporary Identifier）によってスクランブルされたＣＲＣ系列、および／または、ＴＣ−ＲＮＴＩ（Temporary Cell-Radio Network Temporary Identifier）によってス
クランブルされたＣＲＣ系列を伴うＤＣＩフォーマットのために少なくとも用いられてもよい。
【０２２４】
タイプ２ＰＤＣＣＨ共通探索領域セットは、Ｐ−ＲＮＴＩ（Paging- Radio Network Temporary Identifier）によってスクランブルされたＣＲＣ系列を伴うＤＣＩフォーマットのために用いられてもよい。
【０２２５】
タイプ３ＰＤＣＣＨ共通探索領域セットは、Ｃ−ＲＮＴＩ（Cell-Radio Network Temporary Identifier）によってスクランブルされたＣＲＣ系列を伴うＤＣＩフォーマットの
ために用いられてもよい。
【０２２６】
ＵＥ個別ＰＤＣＣＨ探索領域セットは、Ｃ−ＲＮＴＩによってスクランブルされたＣＲＣ系列を伴うＤＣＩフォーマットのために少なくとも用いられてもよい。
【０２２７】
下りリンク通信において、端末装置１は、下りリンクＤＣＩフォーマットを検出する。検出された下りリンクＤＣＩフォーマットは、ＰＤＳＣＨのリソース割り当てに少なくとも用いられる。該検出された下りリンクＤＣＩフォーマットは、下りリンク割り当て（downlink assignment）とも呼称される。端末装置１は、該ＰＤＳＣＨの受信を試みる。該
検出された下りリンクＤＣＩフォーマットに基づき示されるＰＵＣＣＨリソースに基づき、該ＰＤＳＣＨに対応するＨＡＲＱ−ＡＣＫ（該ＰＤＳＣＨに含まれるトランスポートブロックに対応するＨＡＲＱ−ＡＣＫ）を基地局装置３に報告する。
【０２２８】
上りリンク通信において、端末装置１は、上りリンクＤＣＩフォーマットを検出する。検出されたＤＣＩフォーマットは、ＰＵＳＣＨのリソース割り当てに少なくとも用いられる。該検出された上りリンクＤＣＩフォーマットは、上りリンクグラント（uplink grant）とも呼称される。端末装置１は、該ＰＵＳＣＨの送信を行う。
【０２２９】
基地局装置３、および、端末装置１は、サービングセルｃにおいてチャネルアクセス手順（Channel access procedure）を実施し、サービングセルｃにおいて送信波（Transmission）の送信を実施してもよい。例えば、サービングセルｃは免許不要帯域（Unlicensed
band）において設定されるサービングセルであってもよい。送信波は、基地局装置３、
または、端末装置１から媒体に送信される信号である。
【０２３０】
基地局装置３、および、端末装置１は、サービングセルｃのキャリアｆにおいてチャネルアクセス手順を実施し、サービングセルｃのキャリアｆにおいて送信波の送信を実施してもよい。キャリアｆは、サービングセルｃに含まれるキャリアである。キャリアｆは、上位層のパラメータに基づき与えられるリソースブロックのセットによって構成されてもよい。
【０２３１】
基地局装置３、および、端末装置１は、サービングセルｃのキャリアｆにおいてチャネルアクセス手順を実施し、サービングセルｃのキャリアｆのバンドパートｂにおいて送信波の送信を実施してもよい。バンドパートｂは、キャリアｆに含まれる帯域のサブセットである。
【０２３２】
基地局装置３、および、端末装置１は、サービングセルｃのキャリアｆのバンドパートｂにおいてチャネルアクセス手順を実施し、サービングセルｃのキャリアｆにおいて送信波の送信を実施してもよい。サービングセルｃのキャリアｆにおいて送信波の送信を実施
することは、サービングセルｃのキャリアｆに含まれるバンドパートのいずれかにおいて送信波が送信されることであってもよい。
【０２３３】
基地局装置３、および、端末装置１は、サービングセルｃのキャリアｆのバンドパートｂにおいてチャネルアクセス手順を実施し、サービングセルｃのキャリアｆのバンドパートｂにおいて送信波の送信を実施してもよい。
【０２３４】
チャネルアクセス手順は、第１の計測（first sensing）とカウント手順の一方または
両方を少なくとも含んで構成されてもよい。第１のチャネルアクセス手順は、第１の計測を含んでもよい。第１のチャネルアクセス手順は、カウント手順を含まなくてもよい。第２のチャネルアクセス手順は、第１の計測とカウント手順の両方を少なくとも含んでもよい。チャネルアクセス手順は、第１のチャネルアクセス手順と第２のチャネルアクセス手順の一部または全部を含んだ呼称である。
【０２３５】
第１のチャネルアクセス手順が実施された後、ＳＳ／ＰＢＣＨブロックを少なくとも含む送信波が送信されてもよい。第１のチャネルアクセス手順が実施された後、ＳＳ／ＰＢＣＨブロック、報知情報を含むＰＤＳＣＨ、該ＰＤＳＣＨのスケジューリングに用いられるＤＣＩフォーマットを含むＰＤＣＣＨ、および、ＣＳＩ−ＲＳの一部または全部を少なくとも含む送信波が送信されてもよい。第２のチャネルアクセス手順が実施された後、報知情報以外の情報を含むＰＤＳＣＨを少なくとも含む送信波が送信されてもよい。報知情報を含むＰＤＳＣＨは、システム情報を含むＰＤＳＣＨ、ページング情報を含むＰＤＳＣＨ、および、ランダムアクセスに用いられるＰＤＳＣＨ（メッセージ２、および／または、メッセージ４）の一部または全部を少なくとも含んでもよい。
【０２３６】
ＳＳ／ＰＢＣＨブロック、報知情報を含むＰＤＳＣＨ、該ＰＤＳＣＨのスケジューリングに用いられるＤＣＩフォーマットを含むＰＤＣＣＨ、および、ＣＳＩ−ＲＳの一部または全部を少なくとも含む送信波は、ＤＲＳ（Discovery Reference Signal）とも呼称される。ＤＲＳは、第１のチャネルアクセス手順の後に送信される信号であってもよい。
【０２３７】
ＤＲＳの期間が所定の長さ以下であり、ＤＲＳのデューティ比（duty cycle）が所定値以下である場合に、第１のチャネルアクセス手順が実施された後、該ＤＲＳを含む送信波が送信されてもよい。該ＤＲＳの期間が該所定の長さを超えている場合に、第２のチャネルアクセス手順が実施された後、該ＤＲＳを含む送信波が送信されてもよい。該ＤＲＳのデューティ比が該所定値を超えている場合に、第２のチャネルアクセス手順が実施された後、該ＤＲＳを含む送信波が送信されてもよい。例えば、該所定の長さは１ｍｓであってもよい。また、該所定値は、１／２０であってもよい。
【０２３８】
チャネルアクセス手順が実施された後に送信波が送信されることは、チャネルアクセス手順に基づき送信波が送信されることであってもよい。チャネルアクセス手順が実施された後に送信波が送信されることは、チャネルアクセス手順に基づきチャネルが送信可能であることが与えられた場合に、送信波が送信されることであってもよい。
【０２３９】
第１の計測は、延期期間（defer duration）のうちの１または複数のＬＢＴスロット期間（LBT slot duration）において、媒体（Medium）がアイドル（Idle）であることが検
知されることであってもよい。ここで、ＬＢＴ（Listen Before Talk）は、キャリアセンスに基づき媒体がアイドルであるかビジー（Busy）であるかが与えられる手順であってもよい。キャリアセンスは、媒体においてエネルギー検出（Energy detection）を実施することであってもよい。例えば、ビジーは、キャリアセンスによって検出されるエネルギー量が所定のしきい値よりも大きい状態であってもよい。また、アイドルは、キャリアセンスによって検出されるエネルギー量が所定のしきい値よりも小さい状態であってもよい。
また、キャリアセンスによって検出されるエネルギー量が所定のしきい値と等しいことは、アイドルであってもよい。また、キャリアセンスによって検出されるエネルギー量が所定のしきい値と等しいことは、ビジーであってもよい。
【０２４０】
アイドルであることは、ビジーでないことであってもよい。ビジーであることは、アイドルでないことであってもよい。
【０２４１】
ＬＢＴスロット期間は、ＬＢＴの単位である。ＬＢＴスロット期間ごとに、媒体がアイドルであるかビジーであるかが与えられてもよい。例えば、ＬＢＴスロット期間は９マイクロ秒であってもよい。
【０２４２】
延期期間は、期間Ｔｆと１または複数のＬＢＴスロット期間を少なくとも含んでもよい。延期期間の長さはＴｄと称される。例えば、期間Ｔｆは、１６マイクロ秒であってもよい。
【０２４３】
図１２は、本実施形態の一態様に係るカウント手順の例を示す図である。カウント手順は、ステップＡ１からステップＡ６の一部または全部を少なくとも含む。ステップＡ１（Step A1）は、カウンターＮの値をＮｉｎｉｔにセットする動作を含む。ここで、Ｎｉｎ
ｉｔは、０からＣＷｐの範囲に含まれる整数値の中からランダムに（または、疑似ランダムに）選択される値である。ＣＷｐは、チャネルアクセス優先度クラスｐに対するコンテンションウィンドウサイズ（CWS: Contention Window Size）である。
【０２４４】
ステップＡ２（Step A2）において、カウンターＮの値が０であるか否かが判定される
。ステップＡ２は、カウンターＮが０である場合にチャネルアクセス手順を完了（または、終了）する動作を含む。ステップＡ２は、カウンターＮが０とは異なる場合にステップＡ３に進む動作を含む。ここで、図１２中のＴｒｕｅは、評価式を判定する動作を含むステップにおいて、該評価式が真であることに対応する。また、Ｆａｌｓｅは、評価式を判定する動作を含むステップにおいて、該評価式が偽であることに対応する。ステップＡ２において、評価式はカウンターＮ＝０に対応する。
【０２４５】
例えば、ステップＡ３（Step A3）は、カウンターＮの値をディクリメント（Decrement）するステップを含んでもよい。カウンターＮの値をディクリメントすることは、カウンターＮの値を１減らすことであってもよい。つまり、カウンターＮの値をディクリメントすることは、カウンターＮの値をＮ−１にセットすることであってもよい。
【０２４６】
例えば、ステップＡ３は、Ｎ＞０の場合に該カウンターＮの値をディクリメントするステップを含んでもよい。また、ステップＡ３は、基地局装置３、または、端末装置１がカウンターＮをディクリメントすることを選択した場合に該カウンターＮの値をディクリメントするステップを含んでもよい。また、ステップＡ３は、Ｎ＞０であり、かつ、基地局装置３、および、端末装置１がカウンターＮをディクリメントすることを選択した場合に該カウンターＮの値をディクリメントするステップを含んでもよい。
【０２４７】
例えば、ステップＡ４（Step A4）は、ＬＢＴスロット期間ｄにおいて媒体のキャリア
センスを実施し、ＬＢＴスロット期間ｄがアイドルである場合にステップＡ２に進む動作を含んでもよい。また、ステップＡ４は、キャリアセンスによってＬＢＴスロット期間ｄがアイドルと判定された場合にステップＡ２に進む動作を含んでもよい。また、ステップＡ４は、ＬＢＴスロット期間ｄにおいてキャリアセンスを実施し、ＬＢＴスロット期間ｄがビジーである場合に、ステップＡ５に進む動作を含んでもよい。また、ステップＡ４は、キャリアセンスによってＬＢＴスロット期間ｄがビジーと判定された場合にステップＡ５に進む動作を含んでもよい。ここで、ＬＢＴスロット期間ｄは、ＬＢＴスロット期間で
あって、該カウント手順においてすでにキャリアセンスされたＬＢＴスロット期間の次のＬＢＴスロット期間であってもよい。ステップＡ４において、評価式はＬＢＴスロット期間ｄがアイドルであることに対応してもよい。
【０２４８】
ステップＡ５（Step A5）は、延期期間に含まれるあるＬＢＴスロット期間において媒
体がビジーであることが検出されるまで、または、延期期間に含まれる全てのＬＢＴスロット期間において媒体がアイドルであることが検出されるまでキャリアセンスを実施する動作を含む。
【０２４９】
ステップＡ６（Step A6）は、延期期間に含まれるあるＬＢＴスロット期間において媒
体がビジーであると検出された場合にステップＡ５に進む動作を含む。ステップＡ６は、延期期間に含まれる全てのＬＢＴスロット期間において媒体がアイドルであることが検出された場合に、ステップＡ２に進む動作を含む。ステップＡ６において、評価式は、該あるＬＢＴスロット期間において媒体がアイドルであることに対応してもよい。
【０２５０】
ＣＷｍｉｎ，ｐは、チャネルアクセス優先度クラスｐに対するコンテンションウィンドウサイズＣＷｐの取りうる値の範囲の最小値を示す。ＣＷｍａｘ，ｐは、チャネルアクセス優先度クラスｐに対するコンテンションウィンドウサイズＣＷｐの取りうる値の範囲の最大値を示す。チャネルアクセス優先度クラスｐに対するコンテンションウィンドウサイズＣＷｐは、ＣＷｐとも呼称される。
【０２５１】
チャネルアクセス優先度クラスｐに関連する物理チャネル（例えば、ＰＤＳＣＨ）を少なくとも含む送信波が送信される場合、ＣＷｐが基地局装置３、または、端末装置１によって管理され、カウント手順のステップＡ１の前に該ＣＷｐが調整される（ＣＷｐの調整手順が実施される）。
【０２５２】
あるコンポーネントキャリアにおいて、ＮＲ−Ｕ（New Radio - Unlicensed）が適用されてもよい。あるサービングセルにおいて、ＮＲ−Ｕが適用されてもよい。あるコンポーネントキャリア（または、あるサービングセル）においてＮＲ−Ｕが適用されることは、以下の要素Ａ１から要素Ａ６の一部または全部を含む技術（フレームワーク、構成）を少なくとも含んでもよい。
要素Ａ１：該あるコンポーネントキャリア（または、該あるサービングセル）において、第２のＳＳバーストセットが構成される
要素Ａ２：基地局装置３は、該あるコンポーネントキャリア（または、該あるサービングセル）において、第２のＳＳ／ＰＢＣＨブロックを送信する
要素Ａ３：端末装置１は、該あるコンポーネントキャリア（または、該あるサービングセル）において、第２のＳＳ／ＰＢＣＨブロックを受信する
要素Ａ４：基地局装置３は、該あるコンポーネントキャリア（または、該あるサービングセル）における第２のタイプ０ＰＤＣＣＨ共通探索領域セットにおいて、ＰＤＣＣＨを送信する
要素Ａ５：端末装置１は、該あるコンポーネントキャリア（または、該あるサービングセル）における第２のタイプ０ＰＤＣＣＨ共通探索領域セットにおいて、ＰＤＣＣＨを受信する
要素Ａ６：ＮＲ−Ｕに関連する上位層パラメータ（例えば、ＭＩＢに含まれるフィールド）が第１の値（例えば、１）を示す
【０２５３】
あるコンポーネントキャリアにおいて、ＮＲ−Ｕ（New Radio - Unlicensed）が適用されなくてもよい。あるサービングセルにおいて、ＮＲ−Ｕが適用されなくてもよい。あるコンポーネントキャリア（または、あるサービングセル）においてＮＲ−Ｕが適用されないことは、以下の要素Ｂ１から要素Ｂ６の一部または全部を含む技術（フレームワーク、
構成）を少なくとも含んでもよい。
要素Ｂ１：該あるコンポーネントキャリア（または、該あるサービングセル）において、第１のＳＳバーストセットが構成される
要素Ｂ２：基地局装置３は、該あるコンポーネントキャリア（または、該あるサービングセル）において、第１のＳＳ／ＰＢＣＨブロックを送信する
要素Ｂ３：端末装置１は、該あるコンポーネントキャリア（または、該あるサービングセル）において、第１のＳＳ／ＰＢＣＨブロックを受信する
要素Ｂ４：基地局装置３は、該あるコンポーネントキャリア（または、該あるサービングセル）における第１のタイプ０ＰＤＣＣＨ共通探索領域セットにおいて、ＰＤＣＣＨを送信する
要素Ｂ５：端末装置１は、該あるコンポーネントキャリア（または、該あるサービングセル）における第１のタイプ０ＰＤＣＣＨ共通探索領域セットにおいて、ＰＤＣＣＨを受信する
要素Ｂ６：ＮＲ−Ｕに関連する上位層パラメータ（例えば、ＭＩＢに含まれるフィールド）が該第１の値とは異なる値（例えば、０）を示す
【０２５４】
あるコンポーネントキャリアは、免許帯域（licensed band）に設定されてもよい。あ
るサービングセルは、免許帯域に設定されてもよい。ここで、あるコンポーネントキャリア（または、あるサービングセル）が免許帯域に設定されることは、以下の設定１から設定３の一部または全部を少なくとも含んでもよい。
設定１：あるコンポーネントキャリア（または、あるサービングセル）に対して免許帯域で動作することを示す上位層パラメータが与えられる、または、あるコンポーネントキャリア（または、あるサービングセル）に対して免許不要帯域（unlicensed band）で動作
することを示す上位層パラメータが与えられない
設定２：免許帯域で動作するように、あるコンポーネントキャリア（または、あるサービングセル）が設定される、または、免許不要帯域で動作するように、あるコンポーネントキャリア（または、あるサービングセル）が設定されない
設定３：あるコンポーネントキャリア（または、あるサービングセル）が免許帯域に含まれる、または、あるコンポーネントキャリア（または、あるサービングセル）が免許不要帯域に含まれない
【０２５５】
免許帯域は、該免許帯域において動作する（ことが期待される）端末装置に対して、無線局免許が要求されるような帯域であってもよい。免許帯域は、無線局免許を保有する事業者（事業体、事業、団体、企業）によって製造される端末装置のみが動作を許可されるような帯域であってもよい。免許不要帯域は、物理信号の送信に先立つチャネルアクセス手順が要求されないような帯域であってもよい。
【０２５６】
免許不要帯域は、該免許不要帯域において動作する（ことが期待される）端末装置に対して、無線局免許が要求されないような帯域であってもよい。免許不要帯域は、無線局免許を保有する事業者、および／または、無線局免許を保有しない事業者の一部または全部によって製造される端末装置が動作を許可されるような帯域であってもよい。免許不要帯域は、物理信号の送信に先立つチャネルアクセス手順が要求されるような帯域であってもよい。
【０２５７】
あるコンポーネントキャリア（または、あるサービングセル）にＮＲ−Ｕが適用されるか否かは、少なくとも該あるコンポーネントキャリア（または、該あるサービングセル）が、免許不要帯域で運用可能なバンド（例えば、免許不要帯域でのみ運用可能なバンド）に設定されているか否かに基づいて決められてもよい。例えば、ＮＲあるいはＮＲのキャリアアグリゲーションのためにデザインされたバンドのリストが規定されてもよい。例えば、あるバンドが、リスト内の１つまたは複数のバンドが免許不要帯域で運用可能なバン
ド（例えば、免許不要帯域でのみ運用可能なバンド）に含まれる場合、該あるバンドにＮＲ−Ｕが適用されてもよい。また、あるバンドが、リスト内の１つまたは複数のバンドが免許不要帯域で運用可能なバンド（例えば、免許不要帯域でのみ運用可能なバンド）に含まれない場合、該あるバンドにＮＲ−Ｕが適用されず、通常のＮＲ（例えば、リリース１５のＮＲ、あるいはリリース１６のＮＲ−Ｕ以外のＮＲ）が適用されてもよい。
【０２５８】
あるコンポーネントキャリア（または、あるサービングセル）にＮＲ−Ｕが適用されるか否かは、少なくともそのコンポーネントキャリア（または、そのサービングセル）が、ＮＲ−Ｕが運用可能なバンド（例えば、ＮＲ−Ｕでのみ運用可能なバンド）に設定されているか否かに基づいて決められてもよい。例えば、ＮＲあるいはＮＲのキャリアアグリゲーションがその運用のためにデザインされたバンドのリストが規定され、リスト内の１つあるいは複数のバンドがＮＲ−Ｕが運用可能なバンド（例えば、ＮＲ−Ｕのみ運用可能なバンド）として規定されている場合、そのコンポーネントキャリア（または、そのサービングセル）に対して設定されるバンドが、当該１つあるいは複数のバンドのいずれかであればＮＲ−Ｕが適用され、当該１つあるいは複数のバンド以外のバンドであればＮＲ−Ｕが適用されず、通常のＮＲ（例えば、リリース１５のＮＲ、あるいはリリース１６のＮＲ−Ｕ以外のＮＲ）が適用されてもよい。
【０２５９】
あるコンポーネントキャリア（または、あるサービングセル）にＮＲ−Ｕが適用されるか否かは、システムインフォメーション（例えば、Ｍａｓｔｅｒ Ｉｎｆｏｒｍａｔｉｏ
ｎ  Ｂｌｏｃｋ（ＭＩＢ、あるいはＰｈｙｓｉｃａｌ  Ｂｒｏａｄｃａｓｔ  Ｃｈａｎｎｅｌ（ＰＢＣＨ）））に含まれる情報に基づいて決められてもよい。例えば、ＭＩＢにＮＲ−Ｕを適用するか否かを示す情報が含まれており、その情報がＮＲ−Ｕを適用することを示している場合、そのＭＩＢが対応するサービングセルに対して、ＮＲ−Ｕが適用されてもよい。一方、その情報がＮＲ−Ｕを適用することを示していない場合、そのＭＩＢが対応するサービングセルに対して、ＮＲ−Ｕが適用されず、通常のＮＲが適用されてもよい。あるいは、その情報が免許不要帯域で運用可能か否かを示してもよい。
【０２６０】
あるコンポーネントキャリアは、免許不要帯域に設定されてもよい。あるサービングセルは、免許不要帯域に設定されてもよい。ここで、あるコンポーネントキャリア（または、あるサービングセル）が免許不要帯域に設定されることは、以下の設定４から設定６の一部または全部を少なくとも含んでもよい。
設定４：あるコンポーネントキャリア（または、あるサービングセル）に対して免許不要帯域で動作することを示す上位層パラメータが与えられる
設定５：免許不要帯域で動作するように、あるコンポーネントキャリア（または、あるサービングセル）が設定される
設定６：あるコンポーネントキャリア（または、あるサービングセル）が免許不要帯域に含まれる
【０２６１】
以下、コンポーネントキャリアにＮＲ−Ｕが適用される、またはＮＲ−Ｕが適用されないことを想定の下、説明を行う。なお、“コンポーネントキャリアにＮＲ−Ｕが適用される”ことは、“サービングセルにＮＲ−Ｕが適用される”ことであってもよいし、“コンポーネントキャリアにＮＲ−Ｕが適用されない”ことは、“サービングセルにＮＲ−Ｕが適用されない”ことであってもよい。
【０２６２】
図１３は、本実施形態の一態様に係るＰＵＳＣＨの構成に関する一例を示した図である。図１３において、横軸は時間軸であり、ＯＦＤＭシンボルインデックスを示す。また、図１３において、１３０１は物理信号であり、１３０２は下りリンクと上りリンクの切り替えに係るギャップであり、１３０３ａ、および、１３０３ｂは、上りリンク物理チャネルを構成する信号である。ある上りリンク物理チャネル１３０３は、１３０３ａ、および
、１３０３ｂの一方または両方を少なくとも含んでもよい。１３０３ａと１３０３ｂは同一のスロットに配置されてもよい。１３０３ａと１３０３ｂは異なるスロットに配置されなくてもよい。端末装置１は、１３０３ａと１３０３ｂが同一のスロットに配置されることを期待してもよい。端末装置１は、１３０３ａと１３０３ｂが異なるスロットに配置されることを期待しなくてもよい。基地局装置３は、１３０３ａと１３０３ｂを同一のスロットに配置してもよい。基地局装置３は、１３０３ａと１３０３ｂを異なるスロットに配置しなくてもよい。
【０２６３】
端末装置１は、１３０２においてチャネルアクセス手順を実施してもよい。端末装置１は、１３０２において実施されるチャネルアクセス手順に基づき、上りリンク物理チャネル１３０３を送信してもよい。例えば、端末装置１は、１３０２において実施されるチャネルアクセス手順の結果、媒体がアイドルであると判断した場合に、上りリンク物理チャネル１３０３を送信してもよい。また、端末装置１は、１３０３において実施されるチャネルアクセス手順の結果、媒体がビジーであると判断した場合に、上りリンク物理チャネル１３０３を送信しなくてもよい。
【０２６４】
例えば、１３０３ａは、ＯＦＤＭシンボルの一部により構成されてもよい。例えば、１３０３ａは、ＯＦＤＭシンボルの少なくとも一部において送信されず、それ以外の一部において送信されるような信号により構成されてもよい。例えば、１３０３ａは、ＯＦＤＭシンボルの一部のみに時間領域信号が生成されるようなＯＦＤＭシンボルを含んで構成されてもよい。
【０２６５】
１３０３ａの時間領域信号は、ＯＦＤＭシンボル＃４以外のＯＦＤＭシンボル（例えば、ＯＦＤＭシンボル＃５など）に含まれるリソースエレメントのコンテンツに少なくとも基づき生成されてもよい。例えば、１３０３ａの時間領域信号は、ＯＦＤＭシンボル＃４の次のＯＦＤＭシンボル（つまり、ＯＦＤＭシンボル＃５）に含まれるリソースエレメントのコンテンツに少なくとも基づき生成されてもよい。
【０２６６】
以下、サブキャリアインデックスｋｓｃは、サブキャリアインデックスｋとも呼称される。また、ＯＦＤＭシンボルインデックスｌｓｙｍは、ＯＦＤＭシンボルインデックスｌとも呼称される。つまり、ｋはサブキャリアインデックスを示すために用いられてもよく、ｌは、ＯＦＤＭシンボルインデックスとして用いられてもよい。
【０２６７】
上りリンク物理チャネルの時間領域信号ｓｌ（ｔ）は、数式（１）により生成されてもよい。
【数１】
0006877508.tif 000002
【０２６８】
数式（１）において、ｔは、時間を示す。また、ａｋ，ｌは、サブキャリアインデックスｋ、および、ＯＦＤＭシンボルインデックスｌにより特定されるリソースエレメントのコンテンツを示す。ここで、該コンテンツは、例えば、１または複数の変調シンボルであってもよい。また、該コンテンツは、１または複数の変調シンボルに基づき与えられる複素数値であってもよい。また、数式（１）において、ｊは虚数単位を示す。また、πは円周率を示す。また、ＮμＣＰ，ｌは、ＣＰ設定が拡張ＣＰである場合に、５１２κ・２−μであってもよい。また、ＮμＣＰ，ｌは、ＣＰ設定がノーマルＣＰであり、かつ、ｌ＝０である場合に、１４４κ・２−μ＋１６κであってもよい。また、ＮμＣＰ，ｌは、ＣＰ設定がノーマルＣＰであり、かつ、ｌ＝７・２μである場合に、１４４κ・２−μ＋１６κであってもよい。また、ＮμＣＰ，ｌは、ＣＰ設定がノーマルＣＰであり、かつ、ｌ＝０でない、かつ、ｌ≠７・２μである場合に、１４４κ・２−μであってもよい。
【０２６９】
また、数式（１）において、ｋμ０は、数式（２）により与えられてもよい。
【数２】
0006877508.tif 000003
【０２７０】
数式（２）において、μ０は、端末装置１に対して設定されるサブキャリア間隔の設定μの中での最大値であってもよい。
【０２７１】
数式（１）において、ｔの定義域（または、範囲）は、数式（３）により与えられてもよい。
【数３】
0006877508.tif 000004
【０２７２】
数式（３）において、ｔμｓｔａｒｔ，ｌは、ｌ＝０の場合に０であってもよい。また、ｔμｓｔａｒｔ，ｌは、ｌ≠０の場合にｔμｓｔａｒｔ，ｌ−１＋（Ｎμｕ＋ＮμＣＰ，ｌ−１）Ｔｃであってもよい。また、Ｎμｕは、２０４８κ・２−μであってもよい。
【０２７３】
１３０３ｂの時間領域信号は、数式（１）に基づき生成されてもよい。つまり、１３０３ｂに含まれるあるＯＦＤＭシンボルの時間領域信号は、該あるＯＦＤＭシンボルに含まれるリソースエレメントのコンテンツに少なくとも基づき与えられてもよい。
【０２７４】
１３０３ａの時間領域信号は、１３０３ｂの時間領域信号の生成方法とは異なる方法に基づき時間領域信号が生成されてもよい。例えば、１３０３ａに含まれるあるＯＦＤＭシンボルの時間領域信号は、該あるＯＦＤＭシンボルとは異なるＯＦＤＭシンボルに含まれるリソースエレメントのコンテンツに少なくとも基づき与えられてもよい。例えば、１３０３ａに含まれるあるＯＦＤＭシンボルの時間領域信号は、該あるＯＦＤＭシンボルの次のＯＦＤＭシンボルに含まれるリソースエレメントのコンテンツに少なくとも基づき与えられてもよい。また、１３０３ａに含まれるあるＯＦＤＭシンボルの時間領域信号は、１３０３ｂに含まれるあるＯＦＤＭシンボルに含まれるリソースエレメントのコンテンツに少なくとも基づき与えられてもよい。また、１３０３ａに含まれるあるＯＦＤＭシンボルの時間領域信号は、１３０３ｂに含まれる先頭のＯＦＤＭシンボルに含まれるリソースエレメントのコンテンツに少なくとも基づき与えられてもよい。
【０２７５】
１３０３ａに含まれるＯＦＤＭシンボルの時間領域信号を、フローティングＣＰ（floating CP）とも呼称する。例えば、あるＯＦＤＭシンボルの時間領域信号にフローティン
グＣＰが適用されることは、該あるＯＦＤＭシンボルの時間領域信号が、該あるＯＦＤＭシンボルとは異なるＯＦＤＭシンボルに含まれるリソースエレメントのコンテンツに少なくとも基づき与えられることであってもよい。また、あるＯＦＤＭシンボルの時間領域信号にフローティングＣＰが適用されることは、該あるＯＦＤＭシンボルの時間領域信号が、該あるＯＦＤＭシンボルの次のＯＦＤＭシンボルに含まれるリソースエレメントのコンテンツに少なくとも基づき与えられることであってもよい。また、１３０３ａに含まれるあるＯＦＤＭシンボルにフローティングＣＰが適用されることは、該あるＯＦＤＭシンボルの時間領域信号が、１３０３ｂに含まれるあるＯＦＤＭシンボルに含まれるリソースエレメントのコンテンツに少なくとも基づき与えられることであってもよい。
【０２７６】
例えば、あるＯＦＤＭシンボルの時間領域信号の一部にフローティングＣＰが適用されることは、該あるＯＦＤＭシンボルの時間領域信号の該一部にフローティングＣＰが適用され、該一部以外の時間領域信号が生成されない（または、電力、または、振幅が０の時
間領域信号が生成される）ことであってもよい。
【０２７７】
例えば、あるＯＦＤＭシンボルの時間領域信号の全部にフローティングＣＰが適用されることは、該あるＯＦＤＭシンボルの時間領域信号の該全部にフローティングＣＰが適用されることであってもよい。
【０２７８】
例えば、あるＯＦＤＭシンボルの時間領域信号にフローティングＣＰが適用されないことは、該あるＯＦＤＭシンボルの時間領域信号が、該あるＯＦＤＭシンボルに含まれるリソースエレメントのコンテンツに少なくとも基づき与えられることであってもよい。
【０２７９】
例えば、あるＯＦＤＭシンボルの時間領域信号にフローティングＣＰが適用されずに送信されないことは、該あるＯＦＤＭシンボルの時間領域信号が生成されない（または、電力、または、振幅が０の時間領域信号が生成される）ことであってもよい。
【０２８０】
例えば、あるＯＦＤＭシンボルの時間領域信号にフローティングＣＰが適用されずに送信されることは、該あるＯＦＤＭシンボルの時間領域信号が、該あるＯＦＤＭシンボルに含まれるリソースエレメントのコンテンツに少なくとも基づき与えられることであってもよい。
【０２８１】
例えば、１３０３ａのＯＦＤＭシンボルインデックスｌのＯＦＤＭシンボルの時間領域信号のうち、数式（４）によって示されるｔの定義域における時間領域信号は、数式（５）に少なくとも基づき生成されてもよい。
【数４】
0006877508.tif 000005
【数５】
0006877508.tif 000006
【０２８２】
数式（４）において、Ｔｔｘｓｔａｒｔは、０とは異なる値であってもよい。また、Ｔｔｘｓｔａｒｔは、０より大きい値であってもよい。例えば、Ｔｔｘｓｔａｒｔは、Ｎｔｘｓｔａｒｔ・Ｔｃであってもよい。また、Ｎｔｘｓｔａｒｔは、０とは異なる値であってもよい。また、Ｎｔｘｓｔａｒｔは、０より大きい値であってもよい。フローティングＣＰは、数式（４）に少なくとも基づき生成されてもよい。
【０２８３】
例えば、Ｔｔｘｓｔａｒｔは、上りリンク物理チャネルの送信に先立って実施されるチャネルアクセス手順のために用いられるギャップ（例えば、図１３における１３０２）を設定するために用いられてもよい。
【０２８４】
数式（５）において、ｈは０とは異なる整数である。例えば、ｈは１であってもよい。また、ｈは２であってもよい。例えば、サブキャリア間隔の設定μが０または１である場合に、ｈは１であってもよい。また、サブキャリア間隔の設定μが２である場合に、ｈは２であってもよい。また、サブキャリア間隔の設定μに関わらず、ｈは１であってもよい。
【０２８５】
以下、上りリンク物理チャネル１３０３がＰＵＣＣＨとして構成される場合を例にとり、説明を行う。
【０２８６】
ＰＵＣＣＨは、第１のＰＵＣＣＨフォーマット、または、第２のＰＵＣＣＨフォーマットを含んでもよい。例えば、第１のＰＵＣＣＨフォーマットは、２ビット以下のＨＡＲＱ−ＡＣＫおよびスケジューリングリクエストビットの一方または両方を送信するために用
いられてもよい。例えば、第２のＰＵＣＣＨフォーマットは、３ビット以上の３ビット以上のＵＣＩを送信するために少なくとも用いられてもよい。ここで、第２のＰＵＣＣＨフォーマットは、２ビットのＨＡＲＱ−ＡＣＫおよびスケジューリングリクエストビットを送信するためには用いられなくてもよい。
【０２８７】
図１４は、本実施形態の一態様に係る第１のＰＵＣＣＨフォーマットの構成例を示す図である。第１のＰＵＣＣＨフォーマットは、ＰＵＣＣＨフォーマット１とも呼称される。図１４において、横軸はＯＦＤＭシンボルインデックスである。ここで、ＰＵＣＣＨ（上りリンク物理チャネル１３０３）の開始ＯＦＤＭシンボル（starting OFDM symbol）はＯＦＤＭシンボル＃２であり、該ＰＵＣＣＨの終端ＯＦＤＭシンボルはＯＦＤＭシンボル＃１３であり、該ＰＵＣＣＨのＯＦＤＭシンボルの数（または、長さ、期間）は１２である。該ＰＵＣＣＨのＤＭＲＳは、該ＰＵＣＣＨの開始ＯＦＤＭシンボルを０番目のＯＦＤＭシンボルインデックスとして、偶数番目のＯＦＤＭシンボルインデックスに配置される。また、該ＰＵＣＣＨにおいて該ＤＭＲＳが配置されないＯＦＤＭシンボルインデックスにＵＣＩの変調シンボルが配置される。図１４に示されるように、ＰＵＣＣＨは、開始ＯＦＤＭシンボルから終端ＯＦＤＭシンボルまで連続的に配置されてもよい。
【０２８８】
例えば、第１のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＣＣＨのＤＭＲＳは、該Ｘ＋１番目のＯＦＤＭシンボルを０番目のＯＦＤＭシンボルインデックスとして、偶数番目のＯＦＤＭシンボルインデックスのＯＦＤＭシンボルに配置されてもよい。
【０２８９】
例えば、第１のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＰＵＣＣＨのＤＭＲＳは、該Ｘ番目のＯＦＤＭシンボルを０番目のＯＦＤＭシンボルインデックスとして、偶数番目のＯＦＤＭシンボルインデックスのＯＦＤＭシンボルに配置されてもよい。
【０２９０】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の一部にフローティングＣＰが適用される場合、該ＰＵＣＣＨのＤＭＲＳは、Ｘ＋１番目のＯＦＤＭシンボルを０番目のＯＦＤＭシンボルインデックスとして、偶数番目のＯＦＤＭシンボルインデックスのＯＦＤＭシンボルに配置されてもよい。
【０２９１】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の全部にフローティングＣＰが適用される場合、該ＰＵＣＣＨのＤＭＲＳは、Ｘ＋１番目のＯＦＤＭシンボルを０番目のＯＦＤＭシンボルインデックスとして、偶数番目のＯＦＤＭシンボルインデックスのＯＦＤＭシンボルに配置されてもよい。
【０２９２】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番
目のＯＦＤＭシンボルの時間領域信号にフローティングＣＰが適用されずに送信されない場合、該ＰＵＣＣＨのＤＭＲＳは、該Ｘ＋１番目のＯＦＤＭシンボルを０番目のＯＦＤＭシンボルインデックスとして、偶数番目のＯＦＤＭシンボルインデックスのＯＦＤＭシンボルに配置されてもよい。
【０２９３】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信される場合、該ＰＵＣＣＨのＤＭＲＳは、該Ｘ番目のＯＦＤＭシンボルを０番目のＯＦＤＭシンボルインデックスとして、偶数番目のＯＦＤＭシンボルインデックスのＯＦＤＭシンボルに配置されてもよい。
【０２９４】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられる場合、Ｘ−１番目のＯＦＤＭシンボルの時間領域信号にフローティングＣＰが適用されるか否かに関わらず、該ＰＵＣＣＨのＤＭＲＳは、Ｘ番目のＯＦＤＭシンボルを０番目のＯＦＤＭシンボルインデックスとして、偶数番目のＯＦＤＭシンボルインデックスのＯＦＤＭシンボルに配置されてもよい。ここで、該Ｘ−１番目のＯＦＤＭシンボルの時間領域信号にフローティングＣＰが適用される場合、該ＰＵＣＣＨの実際の開始ＯＦＤＭシンボルは、該Ｘ−１番目のＯＦＤＭシンボルであってもよい。
【０２９５】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の一部にフローティングＣＰが適用される場合、該ＰＵＣＣＨのＤＭＲＳは、Ｘ番目のＯＦＤＭシンボルを０番目のＯＦＤＭシンボルインデックスとして、偶数番目のＯＦＤＭシンボルインデックスのＯＦＤＭシンボルに配置されてもよい。ここで、該ＰＵＣＣＨの実際の開始ＯＦＤＭシンボルは、該Ｘ−１番目のＯＦＤＭシンボルであってもよい。
【０２９６】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の全部にフローティングＣＰが適用される場合、該ＰＵＣＣＨのＤＭＲＳは、Ｘ番目のＯＦＤＭシンボルを０番目のＯＦＤＭシンボルインデックスとして、偶数番目のＯＦＤＭシンボルインデックスのＯＦＤＭシンボルに配置されてもよい。ここで、該ＰＵＣＣＨの実際の開始ＯＦＤＭシンボルは、該Ｘ−１番目のＯＦＤＭシンボルであってもよい。
【０２９７】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信されない場合、該ＰＵＣＣＨのＤＭＲＳは、Ｘ番目のＯＦＤＭシンボルを０番目のＯＦＤＭシンボルインデックスとして、偶数番目のＯＦＤＭシンボルインデックスのＯＦＤＭシンボルに配置されてもよい。
【０２９８】
例えば、第１のＰＵＣＣＨフォーマットにより構成されるＰＵＣＣＨの開始ＯＦＤＭシ
ンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信される場合、該ＰＵＣＣＨのＤＭＲＳは、Ｘ−１番目のＯＦＤＭシンボルを０番目のＯＦＤＭシンボルインデックスとして、偶数番目のＯＦＤＭシンボルインデックスのＯＦＤＭシンボルに配置されてもよい。
【０２９９】
図１５は、本実施形態の一態様に係る第２のＰＵＣＣＨフォーマットの構成例を示す図である。第２のＰＵＣＣＨフォーマットは、ＰＵＣＣＨフォーマット３とも呼称される。図１５において、横軸はＯＦＤＭシンボルインデックスである。ここで、ＰＵＣＣＨ（上りリンク物理チャネル１３０３）の開始ＯＦＤＭシンボル（starting OFDM symbol）はＯＦＤＭシンボル＃２であり、該ＰＵＣＣＨの終端ＯＦＤＭシンボルはＯＦＤＭシンボル＃１３であり、該ＰＵＣＣＨのＯＦＤＭシンボルの数（または、長さ、期間）は１２である。該ＰＵＣＣＨのＤＭＲＳは、該ＰＵＣＣＨの開始ＯＦＤＭシンボルを０番目のＯＦＤＭシンボルインデックスとして、２番目と８番目のＯＦＤＭシンボルインデックスに配置される。また、該ＰＵＣＣＨにおいて該ＤＭＲＳが配置されないＯＦＤＭシンボルインデックスにＵＣＩの変調シンボルが配置される。図１５に示されるように、ＰＵＣＣＨは、開始ＯＦＤＭシンボルから終端ＯＦＤＭシンボルまで連続的に配置されてもよい。
【０３００】
第２のＰＵＣＣＨフォーマットにより構成されるＰＵＣＣＨのＤＭＲＳは、所定のＯＦＤＭシンボルのセットに含まれるＯＦＤＭシンボルに配置されてもよい。所定のＯＦＤＭシンボルのセットは、ＰＵＣＣＨのＯＦＤＭシンボル数に少なくとも基づき与えられてもよい。例えば、ＰＵＣＣＨのＯＦＤＭシンボルの数が５である場合に、所定のＯＦＤＭシンボルのセットは、０番目と３番目のＯＦＤＭシンボルを含んでもよい。また、ＰＵＣＣＨのＯＦＤＭシンボルの数が８である場合に、所定のＯＦＤＭシンボルのセットは、１番目と５番目のＯＦＤＭシンボルを含んでもよい。また、ＰＵＣＣＨのＯＦＤＭシンボルの数が１０である場合に、所定のＯＦＤＭシンボルのセットは、２番目と７番目のＯＦＤＭシンボルを含んでもよい。また、ＰＵＣＣＨのＯＦＤＭシンボルの数が１４である場合に、所定のＯＦＤＭシンボルのセットは、３番目と１０番目のＯＦＤＭシンボルを含んでもよい。
【０３０１】
例えば、第２のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＣＣＨのＤＭＲＳは、該Ｘ＋１番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬであると想定されることに少なくとも基づき与えられてもよい。
【０３０２】
例えば、第２のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＰＵＣＣＨのＤＭＲＳは、該Ｘ番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬ＋１であると想定されることに少なくとも基づき与えられてもよい。
【０３０３】
例えば、第２のＰＵＣＣＨフォーマットにより構成されるＰＵＣＣＨの開始ＯＦＤＭシ
ンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の一部にフローティングＣＰが適用される場合、該ＰＵＣＣＨのＤＭＲＳは、Ｘ＋１番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬであると想定されることに少なくとも基づき与えられてもよい。
【０３０４】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の全部にフローティングＣＰが適用される場合、該ＰＵＣＣＨのＤＭＲＳは、Ｘ＋１番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬであると想定されることに少なくとも基づき与えられてもよい。
【０３０５】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信されない場合、該ＰＵＣＣＨのＤＭＲＳは、該Ｘ＋１番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬであると想定されることに少なくとも基づき与えられてもよい。
【０３０６】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信される場合、該ＰＵＣＣＨのＤＭＲＳは、該Ｘ番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬ＋１であると想定されることに少なくとも基づき与えられてもよい。
【０３０７】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられる場合、Ｘ−１番目のＯＦＤＭシンボルの時間領域信号にフローティングＣＰが適用されるか否かに関わらず、該ＰＵＣＣＨのＤＭＲＳは、Ｘ番目のＯＦＤＭシンボルを０番目のＯＦＤＭシンボルインデックスとして、所定のＯＦＤＭシンボルのセットに含まれるＯＦＤＭシンボルに配置されてもよい。ここで、該Ｘ−１番目のＯＦＤＭシンボルの時間領域信号にフローティングＣＰが適用される場合、該ＰＵＣＣＨの実際の開始ＯＦＤＭシンボルは、該Ｘ−１番目のＯＦＤＭシンボルであってもよい。該所定のＯＦＤＭシンボルのセットは、該ＰＵＣＣＨのＯＦＤＭシンボルの数がＬであると想定されることに少なくとも基づき与えられてもよい。
【０３０８】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−
１番目のＯＦＤＭシンボルの時間領域信号の一部にフローティングＣＰが適用される場合、該ＰＵＣＣＨのＤＭＲＳは、Ｘ番目のＯＦＤＭシンボルを０番目のＯＦＤＭシンボルインデックスとして、所定のＯＦＤＭシンボルのセットに含まれるＯＦＤＭシンボルに配置されてもよい。ここで、該ＰＵＣＣＨの実際の開始ＯＦＤＭシンボルは、該Ｘ−１番目のＯＦＤＭシンボルであってもよい。該所定のＯＦＤＭシンボルのセットは、該ＰＵＣＣＨのＯＦＤＭシンボルの数がＬであると想定されることに少なくとも基づき与えられてもよい。
【０３０９】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の全部にフローティングＣＰが適用される場合、該ＰＵＣＣＨのＤＭＲＳは、Ｘ番目のＯＦＤＭシンボルを０番目のＯＦＤＭシンボルインデックスとして、所定のＯＦＤＭシンボルのセットに含まれるＯＦＤＭシンボルに配置されてもよい。ここで、該ＰＵＣＣＨの実際の開始ＯＦＤＭシンボルは、該Ｘ−１番目のＯＦＤＭシンボルであってもよい。該所定のＯＦＤＭシンボルのセットは、該ＰＵＣＣＨのＯＦＤＭシンボルの数がＬであると想定されることに少なくとも基づき与えられてもよい。
【０３１０】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信されない場合、該ＰＵＣＣＨのＤＭＲＳは、Ｘ番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬであると想定されることに少なくとも基づき与えられてもよい。
【０３１１】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信される場合、該ＰＵＣＣＨのＤＭＲＳは、Ｘ−１番目のＯＦＤＭシンボルを０番目のＯＦＤＭシンボルインデックスとして、所定のＯＦＤＭシンボルのセットに含まれるＯＦＤＭシンボルに配置されてもよい。該所定のＯＦＤＭシンボルのセットは、該ＰＵＣＣＨのＯＦＤＭシンボルの数がＬ＋１であると想定されることに少なくとも基づき与えられてもよい。
【０３１２】
第１のＰＵＣＣＨフォーマットにおいて、ビットのブロックｂ（０），．．．，ｂ（Ｍｂｉｔ−１）のＢＰＳＫ（Binary Phase Shift Keying）、または、ＱＰＳＫ（Quadrature Phase Shift Keying）変調により、複素数値変調シンボルｄ（０）が生成されてもよい。該変調シンボルと数式（６）に少なくとも基づき、複素数値変調シンボルの系列ｙ（ｎ）が生成されてもよい。
【数６】
0006877508.tif 000007
【０３１３】
数式（６）において、ｒ（ｎ）は、ある系列のｎ番目の要素を示す。ここで、該ある系列は、低ＰＡＰＲ系列（low-PAPR sequence）であってもよい。ここで、ＰＡＰＲ（Peak-to-Average Power Ratio）は、ある信号のピーク電力（または、最大電力）と、平均電力の比を示す用語である。例えば、低ＰＡＰＲ系列は、自己相関が０の系列であってもよい。また、低ＰＡＰＲ系列は、自己相関が０であり、かつ、低振幅な信号を与える系列であ
ってもよい。また、低ＰＡＰＲ系列は、ＺＣ（Zadoff-Chu）系列により与えられてもよい。また、数式（６）において、ｎの定義域は、０からＮＲＢｓｃ−１の間の整数であってもよい。
【０３１４】
ｙ（ｎ）は、拡散系列ｗ（ｍ）に基づきブロック的に拡散され（block-wise spread）
てもよい。拡散された後の系列ｚは、数式（７）に少なくとも基づき生成されてもよい。
【数７】
0006877508.tif 000008
【０３１５】
数式（７）において、ｍ´は、周波数ホッピングに関連するインデックスである。また、ＮＰＵＣＣＨＳＦ，０は、周波数ホップ＃０のための拡散系列ｗ（ｍ）の拡散率に関連するインデックスを示す。拡散系列ｗ（ｍ）の拡散率は、拡散系列ｗ（ｍ）の系列の長さに対応してもよい。ｗ（ｍ）は、数式（８）に少なくとも基づき生成されてもよい。ＰＵＣＣＨにスロット内周波数ホッピングが適用されない場合、該ＰＵＣＣＨは周波数ホップ＃０で構成されてもよい。スロット内周波数ホッピングは、ある上りリンク物理チャネルがあるスロットにおける周波数ホッピングであってもよい。
【数８】
0006877508.tif 000009
【０３１６】
数式（８）において、ｊは虚数単位を示す。また、πは円周率を示す。φ（ｍ）は、系列である。ＮＰＵＣＣＨＳＦ，ｍ´は、周波数ホップ＃ｍ´のための拡散系列ｗ（ｍ）の拡散率に関するインデックスを示す。φ（ｍ）の系列長は、ＵＣＩの変調シンボルに適用されるＯＣＣ（Orthogonal Cover Code）の拡散率（Spreading factor）に対応してもよ
い。φ（ｍ）の系列長は、ＮＰＵＣＣＨＳＦ，ｍ´の値に少なくとも基づき与えられてもよい。つまり、φ（ｍ）の系列長は、周波数ホップごとに与えられてもよい。ＮＰＵＣＣＨＳＦ，ｍ´の値は、ＰＵＣＣＨのＯＦＤＭシンボルの数に少なくとも基づき与えられてもよい。
【０３１７】
例えば、ＰＵＣＣＨのＯＦＤＭシンボルの数が１４であり、周波数ホッピングが適用されない場合、ＮＰＵＣＣＨＳＦ，０の値は７であってもよい。また、ＰＵＣＣＨのＯＦＤＭシンボルの数が１２であり、周波数ホッピングが適用されない場合、ＮＰＵＣＣＨＳＦ，０の値は６であってもよい。また、ＰＵＣＣＨのＯＦＤＭシンボルの数が１４であり、周波数ホッピングが適用される場合、ＮＰＵＣＣＨＳＦ，０の値は３であってもよく、ＮＰＵＣＣＨＳＦ，１の値は４であってもよい。
【０３１８】
例えば、第１のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬであると想定されることに少なくとも基づき与えられてもよい。
【０３１９】
例えば、第１のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＰＵＣＣＨに含まれるＵＣＩの変調シンボルに適用されるＯＣＣの拡散率に関連するインデックスＮＰＵＣＣＨＳＦ，ｍ´は、ＰＵＣ
ＣＨのＯＦＤＭシンボルの数がＬ＋１であると想定されることに少なくとも基づき与えられてもよい。
【０３２０】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の一部にフローティングＣＰが適用される場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬであると想定されることに少なくとも基づき与えられてもよい。
【０３２１】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の全部にフローティングＣＰが適用される場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬであると想定されることに少なくとも基づき与えられてもよい。
【０３２２】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信されない場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬであると想定されることに少なくとも基づき与えられてもよい。
【０３２３】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信される場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬ＋１であると想定されることに少なくとも基づき与えられてもよい。
【０３２４】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられる場合、Ｘ−１番目のＯＦＤＭシンボルの時間領域信号にフローティングＣＰが適用されるか否かに関わらず、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬであると想定されることに少なくとも基づき与えられてもよい。ここで、該Ｘ−１番目のＯＦＤＭシンボルの時間領域信号にフローティングＣＰが適用される場合、該ＰＵＣＣＨの実際の開始ＯＦＤＭシンボルは、該Ｘ−１番目のＯＦＤＭシンボルであってもよい。
【０３２５】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の一部にフローティングＣＰが適用される場合、該ＰＵＣＣＨに含まれるＵＣＩの変調シンボルに適用されるＯＣＣの拡散率に関連する
インデックスＮＰＵＣＣＨＳＦ，ｍ´は、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３２６】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の全部にフローティングＣＰが適用される場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３２７】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信されない場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬであると想定されることに少なくとも基づき与えられてもよい。
【０３２８】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信される場合、該ＰＵＣＣＨに含まれるＵＣＩの変調シンボルに適用されるＯＣＣの拡散率に関連するインデックスＮＰＵＣＣＨＳＦ，ｍ´は、ＰＵＣＣＨのＯＦＤＭシンボルの数がＬ＋１であると想定されることに少なくとも基づき与えられてもよい。
【０３２９】
端末装置１は、数式（９）に少なくとも基づきＰＵＣＣＨの送信電力ＰＰＵＣＣＨ，ｂ，ｆ，ｃ（ｉ，ｑｕ，ｑｄ，ｌ）を決定してもよい。また、端末装置１は、数式（９）に示される右辺の各種パラメータの一部または全部に少なくとも基づき、ＰＵＣＣＨの送信電力ＰＰＵＣＣＨ，ｂ，ｆ，ｃ（ｉ，ｑｕ，ｑｄ，ｌ）を決定してもよい。端末装置１によって決定されるＰＵＣＣＨの送信電力ＰＰＵＣＣＨ，ｂ，ｆ，ｃ（ｉ，ｑｕ，ｑｄ，ｌ）は、プライマリセル＃ｃにおけるキャリア＃ｆにおける上りリンクＢＷＰ＃ｂにおいて送信されるＰＵＣＣＨの送信電力値を示す。
【数９】
0006877508.tif 000010
【０３３０】
数式（９）において、ｉは、ＰＵＣＣＨの送信機会を示すインデックスである。ここで、ＰＵＣＣＨの送信機会は、該ＰＵＣＣＨが配置される開始ＯＦＤＭシンボルのインデックスと、該ＰＵＣＣＨのＯＦＤＭシンボルの数に少なくとも基づき定義されてもよい。つまり、ＰＵＣＣＨの送信機会を示すインデックスｉは、ＰＵＣＣＨの時間領域の位置に関連する。また、数式（９）において、ｌはＰＵＣＣＨの送信電力の調整に関連するインデックスである。
【０３３１】
数式（９）において、ＰＣＭＡＸ，ｆ，ｃ（ｉ）は、サービングセルｃのキャリア＃ｆにおいて端末装置１に設定される最大出力電力（UE configured maximum output power）を示す。
【０３３２】
数式（９）において、ＰＯ＿ＰＵＣＣＨ，ｂ，ｆ，ｃ（ｑｕ）は、インデックスｑｕに対応する送信電力パラメータであってもよい。ＰＯ＿ＰＵＣＣＨ，ｂ，ｆ，ｃ（ｑｕ）は、ターゲット送信電力などとも呼称される。ＰＯ＿ＰＵＣＣＨ，ｂ，ｆ，ｃ（ｑｕ）ＲＲＣパラメータにより与えられてもよい。
【０３３３】
数式（９）において、ＭＰＵＣＣＨＲＢ，ｂ，ｆ，ｃ（ｉ）は、サービングセル＃ｃのキャリア＃ｆの上りリンクＢＷＰ＃ｂにおいて送信されるＰＵＣＣＨのリソースブロックの数を示す。
【０３３４】
数式（９）において、ＰＬｂ，ｆ，ｃ（ｑｄ）は、インデックスｑｄの下りリンク物理シグナルにより測定される伝搬路減衰（Path loss）に基づき与えられる値を示す。
【０３３５】
数式（９）において、ΔＦ＿ＰＵＣＣＨ（Ｆ）は、ＰＵＣＣＨフォーマットごとに設定される値である。
【０３３６】
数式（９）において、第１のＰＵＣＣＨフォーマットのためのΔＴＦ，ｂ，ｆ，ｃ（ｉ）は、数式（１０）に少なくとも基づき与えられるパラメータである。つまり、端末装置１は、数式（１０）に少なくとも基づき、第１のＰＵＣＣＨフォーマットのためのΔＴＦ，ｂ，ｆ，ｃ（ｉ）の値を決定してもよい。
【数１０】
0006877508.tif 000011
【０３３７】
数式（１０）において、第１のＰＵＣＣＨフォーマットに対して、ＮＰＵＣＣＨｒｅｆはＮｓｌｏｔｓｙｍｂである。また、ＮＰＵＣＣＨｓｙｍｂ（ｉ）は、ＲＲＣパラメータにより設定されるＰＵＣＣＨのＯＦＤＭシンボルの数であってもよい。
【０３３８】
数式（１０）において、ΔＵＣＩ（ｉ）は、１０・ｌｏｇ１０（ＯＵＣＩ（ｉ））で与えられる。ＯＵＣＩ（ｉ）は、インデックスｉの送信機会に対応するＰＵＣＣＨに含まれるＵＣＩのビット数を示す。
【０３３９】
例えば、第１のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。
【０３４０】
例えば、第１のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＰＵＣＣＨの送信電力の決定に用いられる値ＮＰＵＣＣＨｓｙｍｂ（ｉ）は、ＰＵＣＣＨのＯＦＤＭシンボルの数がＬ＋１であると想定されることに少なくとも基づき与えられてもよい。
【０３４１】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の一部にフローティングＣＰが適用される場合、該
ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。
【０３４２】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の全部にフローティングＣＰが適用される場合、該ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。
【０３４３】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信されない場合、該ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。
【０３４４】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信される場合、該ＰＵＣＣＨの送信電力の決定に用いられる値ＮＰＵＣＣＨｓｙｍｂ（ｉ）は、ＰＵＣＣＨのＯＦＤＭシンボルの数がＬ＋１であると想定されることに少なくとも基づき与えられてもよい。
【０３４５】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられる場合、Ｘ−１番目のＯＦＤＭシンボルの時間領域信号にフローティングＣＰが適用されるか否かに関わらず、該ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。ここで、該Ｘ−１番目のＯＦＤＭシンボルの時間領域信号にフローティングＣＰが適用される場合、該ＰＵＣＣＨの実際の開始ＯＦＤＭシンボルは、該Ｘ−１番目のＯＦＤＭシンボルであってもよい。
【０３４６】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の一部にフローティングＣＰが適用される場合、該ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３４７】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−
１番目のＯＦＤＭシンボルの時間領域信号の全部にフローティングＣＰが適用される場合、該ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３４８】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信されない場合、該ＰＵＣＣＨの送信電力の決定に用いられる値ＮＰＵＣＣＨｓｙｍｂ（ｉ）は、ＰＵＣＣＨのＯＦＤＭシンボルの数がＬであると想定されることに少なくとも基づき与えられてもよい。
【０３４９】
例えば、第１のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信される場合、該ＰＵＣＣＨの送信電力の決定に用いられる値ＮＰＵＣＣＨｓｙｍｂ（ｉ）は、ＰＵＣＣＨのＯＦＤＭシンボルの数がＬ＋１であると想定されることに少なくとも基づき与えられてもよい。
【０３５０】
インデックスｉの送信機会に対応するＵＣＩのビット数が１１以下の場合、数式（９）において、第２のＰＵＣＣＨフォーマットのためのΔＴＦ，ｂ，ｆ，ｃ（ｉ）は、数式（１１）に少なくとも基づき与えられるパラメータである。つまり、端末装置１は、数式（１１）に少なくとも基づき、第２のＰＵＣＣＨフォーマットのためのΔＴＦ，ｂ，ｆ，ｃ（ｉ）の値を決定してもよい。
【数１１】
0006877508.tif 000012
【０３５１】
数式（１１）において、Ｋ１は６である。また、ｎＨＡＲＱ−ＡＣＫ（ｉ）は、インデックスｉの送信機会に対応するＰＵＣＣＨで送信されるＨＡＲＱ−ＡＣＫコードブックに関連する値である。ここで、インデックスｉの送信機会に対応するＰＵＣＣＨで送信されるＨＡＲＱ−ＡＣＫコードブックに関連する値は、該ＨＡＲＱ−ＡＣＫコードブックに含まれるビット数であってもよい。また、ＯＳＲ（ｉ）は、インデックスｉの送信機会に対応するＰＵＣＣＨで送信されるＳＲのビット数である。また、ＯＣＳＩ（ｉ）は、インデックスｉの送信機会に対応するＰＵＣＣＨで送信されるＣＳＩのビット数である。
【０３５２】
数式（１１）において、ＮＲＥ（ｉ）は、ＭＰＵＣＣＨＲＢ，ｂ，ｆ，ｃ（ｉ）・ＮＲＢｓｃ，ｃｔｒｌ（ｉ）・ＮＰＵＣＣＨｓｙｍｂ−ＵＣＩ，ｂ，ｆ，ｃ（ｉ）によって与えられる。ここで、ＮＲＢｓｃ，ｃｔｒｌ（ｉ）は、１２である。また、ＮＰＵＣＣＨｓｙｍｂ−ＵＣＩ，ｂ，ｆ，ｃ（ｉ）は、ＵＣＩの送信に用いられるＰＵＣＣＨのＯＦＤＭシンボルの数である。ここで、ＵＣＩの送信に用いられるＰＵＣＣＨのＯＦＤＭシンボルの数は、ＰＵＣＣＨのＯＦＤＭシンボルの数から、該ＰＵＣＣＨのＤＭＲＳのために用いられるＯＦＤＭシンボルの数を引いた値であってもよい。
【０３５３】
インデックスｉの送信機会に対応するＵＣＩのビット数が１２以上の場合、数式（９）において、第２のＰＵＣＣＨフォーマットのためのΔＴＦ，ｂ，ｆ，ｃ（ｉ）は、数式（１２）に少なくとも基づき与えられるパラメータである。つまり、端末装置１は、数式（１２）に少なくとも基づき、第２のＰＵＣＣＨフォーマットのためのΔＴＦ，ｂ，ｆ，ｃ
（ｉ）の値を決定してもよい。
【数１２】
0006877508.tif 000013
【０３５４】
数式（１１）において、Ｋ２は２．４である。また、ＢＰＲＥ（ｉ）は、（ＯＡＣＫ（ｉ）＋ＯＳＲ（ｉ）＋ＯＣＳＩ（ｉ）＋ＯＣＲＣ（ｉ））／ＮＲＥ（ｉ）により与えられる。ＢＲＰＥ（ｉ）は、インデックスｉの送信機会に対応するＰＵＣＣＨのＢＰＲＥ（Bit Per Resource Element）を示す。ここで、ＯＡＣＫ（ｉ）は、インデックスｉの送信機会に対応するＰＵＣＣＨで送信されるＨＡＲＱ−ＡＣＫのビット数である。また、ＯＳＲ（ｉ）は、インデックスｉの送信機会に対応するＰＵＣＣＨで送信されるＳＲのビット数である。また、ＯＣＳＩ（ｉ）は、インデックスｉの送信機会に対応するＰＵＣＣＨで送信されるＣＳＩのビット数である。また、ＯＣＲＣ（ｉ）は、インデックスｉの送信機会に対応するＰＵＣＣＨで送信される、または、想定されるＣＲＣのビット数である。想定されるＣＲＣのビット数は、送信されるＣＲＣのビット数と同じであってもよいし、異なってもよい。
【０３５５】
数式（１２）において、ＮＲＥ（ｉ）は、ＭＰＵＣＣＨＲＢ，ｂ，ｆ，ｃ（ｉ）・ＮＲＢｓｃ，ｃｔｒｌ（ｉ）・ＮＰＵＣＣＨｓｙｍｂ−ＵＣＩ，ｂ，ｆ，ｃ（ｉ）によって与えられる。ここで、ＮＲＢｓｃ，ｃｔｒｌ（ｉ）は、１２である。また、ＮＰＵＣＣＨｓｙｍｂ−ＵＣＩ，ｂ，ｆ，ｃ（ｉ）は、ＵＣＩの送信に用いられるＰＵＣＣＨのＯＦＤＭシンボルの数である。ここで、ＵＣＩの送信に用いられるＰＵＣＣＨのＯＦＤＭシンボルの数は、ＰＵＣＣＨのＯＦＤＭシンボルの数から、該ＰＵＣＣＨのＤＭＲＳのために用いられるＯＦＤＭシンボルの数を引いた値であってもよい。
【０３５６】
例えば、第２のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。
【０３５７】
例えば、第２のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬ＋１であると想定されることに少なくとも基づき与えられてもよい。
【０３５８】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の一部にフローティングＣＰが適用される場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。
【０３５９】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の全部にフローティングＣＰが適用される場合、該
ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。
【０３６０】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信されない場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。
【０３６１】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信される場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬ＋１であると想定されることに少なくとも基づき与えられてもよい。
【０３６２】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられる場合、Ｘ−１番目のＯＦＤＭシンボルの時間領域信号にフローティングＣＰが適用されるか否かに関わらず、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。ここで、該Ｘ−１番目のＯＦＤＭシンボルの時間領域信号にフローティングＣＰが適用される場合、該ＰＵＣＣＨの実際の開始ＯＦＤＭシンボルは、該Ｘ−１番目のＯＦＤＭシンボルであってもよい。
【０３６３】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の一部にフローティングＣＰが適用される場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３６４】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の全部にフローティングＣＰが適用される場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３６５】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨ
のＯＦＤＭシンボルの数がＬであることがＲＲＣパラメータにより与えられ、かつ、Ｘ−１番目のＯＦＤＭシンボルの時間領域信号にフローティングＣＰが適用されずに送信されない場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬであると想定されることに少なくとも基づき与えられてもよい。
【０３６６】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信される場合、該ＰＵＣＣＨの送信電力の決定に用いられる値ＮＰＵＣＣＨｓｙｍｂ−ＵＣＩ，ｂ，ｆ，ｃ（ｉ）は、ＰＵＣＣＨのＯＦＤＭシンボルの数がＬ＋１であると想定されることに少なくとも基づき与えられてもよい。
【０３６７】
数式（９）において、ｇｂ，ｆ，ｃ（ｉ，ｌ）は、ＤＣＩフォーマットにより示される送信電力補正値（ＴＰＣコマンド）を示す。
【０３６８】
第２のＰＵＣＣＨフォーマットにおいて、ＵＣＩの符号化ビット数Ｅｔｏｔは、２４・ＮＰＵＣＣＨ，３ｓｙｍｂ，ＵＣＩ・ＮＰＵＣＣＨ，３ＰＲＢにより与えられてもよい。ここで、ＮＰＵＣＣＨ，３ｓｙｍｂ，ＵＣＩは、該ＵＣＩを運ぶ（carry）ために少なく
とも用いられるＯＦＤＭシンボルの数である。ここで、ＮＰＵＣＣＨ，３ｓｙｍｂ，ＵＣＩは、ＰＵＣＣＨのＯＦＤＭシンボルの数から、該ＰＵＣＣＨのＤＭＲＳのために用いられるＯＦＤＭシンボルの数の差によって与えられてもよい。また、ＮＰＵＣＣＨ，３ＰＲＢは、ＰＵＣＣＨのリソースブロックの数である。ＵＣＩの符号化ビット数は、レートマッチ出力系列長（rate matching output sequence length）とも呼称される。
【０３６９】
例えば、第２のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＣＣＨに含まれるＵＣＩの符号化ビット数Ｅｔｏｔは、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。
【０３７０】
ＵＣＩを運ぶために少なくとも用いられるＯＦＤＭシンボルの数ＮＰＵＣＣＨ，３ｓｙｍｂ，ＵＣＩの決定において、ＰＵＣＣＨのＤＭＲＳの配置は、想定されるＰＵＣＣＨのＯＦＤＭシンボルの数に少なくとも基づき与えられてもよい。
【０３７１】
例えば、第２のＰＵＣＣＨフォーマットにより構成されるＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬ＋１であると想定されることに少なくとも基づき与えられてもよい。
【０３７２】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の一部にフローティングＣＰが適用される場合、該
ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。
【０３７３】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の全部にフローティングＣＰが適用される場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。
【０３７４】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信されない場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。
【０３７５】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信される場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬ＋１であると想定されることに少なくとも基づき与えられてもよい。
【０３７６】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられる場合、Ｘ−１番目のＯＦＤＭシンボルの時間領域信号にフローティングＣＰが適用されるか否かに関わらず、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。ここで、該Ｘ−１番目のＯＦＤＭシンボルの時間領域信号にフローティングＣＰが適用される場合、該ＰＵＣＣＨの実際の開始ＯＦＤＭシンボルは、該Ｘ−１番目のＯＦＤＭシンボルであってもよい。
【０３７７】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の一部にフローティングＣＰが適用される場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３７８】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−
１番目のＯＦＤＭシンボルの時間領域信号の全部にフローティングＣＰが適用される場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３７９】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信されない場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬであると想定されることに少なくとも基づき与えられてもよい。
【０３８０】
例えば、第２のＰＵＣＣＨフォーマットにより構成されるＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信される場合、該ＵＣＩを運ぶために少なくとも用いられるＯＦＤＭシンボルの数ＮＰＵＣＣＨ，３ｓｙｍｂ，ＵＣＩの決定において、ＰＵＣＣＨのＯＦＤＭシンボルの数がＬ＋１であると想定されることに少なくとも基づき与えられてもよい。
【０３８１】
ＰＵＣＣＨで送信されるＣＳＩは、２つのパート（ブロック、かたまり、ユニット）に分割されてもよい。ここで、２つのパートは、それぞれ、ＣＳＩパート１、ＣＳＩパート２とも呼称される。また、２つのパートのそれぞれに対して、誤り訂正符号化が適用されてもよい。また、２つのパートのそれぞれに対して、ＣＲＣ系列が付加されてもよい。
【０３８２】
ＰＵＣＣＨでＣＳＩパート１とＣＳＩパート２が送信される場合、第１の符号化ビット系列と第２の符号化ビット系列が生成されてもよい。ここで、第１の符号化ビット系列は、ＣＳＩパート１を含むＵＣＩの符号化後の系列であってもよい。また、第２の符号化ビット系列は、ＣＳＩパート２を含むＵＣＩの符号化後の系列であってもよい。
【０３８３】
ＰＵＣＣＨでＣＳＩパート１とＣＳＩパート２が送信される場合、端末装置１は、第１のＵＣＩシンボルのセット、第２のＵＣＩシンボルのセット、および、第３のＵＣＩシンボルのセットの一部または全部を決定してもよい。端末装置１は、決定されたＵＣＩシンボルのセットに少なくとも基づき、第１の符号化ビット系列と第２の符号化ビット系列を多重してもよい。ＵＣＩシンボルのセットは、第１のＵＣＩシンボルのセット、第２のＵＣＩシンボルのセット、および、第３のＵＣＩシンボルのセットの総称である。
【０３８４】
図１６は、本実施形態の一態様に係るＵＣＩシンボルのセットの決定方法に関する一例を示す図である。図１６において、ＰＵＣＣＨ期間（PUCCH duration）は、ＰＵＣＣＨのＯＦＤＭシンボルの数を示す。また、ＰＵＣＣＨのＤＭＲＳシンボルインデックス（PUCCH DMRS symbol indices）は、ＰＵＣＣＨのＤＭＲＳが配置されるＯＦＤＭシンボルのイ
ンデックスを示す。また、ＮｓｅｔＵＣＩは、ＵＣＩシンボルのセットの数を示す。第１のＵＣＩシンボルインデックスセット（1st UCI symbol indices set）Ｓ（１）ＵＣＩは、第１のＵＣＩシンボルのセットに含まれるＯＦＤＭシンボルのインデックスのセットを示す。第２のＵＣＩシンボルインデックスセット（2nd UCI symbol indices set）Ｓ（２）ＵＣＩは、第２のＵＣＩシンボルのセットに含まれるＯＦＤＭシンボルのインデックスのセットを示す。第３のＵＣＩシンボルインデックスセット（3rd UCI symbol indices set）Ｓ（３）ＵＣＩは、第３のＵＣＩシンボルのセットに含まれるＯＦＤＭシンボルのイ
ンデックスのセットを示す。
【０３８５】
例えば、ＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、第１の符号化ビット系列と第２の符号化ビット系列の多重に用いられるＵＣＩシンボルのセットは、ＰＵＣＣＨ期間がＬであると想定されることに少なくとも基づき与えられてもよい。
【０３８６】
例えば、ＰＵＣＣＨの開始ＯＦＤＭシンボルがＸ番目のＯＦＤＭシンボルであり、該ＰＵＣＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、第１の符号化ビット系列と第２の符号化ビット系列の多重に用いられるＵＣＩシンボルのセットは、ＰＵＣＣＨ期間がＬ＋１であると想定されることに少なくとも基づき与えられてもよい。
【０３８７】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の一部にフローティングＣＰが適用される場合、第１の符号化ビット系列と第２の符号化ビット系列の多重に用いられるＵＣＩシンボルのセットは、ＰＵＣＣＨ期間がＬであると想定されることに少なくとも基づき与えられてもよい。
【０３８８】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号の全部にフローティングＣＰが適用される場合、第１の符号化ビット系列と第２の符号化ビット系列の多重に用いられるＵＣＩシンボルのセットは、ＰＵＣＣＨ期間がＬであると想定されることに少なくとも基づき与えられてもよい。
【０３８９】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信されない場合、第１の符号化ビット系列と第２の符号化ビット系列の多重に用いられるＵＣＩシンボルのセットは、ＰＵＣＣＨ期間がＬであると想定されることに少なくとも基づき与えられてもよい。
【０３９０】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬ＋１であることがＲＲＣパラメータにより与えられ、該Ｘ番目のＯＦＤＭシンボルの時間領域信号にフローティングＣＰが適用されずに送信される場合、第１の符号化ビット系列と第２の符号化ビット系列の多重に用いられるＵＣＩシンボルのセットは、ＰＵＣＣＨ期間がＬ＋１であると想定されることに少なくとも基づき与えられてもよい。
【０３９１】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられる場合、Ｘ−１番目のＯＦＤＭシンボルの時間領域信号にフローティングＣＰが適用されるか否かに関わらず、第１の符号化ビット系列と第２の符号化ビット系列の多重に用いられるＵＣＩシンボルのセットは、ＰＵＣＣＨ期間がＬであると想定されることに少なくとも基づき与えられてもよい。ここで、該Ｘ−１番目のＯＦＤＭシンボルの時間領域信号にフローティングＣＰが適用される場合、該ＰＵＣＣＨの実際の
開始ＯＦＤＭシンボルは、該Ｘ−１番目のＯＦＤＭシンボルであってもよい。
【０３９２】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の一部にフローティングＣＰが適用される場合、第１の符号化ビット系列と第２の符号化ビット系列の多重に用いられるＵＣＩシンボルのセットは、ＰＵＣＣＨ期間がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３９３】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号の全部にフローティングＣＰが適用される場合、第１の符号化ビット系列と第２の符号化ビット系列の多重に用いられるＵＣＩシンボルのセットは、ＰＵＣＣＨ期間がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０３９４】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信されない場合、第１の符号化ビット系列と第２の符号化ビット系列の多重に用いられるＵＣＩシンボルのセットは、ＰＵＣＣＨ期間がＬであると想定されることに少なくとも基づき与えられてもよい。
【０３９５】
例えば、ＰＵＣＣＨの開始ＯＦＤＭシンボル（Ｘ番目のＯＦＤＭシンボル）がＲＲＣパラメータにより与えられ、該ＰＵＣＣＨのＯＦＤＭシンボルの数がＬであることがＲＲＣパラメータにより与えられ、かつ、Ｘ−１番目のＯＦＤＭシンボルの時間領域信号にフローティングＣＰが適用されずに送信される場合、第１の符号化ビット系列と第２の符号化ビット系列の多重に用いられるＵＣＩシンボルのセットは、ＰＵＣＣＨ期間がＬ＋１であると想定されることに少なくとも基づき与えられてもよい。
【０３９６】
以下、上りリンク物理チャネル１３０３がＰＵＳＣＨとして構成される場合を例にとり、説明を行う。
【０３９７】
ＰＵＳＣＨのＤＭＲＳの配置において、参照地点ｌｒｅｆが用いられる。参照地点ｌｒｅｆは、ＯＦＤＭシンボルインデックスｌ＝０となるＯＦＤＭシンボルのインデックスを示す。例えば、ＰＵＳＣＨ配置タイプＡ（PUSCH mapping type A）に対して、参照地点ｌｒｅｆはスロットの先頭のＯＦＤＭシンボルのインデックスであってもよい。また、ＰＵＳＣＨ配置タイプＢ（PUSCH mapping type B）に対して、参照地点ｌｒｅｆはスケジューリングされるＰＵＳＣＨの先頭のＯＦＤＭシンボルのインデックスであってもよい。
【０３９８】
例えば、ＰＵＳＣＨの開始ＯＦＤＭシンボルがＸ番目のＯＦＤＭシンボルであり、該ＰＵＳＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＳＣＨのＤＭＲＳは、参照地点ｌｒｅｆがＸ＋１番目のＯＦＤＭシンボルのインデックスであると想定されることに少なくとも基づき配置されてもよい。
【０３９９】
例えば、ＰＵＳＣＨの開始ＯＦＤＭシンボルがＸ番目のＯＦＤＭシンボルであり、該ＰＵＳＣＨの終端ＯＦＤＭシンボルがＸ＋Ｌ番目のＯＦＤＭシンボルであり、かつ、該Ｘ番
目のＯＦＤＭシンボルの時間領域信号にフローティングＣＰが適用されない場合、該ＰＵＳＣＨのＤＭＲＳは、参照地点ｌｒｅｆがＸ番目のＯＦＤＭシンボルのインデックスであると想定されることに少なくとも基づき配置されてもよい。
【０４００】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号の一部にフローティングＣＰが適用される場合、該ＰＵＳＣＨのＤＭＲＳは、参照地点ｌｒｅｆがＸ＋１番目のＯＦＤＭシンボルのインデックスであると想定されることに少なくとも基づき配置されてもよい。
【０４０１】
例えば、ＰＵＳＣＨの開始ＯＦＤＭシンボル（Ｘ番目のＯＦＤＭシンボル）が上りリンクＤＣＩフォーマットにより与えられ、該ＰＵＣＣＨのＯＦＤＭシンボルの数がＬ＋１であることが該上りリンクＤＣＩフォーマットにより与えられ、該Ｘ番目のＯＦＤＭシンボルの時間領域信号の全部にフローティングＣＰが適用される場合、該ＰＵＳＣＨのＤＭＲＳは、参照地点ｌｒｅｆがＸ＋１番目のＯＦＤＭシンボルのインデックスであると想定されることに少なくとも基づき配置されてもよい。
【０４０２】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号にフローティングＣＰが適用されずに送信されない場合、該ＰＵＳＣＨのＤＭＲＳは、参照地点ｌｒｅｆがＸ＋１番目のＯＦＤＭシンボルのインデックスであると想定されることに少なくとも基づき配置されてもよい。
【０４０３】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号にフローティングＣＰが適用されずに送信される場合、該ＰＵＳＣＨのＤＭＲＳは、参照地点ｌｒｅｆがＸ番目のＯＦＤＭシンボルのインデックスであると想定されることに少なくとも基づき配置されてもよい。
【０４０４】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられる場合、Ｘ−１番目のＯＦＤＭシンボルの時間領域信号にフローティングＣＰが適用されるか否かに関わらず、該ＰＵＳＣＨのＤＭＲＳは、参照地点ｌｒｅｆがＸ番目のＯＦＤＭシンボルのインデックスであると想定されることに少なくとも基づき配置されてもよい。ここで、該Ｘ−１番目のＯＦＤＭシンボルの時間領域信号にフローティングＣＰが適用される場合、該ＰＵＳＣＨの実際の開始ＯＦＤＭシンボルは、該Ｘ−１番目のＯＦＤＭシンボルであってもよい。
【０４０５】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号の一部にフローティングＣＰが適用される場合、該ＰＵＳＣＨのＤＭＲＳは、参照地点ｌｒｅｆがＸ番目のＯＦＤＭシンボルのインデックスであると想定されることに少なくとも基づき配置されてもよい。ここで、該ＰＵＣＣＨの実際の開始ＯＦＤＭシンボルは、該Ｘ−１番目のＯＦＤＭシンボルであってもよい。
【０４０６】
例えば、ＰＵＳＣＨの開始ＯＦＤＭシンボル（Ｘ番目のＯＦＤＭシンボル）が上りリン
クＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号の全部にフローティングＣＰが適用される場合、該ＰＵＳＣＨのＤＭＲＳは、参照地点ｌｒｅｆがＸ番目のＯＦＤＭシンボルのインデックスであると想定されることに少なくとも基づき配置されてもよい。ここで、該ＰＵＣＣＨの実際の開始ＯＦＤＭシンボルは、該Ｘ−１番目のＯＦＤＭシンボルであってもよい。
【０４０７】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号にフローティングＣＰが適用されずに送信されない場合、該ＰＵＣＣＨのＤＭＲＳは、参照地点ｌｒｅｆがＸ番目のＯＦＤＭシンボルのインデックスであると想定されることに少なくとも基づき配置されてもよい。
【０４０８】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号にフローティングＣＰが適用されずに送信される場合、該ＰＵＳＣＨのＤＭＲＳは、参照地点ｌｒｅｆがＸ−１番目のＯＦＤＭシンボルのインデックスであると想定されることに少なくとも基づき配置されてもよい。
【０４０９】
例えば、ＰＵＳＣＨ配置タイプＡに対してフローティングＣＰが適用され、かつ、ＰＵＳＣＨの開始ＯＦＤＭシンボルがＸ番目のＯＦＤＭシンボルであることが上りリンクＤＣＩフォーマットにより与えられる場合、インデックスＸのＯＦＤＭシンボルの一部または全部にフローティングＣＰが適用されてもよい。また、ＰＵＳＣＨ配置タイプＢに対してフローティングＣＰが適用され、かつ、ＰＵＳＣＨの開始ＯＦＤＭシンボルがＸ番目のＯＦＤＭシンボルであることが上りリンクＤＣＩフォーマットにより与えられる場合、インデックスＸ−１のＯＦＤＭシンボルの一部または全部にフローティングＣＰが適用されてもよい。
【０４１０】
ＰＵＳＣＨのＤＭＲＳは、ＯＦＤＭシンボルのセットｌｘに含まれるＯＦＤＭシンボルに配置されてもよい。例えば、ＯＦＤＭシンボルのセットｌｓｅｔがＯＦＤＭシンボルインデックスｌｘを少なくとも含む場合、ＰＵＳＣＨのＤＭＲＳはインデックスｌｒｅｆ＋ｌｘのＯＦＤＭシンボルに少なくとも配置されてもよい。
【０４１１】
ＯＦＤＭシンボルのセットｌｓｅｔは、ＰＵＳＣＨのＯＦＤＭシンボルの数に少なくとも基づき与えられてもよい。
【０４１２】
例えば、ＰＵＳＣＨの開始ＯＦＤＭシンボルがＸ番目のＯＦＤＭシンボルであり、該ＰＵＳＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。
【０４１３】
例えば、ＰＵＳＣＨの開始ＯＦＤＭシンボルがＸ番目のＯＦＤＭシンボルであり、該ＰＵＳＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＰＵＳＣＨのＤＭＲＳが配置されるＯＦＤＭシンボルのセットｌｘは、該ＰＵＳＣＨのＯＦＤＭシンボルの数がＬ＋１であると想定されることに少なくとも基づき与えられてもよい。
【０４１４】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号の一部にフローティングＣＰが適用される場合、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。
【０４１５】
例えば、ＰＵＳＣＨの開始ＯＦＤＭシンボル（Ｘ番目のＯＦＤＭシンボル）が上りリンクＤＣＩフォーマットにより与えられ、該ＰＵＣＣＨのＯＦＤＭシンボルの数がＬ＋１であることが該上りリンクＤＣＩフォーマットにより与えられ、該Ｘ番目のＯＦＤＭシンボルの時間領域信号の全部にフローティングＣＰが適用される場合、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。
【０４１６】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号にフローティングＣＰが適用されずに送信されない場合、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。
【０４１７】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号にフローティングＣＰが適用されずに送信される場合、該ＰＵＳＣＨのＤＭＲＳが配置されるＯＦＤＭシンボルのセットｌｘは、該ＰＵＳＣＨのＯＦＤＭシンボルの数がＬ＋１であると想定されることに少なくとも基づき与えられてもよい。
【０４１８】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられる場合、Ｘ−１番目のＯＦＤＭシンボルの時間領域信号にフローティングＣＰが適用されるか否かに関わらず、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。ここで、該Ｘ−１番目のＯＦＤＭシンボルの時間領域信号にフローティングＣＰが適用される場合、該ＰＵＳＣＨの実際の開始ＯＦＤＭシンボルは、該Ｘ−１番目のＯＦＤＭシンボルであってもよい。
【０４１９】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号の一部にフローティングＣＰが適用される場合、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０４２０】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシ
ンボルの時間領域信号の全部にフローティングＣＰが適用される場合、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０４２１】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号にフローティングＣＰが適用されずに送信されない場合、該ＰＵＳＣＨのＤＭＲＳが配置されるＯＦＤＭシンボルのセットｌｘは、該ＰＵＳＣＨのＯＦＤＭシンボルの数がＬであると想定されることに少なくとも基づき与えられてもよい。
【０４２２】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号にフローティングＣＰが適用されずに送信される場合、該ＰＵＳＣＨのＤＭＲＳが配置されるＯＦＤＭシンボルのセットｌｘは、該ＰＵＳＣＨのＯＦＤＭシンボルの数がＬ＋１であると想定されることに少なくとも基づき与えられてもよい。
【０４２３】
ＰＵＳＣＨのＴＢＳは、パラメータＮ´ＲＥに少なくとも基づき与えられてもよい。パラメータＮ´ＲＥは、ＰＲＢあたりにトランスポートブロックの送信に用いられるリソースエレメントの数に関連する値である。パラメータＮ´ＲＥは、ＮＲＢｓｃ・Ｎｓｈｓｙｍｂ−ＮＰＲＢＤＭＲＳ−ＮＰＲＢｏｈにより与えられてもよい。ここで、Ｎｓｈｓｙｍｂは、あるスロットにおいてＰＵＳＣＨのために割り当てられるＯＦＤＭシンボルの数である。また、ＮＰＲＢＤＭＲＳは、ＰＲＢ当たりのＤＭＲＳに用いられるリソースエレメントの数に関連する値を示してもよい。ＮＰＲＢｏｈは、ＲＲＣパラメータにより示される整数値である。
【０４２４】
例えば、ＰＵＳＣＨの開始ＯＦＤＭシンボルがＸ番目のＯＦＤＭシンボルであり、該ＰＵＳＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用される場合、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。
【０４２５】
ＰＵＳＣＨのＴＢＳの決定において、ＰＵＣＣＨのＤＭＲＳの配置は、想定されるＰＵＣＣＨのＯＦＤＭシンボルの数に少なくとも基づき与えられてもよい。ＰＵＳＣＨのＴＢＳの決定において、ＮＰＲＢＤＭＲＳは、想定されるＰＵＣＣＨのＯＦＤＭシンボルの数に少なくとも基づき与えられる、ＰＲＢ当たりのＤＭＲＳに用いられるリソースエレメントの数に関連する値を示してもよい。
【０４２６】
例えば、ＰＵＳＣＨの開始ＯＦＤＭシンボルがＸ番目のＯＦＤＭシンボルであり、該ＰＵＳＣＨの終端ＯＦＤＭシンボルがＸ＋Ｌ番目のＯＦＤＭシンボルであり、かつ、該Ｘ番目のＯＦＤＭシンボルの時間領域信号にフローティングＣＰが適用されない場合、該ＰＵＳＣＨのＴＢＳは、ＰＵＳＣＨのために割り当てられるＯＦＤＭシンボルの数ＮｓｈｓｙｍｂがＬ＋１であると想定されることに少なくとも基づき与えられてもよい。
【０４２７】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボ
ルの時間領域信号の一部にフローティングＣＰが適用される場合、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。
【０４２８】
例えば、ＰＵＳＣＨの開始ＯＦＤＭシンボル（Ｘ番目のＯＦＤＭシンボル）が上りリンクＤＣＩフォーマットにより与えられ、該ＰＵＣＣＨのＯＦＤＭシンボルの数がＬ＋１であることが該上りリンクＤＣＩフォーマットにより与えられ、該Ｘ番目のＯＦＤＭシンボルの時間領域信号の全部にフローティングＣＰが適用される場合、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。
【０４２９】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号にフローティングＣＰが適用されずに送信されない場合、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。
【０４３０】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬ＋１であることが該上りリンクＤＣＩフォーマットにより与えられ、該Ｘ番目のＯＦＤＭシンボルの時間領域信号にフローティングＣＰが適用されずに送信される場合、該ＰＵＳＣＨのＴＢＳは、ＰＵＳＣＨのために割り当てられるＯＦＤＭシンボルの数ＮｓｈｓｙｍｂがＬ＋１であると想定されることに少なくとも基づき与えられてもよい。
【０４３１】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられる場合、Ｘ−１番目のＯＦＤＭシンボルの時間領域信号にフローティングＣＰが適用されるか否かに関わらず、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。ここで、該Ｘ−１番目のＯＦＤＭシンボルの時間領域信号にフローティングＣＰが適用される場合、該ＰＵＳＣＨの実際の開始ＯＦＤＭシンボルは、該Ｘ−１番目のＯＦＤＭシンボルであってもよい。
【０４３２】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号の一部にフローティングＣＰが適用される場合、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０４３３】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号の全部にフローティングＣＰが適用される場合、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。ここで、該ＰＵＣＣＨの実際の開始ＯＦＤＭシンボルは、該Ｘ−１番目のＯＦＤＭシンボルであってもよい。
【０４３４】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号にフローティングＣＰが適用されずに送信されない場合、該ＰＵＳＣＨのＴＢＳは、ＰＵＳＣＨのために割り当てられるＯＦＤＭシンボルの数ＮｓｈｓｙｍｂがＬであると想定されることに少なくとも基づき与えられてもよい。
【０４３５】
例えば、ＰＵＳＣＨの開始ＯＦＤＭシンボル（Ｘ番目のＯＦＤＭシンボル）が上りリンクＤＣＩフォーマットにより与えられ、該ＰＵＳＣＨのＯＦＤＭシンボルの数がＬであることが該上りリンクＤＣＩフォーマットにより与えられ、かつ、Ｘ−１番目のＯＦＤＭシンボルの時間領域信号にフローティングＣＰが適用されずに送信される場合、該ＰＵＳＣＨのＴＢＳは、ＰＵＳＣＨのために割り当てられるＯＦＤＭシンボルの数ＮｓｈｓｙｍｂがＬ＋１であると想定されることに少なくとも基づき与えられてもよい。
【０４３６】
以下、本実施形態の一態様に係る種々の装置の態様を説明する。
【０４３７】
（１）上記の目的を達成するために、本発明の態様は、以下のような手段を講じた。すなわち、本発明の第１の態様は、端末装置であって、スロットにおけるＸ番目のＯＦＤＭシンボルからＸ＋Ｌ番目のＯＦＤＭシンボルに配置されるＰＵＣＣＨの時間領域信号を生成するチャネル生成部と、前記ＰＵＣＣＨを送信する送信部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＰＵＣＣＨのＤＭＲＳが配置されるＯＦＤＭシンボルのセットは、前記ＰＵＣＣＨのＯＦＤＭシンボルの数がＬであると想定されることに少なくとも基づき与えられる。
【０４３８】
（２）また、本発明の第２の態様は、端末装置であって、スロットにおけるＸ番目のＯＦＤＭシンボルからＸ＋Ｌ番目のＯＦＤＭシンボルに配置されるＰＵＣＣＨの時間領域信号を生成するチャネル生成部と、ＣＳＩパート１とＣＳＩパート２を前記ＰＵＣＣＨで送信する送信部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＣＳＩパート１と前記ＣＳＩパート２の多重において用いられるＵＣＩシンボルのセットは、前記ＰＵＣＣＨのＯＦＤＭシンボルの数がＬであると想定されることに少なくとも基づき与えられる。
【０４３９】
（３）また、本発明の第３の態様は、基地局装置であって、スロットにおけるＸ番目のＯＦＤＭシンボルからＸ＋Ｌ番目のＯＦＤＭシンボルに配置されるＰＵＣＣＨを受信する受信部と、前記ＰＵＣＣＨの時間領域信号を復調するチャネル復調部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＰＵＣＣＨのＤＭＲＳが配置されるＯＦＤＭシンボルのセットは、前記ＰＵＣＣＨのＯＦＤＭシンボルの数がＬであると想定されることに少なくとも基づき与えられる。
【０４４０】
（４）また、本発明の第４の態様は、基地局装置であって、スロットにおけるＸ番目のＯＦＤＭシンボルからＸ＋Ｌ番目のＯＦＤＭシンボルに配置されるＰＵＣＣＨを受信する受信部と、ＣＳＩパート１とＣＳＩパート２を前記ＰＵＣＣＨから取得する復調部と、を備え、前記Ｘ番目のＯＦＤＭシンボルの前記時間領域信号がＸ＋１番目のＯＦＤＭシンボルに含まれるリソースエレメントのコンテンツに少なくとも基づき生成される場合、前記ＣＳＩパート１と前記ＣＳＩパート２の多重において用いられるＵＣＩシンボルのセットは、前記ＰＵＣＣＨのＯＦＤＭシンボルの数がＬであると想定されることに少なくとも基
づき与えられる。
【０４４１】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０４４２】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０４４３】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０４４４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０４４５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０４４６】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢお
よび／またはｇＮＢに対する上位ノードの機能の一部または全部を有してもよい。
【０４４７】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０４４８】
また、上述した実施形態では、通信装置の一例として端末装置を記載したが、本願発明
は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０４４９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０４５０】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
９１、９２、９３、９４  探索領域セット
３００  コンポーネントキャリア
３０１  プライマリセル
３０２、３０３  セカンダリセル
１３０３、１３０３ａ、１３０３ｂ  上りリンク物理チャネル
１３０１  物理信号
１３０２  下りリンクと上りリンクの切り替えに係るギャップ
３０００  ポイント
３００１、３００２  リソースグリッド
３００３、３００４  ＢＷＰ
３０１１、３０１２、３０１３、３０１４  オフセット
３１００、３２００  共通リソースブロックセット
【図１】
0006877508.tif 000014
【図２】
0006877508.tif 000015
【図３】
0006877508.tif 000016
【図４】
0006877508.tif 000017
【図５】
0006877508.tif 000018
【図６】
0006877508.tif 000019
【図７】
0006877508.tif 000020
【図８】
0006877508.tif 000021
【図９】
0006877508.tif 000022
【図１０】
0006877508.tif 000023
【図１１】
0006877508.tif 000024
【図１２】
0006877508.tif 000025
【図１３】
0006877508.tif 000026
【図１４】
0006877508.tif 000027
【図１５】
0006877508.tif 000028
【図１６】
0006877508.tif 000029